(57)【要約】  【課題】  コンテンツサービスの拡販につながる特典配布システムを提供する。  【解決手段】  特典配布システムは、ユーザ端末と配布装置とから構成され、配布装置は、コンテンツサービスに係る特典情報を要求する特典要求情報をユーザ端末より受け取り、受け取った特典要求情報が示す要求が正当であると判断する場合に、特典情報をユーザ端末へ配布する。これにより、特典情報の配布を受けた利用者は、配布された特典情報を利用して楽しむことができるため、利用者は、コンテンツサービスを受ける動機を保つことが可能となる。【選択図】  図１
2004280797.tif 000002
【特許請求の範囲】
【請求項１】
ユーザ端末と、コンテンツサービスに係る特典情報を配布する配布装置とからなる特典配布システムであって、
前記配布装置は、
コンテンツサービスに係る特典情報を記憶している配布特典記憶手段と、
前記ユーザ端末より特典情報を要求する特典要求情報を受け取る要求受取手段と、
受け取った特典要求情報が示す要求が正当であるか否かを判断する判断手段と、
前記判断手段にて受け取った要求が正当であると判断される場合に、特典情報を読み出し、読み出した特典情報を前記ユーザ端末へ配布する配布手段とを備え、
前記ユーザ端末は、
特典要求情報を前記配布装置へ出力する要求出力手段と、
特典情報を前記配布装置より受け取る特典受取手段と、
受け取った特典情報を記憶する特典記憶手段と
を備えることを特徴とする特典配布システム。
【請求項２】
前記特典記憶手段は可搬型の特典記録媒体と、特典書込手段とからなり、
前記特典情報は、映画に関連する映画特典であり、
前記特典要求情報は、映画鑑賞のサービスの提供を受ける電子チケットの購入を示すとともに、前記映画に関連する映画特典を要求する購入情報であり、
前記配布手段は、前記判断手段にて、受け取った購入情報が示す内容が正当であると判断される場合に、前記配布特典記憶手段より映画特典を読み出し、読み出した映画特典を前記ユーザ端末へ配布し、
前記特典書込手段は、前記配布装置より受け取った映画特典を前記特典記録媒体へ書き込む
ことを特徴とする請求項１に記載の特典配布システム。
【請求項３】
前記特典記憶手段は可搬型の特典記録媒体と、特典書込手段とからなり、
前記特典情報は、映画に関連する映画特典、及び映画データを含む映画コンテンツに関連するコンテンツ特典であり、
前記特典要求情報は、映画鑑賞のサービスの提供及び映画コンテンツを記録しているパッケージ媒体を購入する際にサービスの提供を受ける電子チケットの購入を示すとともに、前記映画に関連する映画特典及び前記映画のデータを含む映画コンテンツに関連するコンテンツ特典を要求する購入情報であり、
前記配布手段は、前記判断手段にて、受け取った購入情報が示す内容が正当であると判断される場合に、前記配布特典記憶手段より映画特典及びコンテンツ特典を読み出し、読み出した映画特典及びコンテンツ特典を前記ユーザ端末へ配布し、
前記特典書込手段は、前記配布装置より受け取った映画特典及びコンテンツ特典を前記特典記録媒体へ書き込む
ことを特徴とする請求項１に記載の特典配布システム。
【請求項４】
前記ユーザ端末は、映画鑑賞のサービスの提供を受ける第１電子チケットを記憶している可搬型の特典記録媒体であって、
前記特典情報は、映画データを含む映画コンテンツに関連するコンテンツ特典であり、
前記要求受取手段は、前記特典要求情報として前記第１電子チケットを受け取り、前記第１電子チケットの受け取りは、特典情報の要求とみなされ、
前記要求出力手段は、前記第１電子チケットが利用される場合に、前記第１電子チケットを前記配布装置へ出力し、
前記配布装置は、さらに、
前記判断手段にて前記第１電子チケットが示す内容が正当であると判断される場合に、前記第１電子チケットを用いて、映画鑑賞のサービスを受けたことを示す第２電子チケットを生成し、前記特典記録媒体にて記憶している第１電子チケットを生成した第２電子チケットへと更新する生成手段を備え、
前記配布手段は、前記判断手段にて前記第１電子チケットが示す内容が正当であると判断される場合に、前記配布特典記憶手段よりコンテンツ特典を読み出し、読み出したコンテンツ特典を前記特典記録媒体へ配布する
ことを特徴とする請求項１に記載の特典配布システム。
【請求項５】
前記ユーザ端末は、映画鑑賞のサービスの提供を受ける、映画鑑賞のサービスの提供を受けた、又は映画鑑賞のサービスの提供及び映画データを含む映画コンテンツを記録しているパッケージ媒体を購入する際にサービスの提供を受けることを示す電子チケットを記憶している可搬型の特典記録媒体であって、
前記要求受取手段は、前記特典要求情報として前記電子チケットを受け取り、電子チケットの受け取りは、特典情報の要求とみなされ、
前記配布手段は、前記判断手段にて、前記電子チケットが示す内容が正当であると判断される場合に、前記配布特典記憶手段より特典情報を読み出し、読み出した特典情報を前記特典記録媒体へ配布する
ことを特徴とする請求項１に記載の特典配布システム。
【請求項６】
前記特典配布システムは、さらに、
映画データを含む映画コンテンツを記録しているパッケージ媒体を販売するパッケージ販売装置を含み、
前記ユーザ端末は、さらに、映画鑑賞のサービスの提供を受ける、映画鑑賞のサービスの提供を受けた、又は映画鑑賞のサービスの提供及び映画コンテンツを記録しているパッケージ媒体を購入する際にサービスの提供を受けることを示す電子チケットを記憶しており、
前記パッケージ販売装置は、
前記ユーザ端末より電子チケットを受け取るチケット受取手段と、
受け取った電子チケットの内容に応じて、パッケージ媒体の販売価格を決定する決定手段と
を備えることを特徴とする請求項１に記載の特典配布システム。
【請求項７】
前記ユーザ端末は、可搬型の特典記録媒体であって、
前記特典配布システムは、さらに、再生装置を含み、
前記再生装置は、
特典記録媒体より前記特典情報を読み出す特典読出手段と、
読み出した特典情報を再生する再生手段と
を備えることを特徴とする請求項１に記載の特典配布システム。
【請求項８】
前記特典配布システムは、さらに、管理装置を含み、
前記管理装置は、
特典情報の配布を受けた利用者に係る利用者情報を記憶する利用者情報記憶手段と、
前記配布装置より利用者情報を受け取り、受け取った利用者情報を前記利用者情報記憶手段へ書き込む利用者情報受取手段とを備え、
前記配布装置は、さらに、
利用者情報を生成し、生成した利用者情報を前記管理装置へ出力する利用者情報生成手段を
備えることを特徴とする請求項１に記載の特典配布システム。
【請求項９】
ユーザ端末へコンテンツサービスに係る特典情報を配布する配布装置であって、
コンテンツサービスに係る特典情報を記憶している配布特典記憶手段と、
前記ユーザ端末より特典情報を要求する特典要求情報を受け取る要求受取手段と、
受け取った特典要求情報が示す要求が正当であるか否かを判断する判断手段と、
前記判断手段にて受け取った要求が正当であると判断される場合に、特典情報を読み出し、読み出した特典情報を前記ユーザ端末へ配布する配布手段と
を備えることを特徴とする配布装置。
【請求項１０】
前記特典情報は、映画に関連する映画特典であり、
前記特典要求情報は、映画鑑賞のサービスの提供を受ける電子チケットの購入を示すとともに、前記映画に関連する映画特典を要求する購入情報であり、
前記配布手段は、前記判断手段にて、受け取った購入情報が示す内容が正当であると判断される場合に、前記配布特典記憶手段より映画特典を読み出し、読み出した映画特典を前記ユーザ端末へ配布する
ことを特徴とする請求項９に記載の配布装置。
【請求項１１】
前記配布装置は、さらに、
デジタル署名を施すための秘密鍵を記憶している秘密鍵記憶手段と、
前記秘密鍵を用いて、前記電子チケットを示すチケット情報にデジタル署名を施して、署名データを生成する署名データ生成手段とを備え、
前記配布手段は、さらに、生成した署名データを前記ユーザ端末へ配布する
ことを特徴とする請求項１０に記載の配布装置。
【請求項１２】
前記特典情報は、映画に関連する映画特典、及び映画データを含む映画コンテンツに関連するコンテンツ特典であり、
前記特典要求情報は、映画鑑賞のサービスの提供及び映画コンテンツを記録しているパッケージ媒体を購入する際にサービスの提供を受ける電子チケットの購入を示すとともに、前記映画に関連する映画特典及び前記映画のデータを含む映画コンテンツに関連するコンテンツ特典を要求する購入情報であり、
前記配布手段は、前記判断手段にて、受け取った購入情報が示す内容が正当であると判断される場合に、前記配布特典記憶手段より映画特典及びコンテンツ特典を読み出し、読み出した映画特典及びコンテンツ特典を前記ユーザ端末へ配布する
ことを特徴とする請求項９に記載の配布装置。
【請求項１３】
前記ユーザ端末は、映画鑑賞のサービスの提供を受ける第１電子チケットを記憶している可搬型の特典記録媒体であり、
前記特典情報は、映画データを含む映画コンテンツに関連するコンテンツ特典であり、
前記要求受取手段は、利用者にて前記第１電子チケットが利用される場合に、前記特典要求情報として前記第１電子チケットを受け取り、前記第１電子チケットの受け取りは、特典情報の要求とみなされ、
前記配布装置は、さらに、
前記判断手段にて前記第１電子チケットが示す内容が正当であると判断される場合に、前記第１電子チケットを用いて、映画鑑賞のサービスを受けたことを示す第２電子チケットを生成し、前記特典記録媒体にて記憶している第１電子チケットを生成した第２電子チケットへと更新する生成手段を備え、
前記配布手段は、前記判断手段にて前記第１電子チケットが示す内容が正当であると判断される場合に、前記配布特典記憶手段よりコンテンツ特典を読み出し、読み出したコンテンツ特典を前記特典記録媒体へ配布する
ことを特徴とする請求項９に記載の配布装置。
【請求項１４】
前記第１電子チケットは、映画鑑賞のサービスの有効期限を含み、
前記配布装置は、さらに、
前記第１電子チケットに含まれる有効期限を用いて、当該第１電子チケットが有効期限内のものであるか否かを判断する期限判断手段を備え、
前記判断手段は、前記期限判断手段にて前記第１電子チケットが有効期限内のものであると判断される場合に、前記第１電子チケットが示す内容が正当であると判断する
ことを特徴とする請求項１３に記載の配布装置。
【請求項１５】
前記特典記録媒体は、さらに、記憶している第１電子チケットにデジタル署名を施した署名データを記憶しており、
前記配布装置は、さらに、
署名データに対して、署名検証を行うための公開鍵を記憶している公開鍵記憶手段を備え、
前記要求受取手段は、さらに、署名データを受け取り、前記公開鍵を用いて、受け取った署名データの署名検証を行い、
前記判断手段は、前記要求受取手段による検証結果が肯定的なものである場合、及び前記期限判断手段にて前記第１電子チケットが有効期限内のものであると判断される場合に、前記第１電子チケットが示す内容が正当であると判断する
ことを特徴とする請求項１４に記載の配布装置。
【請求項１６】
前記配布装置は、さらに、
デジタル署名を施すための秘密鍵を記憶している秘密鍵記憶手段を備え、
前記生成手段は、さらに、前記秘密鍵を用いて、生成した第２電子チケットにデジタル署名を施して、署名データを生成し、生成した署名データを前記特典記録媒体へ出力する
ことを特徴とする請求項１３に記載の配布装置。
【請求項１７】
前記ユーザ端末は、映画鑑賞のサービスの提供を受ける、映画鑑賞のサービスの提供を受けた、又は映画鑑賞のサービスの提供及び映画データを含む映画コンテンツを記録しているパッケージ媒体を購入する際にサービスの提供を受けることを示す電子チケットを記憶している可搬型の特典記録媒体であって、
前記要求受取手段は、前記特典要求情報として前記電子チケットを受け取り、電子チケットの受け取りは、特典情報の要求とみなされ、
前記配布手段は、前記判断手段にて、前記電子チケットが示す内容が正当であると判断される場合に、前記配布特典記憶手段より特典情報を読み出し、読み出した特典情報を前記特典記録媒体へ配布する
ことを特徴とする請求項９に記載の配布装置。
【請求項１８】
前記電子チケットが映画鑑賞のサービスの提供を受けることを示す場合には、前記特典情報は映画に関連する映画特典であり、前記電子チケットが映画鑑賞のサービスの提供を受けたことを示す場合には、前記特典情報は映画データを含む映画コンテンツに関連するコンテンツ特典であり、前記電子チケットが映画鑑賞のサービスの提供及び映画データを含む映画コンテンツを記録しているパッケージ媒体を購入する際にサービスの提供を受けることを示す場合には、前記特典情報は映画特典及びコンテンツ特典である
ことを特徴とする請求項１７に記載の配布装置。
【請求項１９】
前記配布装置は、特典情報の配布を受けた利用者に係る利用者情報を管理する管理装置と接続されており、
前記配布装置は、さらに、
利用者情報を生成し、生成した利用者情報を前記管理装置へ出力する利用者情報生成手段を
備えることを特徴とする請求項９に記載の配布装置。
【請求項２０】
映画データを含む映画コンテンツを記録しているパッケージ媒体を販売するパッケージ販売装置であって、
ユーザ端末より、映画鑑賞のサービスの提供を受ける、映画鑑賞のサービスの提供を  受けた、又は映画鑑賞のサービスの提供及びパッケージ媒体を購入する際にサービスの  提供を受けることを示す電子チケットを受け取るチケット受取手段と、
受け取った電子チケットの内容に応じて、パッケージ媒体の販売価格を決定する決定手  段と
を備えることを特徴とするパッケージ販売装置。
【請求項２１】
前記パッケージ販売装置は、さらに、
前記電子チケットを有する利用者がパッケージ媒体を購入することにより付加される購入特典情報を記憶している購入特典記憶手段と、
パッケージ媒体の購入を示すパッケージ購入情報を前記ユーザ端末より受け取る購入情報受取手段と、
前記購入情報受取手段が、パッケージ購入情報を受け取った場合に、前記特典記憶手段より購入特典情報を読み出し、読み出した購入特典情報を前記ユーザ端末へ配布する特典配布手段と
を備えることを特徴とする請求項２０に記載のパッケージ販売装置。
【請求項２２】
前記パッケージ販売装置は、さらに、
前記電子チケットにデジタル署名を施した署名データに対して、署名検証を行うための公開鍵を記憶している公開鍵記憶手段を備え、
前記チケット受取手段は、さらに、署名データを取得し、
前記決定手段は、前記公開鍵を用いて、取得した署名データの署名検証を行い、署名検証により正当な電子チケットであると判断する場合に、受け取った電子チケットの内容に応じて、パッケージ媒体の販売価格を決定する
ことを特徴とする請求項２０に記載のパッケージ販売装置。
【請求項２３】
前記パッケージ販売装置は、購入特典情報の配布を受けた利用者に係る利用者情報を管理する管理装置と接続されており、
前記パッケージ販売装置は、さらに、
利用者情報を生成し、生成した利用者情報を前記管理装置へ出力する利用者情報生成手段を
備えることを特徴とする請求項２１に記載のパッケージ販売装置。
【請求項２４】
コンテンツサービスに係る特典情報を配布する配布装置と接続されるユーザ端末であって、
特典情報を要求する特典要求情報を前記配布装置へ出力する要求出力手段と、
前記配布装置にて前記特典要求情報が示す要求が正当であると判断される場合に、特典情報を前記配布装置より受け取る特典受取手段と、
受け取った特典情報を記憶する特典記憶手段と
を備えることを特徴とするユーザ端末。
【請求項２５】
前記特典記憶手段は、可搬型の特典記録媒体と、特典書込手段とからなり、
前記特典情報は、映画に関連する映画特典であり、
前記特典要求情報は、映画鑑賞のサービスの提供を受ける電子チケットの購入を示すとともに、前記映画に関連する映画特典を要求する購入情報であり、
前記特典受取手段は、前記配布装置にて前記購入情報が示す内容が正当であると判断される場合に、映画特典を前記配布装置より受け取り、
前記特典書込手段は、受け取った映画特典を前記特典記録媒体へ書き込む
ことを特徴とする請求項２４に記載のユーザ端末。
【請求項２６】
前記特典記憶手段は、可搬型の特典記録媒体と、特典書込手段とからなり、
前記特典情報は、映画に関連する映画特典、及び映画データを含む映画コンテンツに関連するコンテンツ特典であり、
前記特典要求情報は、映画鑑賞のサービスの提供及び映画コンテンツを記録しているパッケージ媒体を購入する際にサービスの提供を受ける電子チケットの購入を示すとともに、前記映画に関連する映画特典及び前記映画のデータを含む映画コンテンツに関連するコンテンツ特典を要求する購入情報であり、
前記特典受取手段は、前記配布装置にて前記購入情報が示す内容が正当であると判断される場合に、映画特典及びコンテンツ特典を前記配布装置より受け取り、
前記特典書込手段は、受け取った映画特典及びコンテンツ特典を前記特典記録媒体へ書き込む
ことを特徴とする請求項２４に記載のユーザ端末。
【請求項２７】
前記ユーザ端末は、映画鑑賞のサービスの提供を受ける電子チケットを記憶している可搬型の特典記録媒体であって、
前記特典情報は、映画データを含む映画コンテンツに関連するコンテンツ特典であり、
前記要求出力手段は、前記電子チケットが利用される場合に、前記電子チケットを前記配布装置へ出力し、前記電子チケットの出力は、特典情報の要求とみなされ、
前記特典受取手段は、前記配布装置にて前記電子チケットが示す内容が正当であると判断される場合に、コンテンツ特典を前記配布装置より受け取る
ことを特徴とする請求項２４のユーザ端末。
【請求項２８】
前記ユーザ端末は、映画鑑賞のサービスの提供を受ける、映画鑑賞のサービスの提供を受けた、又は映画鑑賞のサービスの提供及び映画データを含む映画コンテンツを記録しているパッケージ媒体を購入する際にサービスの提供を受けることを示す電子チケットを記憶している可搬型の特典記録媒体であって、
前記要求出力手段は、前記電子チケットを前記配布装置へ出力し、前記電子チケットの出力は、特典情報の要求とみなされ、
前記特典受取手段は、前記配布装置にて前記電子チケットが示す内容が正当であると判断される場合に、特典情報を前記配布装置より受け取る
ことを特徴とする請求項２４に記載のユーザ端末。
【請求項２９】
前記ユーザ端末は、さらに、
第１パスワードを記憶しているパスワード記憶手段と、
第２パスワードを受け取り、受け取った第２パスワードと前記第１パスワードとが一致するか否かを検証するパスワード検証手段と、
前記パスワード検証手段による検証結果が肯定的である場合に、当該ユーザ端末へのアクセスを許可する許可手段と
を備えることを特徴とする請求項２４に記載のユーザ端末。
【請求項３０】
前記ユーザ端末は、可搬型の特典記録媒体である
ことを特徴とする請求項２９に記載のユーザ端末。
【請求項３１】
コンテンツサービスに係る特典情報を記憶している可搬型の特典記録媒体が装着される再生装置であって、
装着された特典記録媒体より、特典情報を読み出す特典読出手段と、
読み出した特典情報を再生する再生手段と
を備えることを特徴とする再生装置。
【請求項３２】
前記特典情報は、映像音声データに係る第１情報であり、
前記再生装置は、さらに、
前記特典情報と対応付けられ、前記映像音声データに係る第２情報を記録しているパッケージ記録媒体より、第２情報を読み出すパッケージ読出手段を備え、
前記再生手段は、読み出した第１情報と第２情報とを合成して合成コンテンツを生成し、生成した合成コンテンツを再生する
ことを特徴とする請求項３１に記載の再生装置。
【請求項３３】
前記再生装置は、コンテンツサービスに係る特典情報を配布する配布装置とネットワーク接続され、
前記特典記録媒体は、映画鑑賞のサービスの提供を受ける、映画鑑賞のサービスの提供を受けた、又は映画鑑賞のサービスの提供及び映画データを含む映画コンテンツを記録しているパッケージ媒体を購入する際にサービスの提供を受けることを示す電子チケットを記憶しており、
前記再生装置は、さらに、
前記特典記録媒体より電子チケットを取得し、取得した電子チケットを前記特典管理装置へ出力するチケット出力手段と、
前記配布装置にて前記電子チケットが示す内容が正当であると判断される場合に、前記配布装置より特典情報を受信し、受信した特典情報を前記特典記録媒体へ書き込む特典受信手段と
を備えることを特徴とする請求項３１に記載の再生装置。
【請求項３４】
ユーザ端末へコンテンツサービスに係る特典情報を配布する配布装置に用いられる配布方法であって、
前記配布装置は、
コンテンツサービスに係る特典情報を記憶している配布特典記憶手段を備え、
前記配布方法は、
前記ユーザ端末より特典情報を要求する特典要求情報を受け取る要求受取ステップと、
受け取った特典要求情報が示す要求が正当であるか否かを判断する判断ステップと、
前記判断手段にて受け取った要求が正当であると判断される場合に、特典情報を読み出し、読み出した特典情報を前記ユーザ端末へ配布する配布ステップと
を含むことを特徴とする配布方法。
【請求項３５】
ユーザ端末へコンテンツサービスに係る特典情報を配布する配布装置に用いられる配布プログラムであって、
前記配布装置は、
コンテンツサービスに係る特典情報を記憶している配布特典記憶手段を備え、
前記配布プログラムは、
前記ユーザ端末より特典情報を要求する特典要求情報を受け取る要求受取ステップと、
受け取った特典要求情報が示す要求が正当であるか否かを判断する判断ステップと、
前記判断手段にて受け取った要求が正当であると判断される場合に、特典情報を読み出し、読み出した特典情報を前記ユーザ端末へ配布する配布ステップと
を含むことを特徴とする配布プログラム。
【請求項３６】
ユーザ端末へコンテンツサービスに係る特典情報を配布する配布装置に用いられる配布プログラムを記録しているコンピュータ読み取り可能な配布プログラム記録媒体であって、
前記配布装置は、
コンテンツサービスに係る特典情報を記憶している配布特典記憶手段を備え、
前記配布プログラムは、
前記ユーザ端末より特典情報を要求する特典要求情報を受け取る要求受取ステップと、
受け取った特典要求情報が示す要求が正当であるか否かを判断する判断ステップと、
前記判断手段にて受け取った要求が正当であると判断される場合に、特典情報を読み出し、読み出した特典情報を前記ユーザ端末へ配布する配布ステップと
を含むことを特徴とする配布プログラム記録媒体。
【請求項３７】
映画データを含む映画コンテンツを記録しているパッケージ媒体を販売するパッケージ販売装置に用いられる価格決定方法であって、
ユーザ端末より、映画鑑賞のサービスの提供を受ける、映画鑑賞のサービスの提供を受けた、又は映画鑑賞のサービスの提供及びパッケージ媒体を購入する際にサービスの提供を受けることを示す電子チケットを受け取るチケット受取ステップと、
受け取った電子チケットの内容に応じて、パッケージ媒体の販売価格を決定する決定ステップと
を含むことを特徴とする価格決定方法。
【請求項３８】
映画データを含む映画コンテンツを記録しているパッケージ媒体を販売するパッケージ販売装置に用いられる価格決定プログラムであって、
ユーザ端末より、映画鑑賞のサービスの提供を受ける、映画鑑賞のサービスの提供を受けた、又は映画鑑賞のサービスの提供及びパッケージ媒体を購入する際にサービスの提供を受けることを示す電子チケットを受け取るチケット受取ステップと、
受け取った電子チケットの内容に応じて、パッケージ媒体の販売価格を決定する決定ステップと
を含むことを特徴とする価格決定プログラム。
【請求項３９】
映画データを含む映画コンテンツを記録しているパッケージ媒体を販売するパッケージ販売装置に用いられる価格決定プログラムを記録しているコンピュータ読み取り可能な価格決定プログラム記録媒体であって、
前記価格決定プログラムは、
ユーザ端末より、映画鑑賞のサービスの提供を受ける、映画鑑賞のサービスの提供を受けた、又は映画鑑賞のサービスの提供及びパッケージ媒体を購入する際にサービスの提供を受けることを示す電子チケットを受け取るチケット受取ステップと、
受け取った電子チケットの内容に応じて、パッケージ媒体の販売価格を決定する決定ステップと
を含むことを特徴とする価格決定プログラム記録媒体。
【発明の詳細な説明】
【技術分野】
【０００１】
本発明は、電子チケットを用いてサービスを提供する技術に関する。
【背景技術】
【０００２】
電子チケットを用いてサービスの提供を行う電子チケットシステムが、特許文献１により開示されている。このシステムは、電子チケットを用いることにより、一つのサービス利用を前提にした他のサービス利用の際の料金割引を人為的かつ煩雑な手続きを経ることなく実現するシステムである。
また、その映画を映画館にて鑑賞したことを示す半券があれば、映画館の近くのレストランでの食事の代金が割引されるという割引サービスがある。
【特許文献１】特開２００２−３２４２５６号公報
【発明の開示】
【発明が解決しようとする課題】
【０００３】
しかしながら、上記の割引サービスでは、レストラン側では、食事をする利用者が増え、レストランサービスの拡販につながるという利点があるものの、映画を配給する業者側では、利点がない。そこで、映画や映像情報を記録した記録媒体などのコンテンツを提供するコンテンツ提供業者からコンテンツサービスの拡販につながるシステムの提供が求められている。
【０００４】
本発明は、上記課題に鑑み、コンテンツサービスの拡販につながる特典配布システム、配布装置、パッケージ販売装置、特典記録媒体、再生装置、特典を配布する配布方法、配布プログラム及び配布プログラム記録媒体、パッケージの販売価格を決定する価格決定方法、価格決定プログラム及び価格決定プログラム記録媒体を提供することを目的とする。
【課題を解決するための手段】
【０００５】
上記目的を達成するために、本発明は、ユーザ端末と、コンテンツサービスに係る特典情報を配布する配布装置とからなる特典配布システムであって、前記配布装置は、コンテンツサービスに係る特典情報を記憶している配布特典記憶手段と、前記ユーザ端末より特典情報を要求する特典要求情報を受け取る要求受取手段と、受け取った特典要求情報が示す要求が正当であるか否かを判断する判断手段と、前記判断手段にて受け取った要求が正当であると判断される場合に、特典情報を読み出し、読み出した特典情報を前記ユーザ端末へ配布する配布手段とを備え、前記ユーザ端末は、特典要求情報を前記配布装置へ出力する要求出力手段と、特典情報を前記配布装置より受け取る特典受取手段と、受け取った特典情報を記憶する特典記憶手段とを備えることを特徴とする。
【発明の効果】
【０００６】
課題を解決するための手段に示した構成によると、特典配布システムは、特典要求情報が示す要求が正当である場合には、コンテンツサービスに係る特典情報を配布することができる。これにより、コンテンツサービスの提供者は、特典情報を配布することにより、コンテンツサービスの拡販へつなげることができる。
ここで、前記特典記憶手段は、可搬型の特典記録媒体と、特典書込手段とからなり、前記特典情報は、映画に関連する映画特典であり、前記特典要求情報は、映画鑑賞のサービスの提供を受ける電子チケットの購入を示すとともに、前記映画に関連する映画特典を要求する購入情報であり、前記配布手段は、前記判断手段にて、受け取った購入情報が示す内容が正当であると判断される場合に、前記配布特典記憶手段より映画特典を読み出し、読み出した映画特典を前記ユーザ端末へ配布し、前記特典書込手段は、前記配布装置より受け取った映画特典を前記特典記録媒体へ書き込むとしてもよい。
【０００７】
この構成によると、特典配布システムの配布装置は、ユーザ端末より購入情報を受け取り、受け取った購入情報が示す内容が正当であると判断する場合に、映画特典をユーザ端末へ配布することができ、ユーザ端末は、配布された映画特典を特典記録媒体へ書き込むことができる。これにより、特典記録媒体を有する利用者は、電子チケットを購入する際に、映画特典を受け取ることができ、電子チケットを利用して映画館にて映画を鑑賞するまでの間、受け取った映画特典を利用して楽しむことができる。そのため、従来、映画チケットを予め購入してから映画を鑑賞するまでに期間があり、その期間の間、ユーザが映画鑑賞のサービスを受けたいという動機を保つことが困難であったが、受け取った映画特典を利用して楽しむことにより、ユーザが映画鑑賞のサービスを受けたいという動機を保つことが可能となる。
【０００８】
ここで、前記特典記憶手段は可搬型の特典記録媒体と、特典書込手段とからなり、前記特典情報は、映画に関連する映画特典、及び映画データを含む映画コンテンツに関連するコンテンツ特典であり、前記特典要求情報は、映画鑑賞のサービスの提供及び映画コンテンツを記録しているパッケージ媒体を購入する際にサービスの提供を受ける電子チケットの購入を示すとともに、前記映画に関連する映画特典及び前記映画のデータを含む映画コンテンツに関連するコンテンツ特典を要求する購入情報であり、前記配布手段は、前記判断手段にて、受け取った購入情報が示す内容が正当であると判断される場合に、前記配布特典記憶手段より映画特典及びコンテンツ特典を読み出し、読み出した映画特典及びコンテンツ特典を前記ユーザ端末へ配布し、前記特典書込手段は、前記配布装置より受け取った映画特典及びコンテンツ特典を前記特典記録媒体へ書き込むとしてもよい。
【０００９】
この構成によると、特典配布システムの配布装置は、ユーザ端末より購入情報を受け取り、受け取った購入情報が示す内容が正当であると判断する場合に、映画特典及びコンテンツ特典をユーザ端末へ配布することができ、ユーザ端末は、配布された映画特典及びコンテンツ特典を特典記録媒体へ書き込むことができる。これにより、特典記録媒体を有する利用者は、電子チケットを購入する際に、映画特典及びコンテンツ特典を受け取ることができ、受け取った映画特典及びコンテンツ特典を利用して楽しむことができる。そのため、従来、映画チケットを予め購入してから映画を鑑賞するまでに期間があり、その期間の間、ユーザが映画鑑賞のサービスを受けたいという動機を保つことが困難であったが、受け取った映画特典を利用して楽しむことにより、ユーザが映画鑑賞のサービスを受けたいという動機を保つことが可能となる。また、従来、鑑賞した映画のＤＶＤソフトやビデオソフトなどのパッケージは、映画の上映期間が終了してからある程度の期間（例えば、２ヶ月）が過ぎてから販売されため、映画を鑑賞してからパッケージが販売されるまでの間、ユーザがパッケージ購入の動機を保つことは困難であったが、受け取ったコンテンツ特典を利用して楽しむことにより、ユーザがパッケージ購入の動機を保つことが可能となる。
【００１０】
ここで、前記ユーザ端末は、映画鑑賞のサービスの提供を受ける第１電子チケットを記憶している可搬型の特典記録媒体であって、前記特典情報は、映画データを含む映画コンテンツに関連するコンテンツ特典であり、前記要求受取手段は、前記特典要求情報として前記第１電子チケットを受け取り、前記第１電子チケットの受け取りは、特典情報の要求とみなされ、前記要求出力手段は、前記第１電子チケットが利用される場合に、前記第１電子チケットを前記配布装置へ出力し、前記配布装置は、さらに、前記判断手段にて前記第１電子チケットが示す内容が正当であると判断される場合に、前記第１電子チケットを用いて、映画鑑賞のサービスを受けたことを示す第２電子チケットを生成し、前記特典記録媒体にて記憶している第１電子チケットを生成した第２電子チケットへと更新する生成手段を備え、前記配布手段は、前記判断手段にて前記第１電子チケットが示す内容が正当であると判断される場合に、前記配布特典記憶手段よりコンテンツ特典を読み出し、読み出したコンテンツ特典を前記特典記録媒体へ配布するとしてもよい。
【００１１】
この構成によると、特典配布システムの配布装置は、特典記録媒体に記憶されている第１電子チケットが示す内容が正当であると判断する場合に、コンテンツ特典を特典記録媒体へ配布することができる。正当な第１電子チケットを有する利用者は、第１電子チケットを利用する場合、つまり映画鑑賞のサービスを受ける場合に、コンテンツ特典を受け取ることができる。これにより、従来、鑑賞した映画のＤＶＤソフトやビデオソフトなどのパッケージは、映画の上映期間が終了してからある程度の期間（例えば、２ヶ月）が過ぎてから販売されため、映画を鑑賞してからパッケージが販売されるまでの間、ユーザがパッケージ購入の動機を保つことは困難であったが、受け取ったコンテンツ特典を利用して楽しむことにより、ユーザがパッケージ購入の動機を保つことが可能となる。
【００１２】
ここで、前記ユーザ端末は、映画鑑賞のサービスの提供を受ける、映画鑑賞のサービスの提供を受けた、又は映画鑑賞のサービスの提供及び映画データを含む映画コンテンツを記録しているパッケージ媒体を購入する際にサービスの提供を受けることを示す電子チケットを記憶している可搬型の特典記録媒体であって、前記要求受取手段は、前記特典要求情報として前記電子チケットを受け取り、前記電子チケットの受け取りは、特典情報の要求とみなされ、前記配布手段は、前記判断手段にて、前記電子チケットが示す内容が正当であると判断される場合に、前記配布特典記憶手段より特典情報を読み出し、読み出した特典情報を前記特典記録媒体へ配布するとしてもよい。
【００１３】
この構成によると、特典配布システムの配布装置は、特典記録媒体に記憶されている電子チケットが示す内容が正当であると判断する場合に、特典情報を特典記録媒体に配布することができる。これにより、特典記録媒体を有する利用者は、正当な電子チケットを有する場合に、特典情報を受け取ることができ、電子チケットを利用するまでの間、受け取った特典情報を利用して楽しむことができる。
【００１４】
ここで、前記特典配布システムは、さらに、映画データを含む映画コンテンツを記録しているパッケージ媒体を販売するパッケージ販売装置を含み、前記ユーザ端末は、さらに、映画鑑賞のサービスの提供を受ける、映画鑑賞のサービスの提供を受けた、又は映画鑑賞のサービスの提供及び映画コンテンツを記録しているパッケージ媒体を購入する際にサービスの提供を受けることを示す電子チケットを記憶しており、前記パッケージ販売装置は、前記ユーザ端末より電子チケットを受け取るチケット受取手段と、受け取った電子チケットの内容に応じて、パッケージ媒体の販売価格を決定する決定手段とを備えるとしてもよい。
【００１５】
この構成によると、特典配布システムは、パッケージ販売装置を用いることにより、電子チケットの内容に応じて、パッケージ媒体の販売価格を決定することができる。これにより、電子チケットを有する利用者は、当該電子チケットの内容に応じて決定された価格にてパッケージ媒体を購入することができる。つまり、特典配布システムは、利用者の利便性を高めることができる。
【００１６】
ここで、前記ユーザ端末は、可搬型の特典記録媒体であって、前記特典配布システムは、さらに、再生装置を含み、前記再生装置は、特典記録媒体より前記特典情報を読み出す特典読出手段と、読み出した特典情報を再生する再生手段とを備えるとしてもよい。
この構成によると、特典配布システムは、再生装置を用いることにより、特典記録媒体に記憶している特典情報を再生することができる。これにより、利用者は、特典情報を利用して楽しむことができる。
【００１７】
ここで、前記特典配布システムは、さらに、管理装置を含み、前記管理装置は、特典情報の配布を受けた利用者に係る利用者情報を記憶する利用者情報記憶手段と、前記配布装置より利用者情報を受け取り、受け取った利用者情報を前記利用者情報記憶手段へ書き込む利用者情報受取手段とを備え、前記配布装置は、さらに、利用者情報を生成し、生成した利用者情報を前記管理装置へ出力する利用者情報生成手段を備えるとしてもよい。
【００１８】
この構成によると、特典配布システムは、管理装置を用いて利用者情報を管理することができる。これにより、コンテンツサービスを提供する業者は、特典情報の配布を受けた利用者の動向を知ることができる。
また、本発明は、ユーザ端末へコンテンツサービスに係る特典情報を配布する配布装置であって、コンテンツサービスに係る特典情報を記憶している配布特典記憶手段と、前記ユーザ端末より特典情報を要求する特典要求情報を受け取る要求受取手段と、受け取った特典要求情報が示す要求が正当であるか否かを判断する判断手段と、前記判断手段にて受け取った要求が正当であると判断される場合に、特典情報を読み出し、読み出した特典情報を前記ユーザ端末へ配布する配布手段とを備えることを特徴とする。
【００１９】
この構成によると、配布装置は、特典要求情報が示す要求が正当である場合には、ユーザ端末へ特典情報を配布することができる。これにより、コンテンツサービスの提供者は、特典情報を配布することにより、コンテンツサービスの拡販へつなげることができる。
ここで、前記特典情報は、映画に関連する映画特典であり、前記特典要求情報は、映画鑑賞のサービスの提供を受ける電子チケットの購入を示すとともに、前記映画に関する映画特典を要求する購入情報であり、前記配布手段は、前記判断手段にて、受け取った購入情報が示す内容が正当であると判断される場合に、前記配布特典記憶手段より映画特典を読み出し、読み出した映画特典を前記ユーザ端末へ配布するとしてもよい。
【００２０】
この構成によると、配布装置は、ユーザ端末より購入情報を受け取り、受け取った購入情報が示す内容が正当であると判断する場合に、映画特典をユーザ端末へ配布することができる。そのため、従来、利用者が映画チケットを予め購入してから映画を鑑賞するまでに期間があり、その期間の間、ユーザが映画鑑賞のサービスを受けたいという動機を保つことが困難であったが、映画特典を配布することにより、利用者は、映画特典を利用して楽しむことができるため、映画鑑賞のサービスを受けたいという動機を保つことが可能となる。
【００２１】
ここで、前記配布装置は、さらに、デジタル署名を施すための秘密鍵を記憶している秘密鍵記憶手段と、前記秘密鍵を用いて、前記電子チケットを示すチケット情報にデジタル署名を施して、署名データを生成する署名データ生成手段とを備え、前記配布手段は、さらに、生成した署名データを前記ユーザ端末へ配布するとしてもよい。
この構成によると、配布装置は、チケット情報に対する署名データを配布することができる。これにより、コンテンツサービスを提供する業者は、利用者が購入する電子チケットのセキュリティを高めることができる。
【００２２】
ここで、前記特典情報は、映画に関連する映画特典、及び映画データを含む映画コンテンツに関連するコンテンツ特典であり、前記特典要求情報は、映画鑑賞のサービスの提供及び映画コンテンツを記録しているパッケージ媒体を購入する際にサービスの提供を受ける電子チケットの購入を示すとともに、前記映画に関連する映画特典及び前記映画のデータを含む映画コンテンツに関連するコンテンツ特典を要求する購入情報であり、前記配布手段は、前記判断手段にて、受け取った購入情報が示す内容が正当であると判断される場合に、前記配布特典記憶手段より映画特典及びコンテンツ特典を読み出し、読み出した映画特典及びコンテンツ特典を前記ユーザ端末へ配布するとしてもよい。
【００２３】
この構成によると、配布装置は、ユーザ端末より購入情報を受け取り、受け取った購入情報が示す内容が正当であると判断する場合に、映画特典及びコンテンツ特典をユーザ端末へ配布することができる。これにより、従来、利用者が映画チケットを予め購入してから映画を鑑賞するまでに期間があり、その期間の間、利用者が映画鑑賞のサービスを受けたいという動機を保つことが困難であったが、映画特典を配布することにより、利用者は、映画特典を利用して楽しむことにより、映画鑑賞のサービスを受けたいという動機を保つことが可能となる。また、従来、映画のＤＶＤソフトやビデオソフトなどのパッケージは、その映画の上映期間が終了してからある程度の期間（例えば、２ヶ月）が過ぎてから販売されため、利用者が映画を鑑賞してからパッケージが販売されるまでの間、パッケージ購入の動機を保つことは困難であったが、コンテンツ特典を配布することにより、利用者は、コンテンツ特典を利用して楽しむことにより、パッケージ購入の動機を保つことが可能となる。
【００２４】
ここで、前記ユーザ端末は、映画鑑賞のサービスの提供を受ける第１電子チケットを記憶している可搬型の特典記録媒体であり、前記特典情報は、映画データを含む映画コンテンツに関連するコンテンツ特典であり、前記要求受取手段は、利用者にて前記第１電子チケットが利用される場合に、前記特典要求情報として前記第１電子チケットを受け取り、前記第１電子チケットの受け取りは、特典情報の要求とみなされ、前記配布装置は、さらに、前記判断手段にて前記第１電子チケットが示す内容が正当であると判断される場合に、前記第１電子チケットを用いて、映画鑑賞のサービスを受けたことを示す第２電子チケットを生成し、前記特典記録媒体にて記憶している第１電子チケットを生成した第２電子チケットへと更新する生成手段を備え、前記配布手段は、前記判断手段にて前記第１電子チケットが示す内容が正当であると判断される場合に、前記配布特典記憶手段よりコンテンツ特典を読み出し、読み出したコンテンツ特典を前記特典記録媒体へ配布するとしてもよい。
【００２５】
この構成によると、配布装置は、第１電子チケットが示す内容が正当であると判断する場合に、コンテンツ特典を特典記録媒体へ配布することができる。これにより、従来、映画のＤＶＤソフトやビデオソフトなどのパッケージは、その映画の上映期間が終了してからある程度の期間（例えば、２ヶ月）が過ぎてから販売されため、利用者が映画を鑑賞してからパッケージが販売されるまでの間、パッケージ購入の動機を保つことは困難であったが、コンテンツ特典を配布することにより、利用者は、コンテンツ特典を利用して楽しむことにより、パッケージ購入の動機を保つことが可能となる。
【００２６】
ここで、前記第１電子チケットは、映画鑑賞のサービスの有効期限を含み、前記配布装置は、さらに、前記第１電子チケットに含まれる有効期限を用いて、当該第１電子チケットが有効期限内のものであるか否かを判断する期限判断手段を備え、前記判断手段は、前記期限判断手段にて前記第１電子チケットが有効期限内のものであると判断される場合に、前記第１電子チケットが示す内容が正当であると判断するとしてもよい。
【００２７】
この構成によると、配布装置は、第１電子チケットが有効期限内のものであると判断する場合に、第１電子チケットが示す内容が正当であると判断し、コンテンツ特典を特典記録媒体へ配布することができる。
ここで、前記特典記録媒体は、さらに、記憶している第１電子チケットにデジタル署名を施した署名データを記憶しており、前記配布装置は、さらに、署名データに対して、署名検証を行うための公開鍵を記憶している公開鍵記憶手段を備え、前記要求受取手段は、さらに、署名データを受け取り、前記公開鍵を用いて、受け取った署名データの署名検証を行い、前記判断手段は、前記要求受取手段による検証結果が肯定的なものである場合、及び前記期限判断手段にて前記第１電子チケットが有効期限内のものであると判断される場合に、前記第１電子チケットが示す内容が正当であると判断するとしてもよい。
【００２８】
この構成によると、配布装置は、第１電子チケットが有効期限内のものであると判断する場合、及び署名検証による検証結果が肯定的なものである場合に、第１電子チケットが示す内容が正当であると判断することができる。
ここで、前記配布装置は、さらに、デジタル署名を施すための秘密鍵を記憶している秘密鍵記憶手段を備え、前記生成手段は、さらに、前記秘密鍵を用いて、生成した第２電子チケットにデジタル署名を施して、署名データを生成し、生成した署名データを前記特典記録媒体へ出力するとしてもよい。
【００２９】
この構成によると、配布装置は、第２電子チケットに対する署名データを配布することができる。これにより、コンテンツサービスを提供する業者は、第２電子チケットのセキュリティを高めることができる。
ここで、前記ユーザ端末は、映画鑑賞のサービスの提供を受ける、映画鑑賞のサービスの提供を受けた、又は映画鑑賞のサービスの提供及び映画データを含む映画コンテンツを記録しているパッケージ媒体を購入する際にサービスの提供を受けることを示す電子チケットを記憶している可搬型の特典記録媒体であって、前記要求受取手段は、前記特典要求情報として前記電子チケットを受け取り、前記電子チケットの受け取りは、特典情報の要求とみなされ、前記配布手段は、前記判断手段にて、前記電子チケットが示す内容が正当であると判断される場合に、前記配布特典記憶手段より特典情報を読み出し、読み出した特典情報を前記特典記録媒体へ配布するとしてもよい。
【００３０】
この構成によると、配布装置は、特典記録媒体が記憶している電子チケットが示す内容が正当であると判断する場合に、特典情報を特典記録媒体へ配布することこができる。これにより、特典記録媒体を有する利用者は、正当な電子チケットを有する場合に、特典情報を受け取ることができ、電子チケットを利用するまでの間、受け取った特典情報を利用して楽しむことができる。
【００３１】
ここで、前記電子チケットが映画鑑賞のサービスの提供を受けることを示す場合には、前記特典情報は映画に関連する映画特典であり、前記電子チケットが映画鑑賞のサービスの提供を受けたことを示す場合には、前記特典情報は映画データを含む映画コンテンツに関連するコンテンツ特典であり、前記電子チケットが映画鑑賞のサービスの提供及び映画データを含む映画コンテンツを記録しているパッケージ媒体を購入する際にサービスの提供を受けることを示す場合には、前記特典情報は映画特典及びコンテンツ特典であるとしてもよい。
【００３２】
この構成によると、配布装置は、電子チケットが映画鑑賞のサービスの提供を受けることを示す場合には、映画特典を配布、電子チケットが映画鑑賞のサービスの提供を受けたことを示す場合には、コンテンツ特典を配布、電子チケットが映画鑑賞のサービスの提供及び映画に関連する映像コンテンツを記録しているパッケージ媒体を購入する際にサービスの提供を受けることを示す場合には、映画特典及びコンテンツ特典を配布することができる。
【００３３】
ここで、前記配布装置は、特典情報の配布を受けた利用者に係る利用者情報を管理する管理装置と接続されており、前記配布装置は、さらに、利用者情報を生成し、生成した利用者情報を前記管理装置へ出力する利用者情報生成手段を備えるとしてもよい。
この構成によると、配布装置は、管理装置へ利用者情報を出力することができる。
また、本発明は、映画データを含む映画コンテンツを記録しているパッケージ媒体を販売するパッケージ販売装置であって、ユーザ端末より、映画鑑賞のサービスの提供を受ける、映画鑑賞のサービスの提供を受けた、又は映画鑑賞のサービスの提供及びパッケージ媒体を購入する際にサービスの提供を受けることを示す電子チケットを受け取るチケット受取手段と、受け取った電子チケットの内容に応じて、パッケージ媒体の販売価格を決定する決定手段とを備えることを特徴とする。
【００３４】
この構成によると、パッケージ販売装置は、受け取った電子チケットの内容に応じたパッケージ販売価格を決定することができる。これにより、利用者は自身が有する電子チケットの内容に応じたパッケージ販売価格によりパッケージ媒体を購入することができるため、パッケージ販売装置は、利用者の利便性を高めることができる。
ここで、前記パッケージ販売装置は、さらに、前記電子チケットを有する利用者がパッケージ媒体を購入することにより付加される購入特典情報を記憶している購入特典記憶手段と、パッケージ媒体の購入を示すパッケージ購入情報を前記ユーザ端末より受け取る購入情報受取手段と、前記購入情報受取手段が、パッケージ購入情報を受け取った場合に、前記特典記憶手段より購入特典情報を読み出し、読み出した購入特典情報を前記ユーザ端末へ配布する特典配布手段とを備えるとしてもよい。
【００３５】
この構成によると、パッケージ販売装置は、受け取った電子チケットを有する利用者へ、購入特典情報を配布することができる。これにより、コンテンツサービスを提供する業者は、利用者の満足度を高めることができる。
ここで、前記パッケージ販売装置は、さらに、前記電子チケットにデジタル署名を施した署名データに対して、署名検証を行うための公開鍵を記憶している公開鍵記憶手段を備え、前記チケット受取手段は、さらに、署名データを取得し、前記決定手段は、前記公開鍵を用いて、取得した署名データの署名検証を行い、署名検証により正当な電子チケットであると判断する場合に、受け取った電子チケットの内容に応じて、パッケージ媒体の販売価格を決定するとしてもよい。
【００３６】
この構成によると、パッケージ販売装置は、受け取った電子チケットが正当なものであると判断する場合に、パッケージ媒体の価格を受け取った電子チケットの内容に応じて決定することができる。
ここで、前記パッケージ販売装置は、購入特典情報の配布を受けた利用者に係る利用者情報を管理する管理装置と接続されており、前記パッケージ販売装置は、さらに、利用者情報を生成し、生成した利用者情報を前記管理装置へ出力する利用者情報生成手段を備えるとしてもよい。
【００３７】
この構成によると、パッケージ販売装置は、管理装置へ利用者情報を出力することができる。
また、本発明は、コンテンツサービスに係る特典情報を配布する配布装置と接続されるユーザ端末であって、特典情報を要求する特典要求情報を前記配布装置へ出力する要求出力手段と、前記配布装置にて前記特典要求情報が示す要求が正当であると判断される場合に、特典情報を前記配布装置より受け取る特典受取手段と、受け取った特典情報を記憶する特典記憶手段とを備えることを特徴とする。
【００３８】
この構成によると、ユーザ端末は、特典要求情報を配布装置へ出力し、配布装置にて特典要求情報が示す要求が正当であると判断される場合に、特典情報を受け取ることができる。これにより、特典情報の配布を受けた利用者は、配布された特典情報を利用して楽しむことで、コンテンツサービスを受けたいという動機をもつことができる。つまり、コンテンツサービスの提供者から見ると、コンテンツサービスの拡販につながる。
【００３９】
ここで、前記特典記憶手段は、可搬型の特典記録媒体と、特典書込手段とからなり、前記特典情報は、映画に関連する映画特典であり、前記特典要求情報は、映画鑑賞のサービスの提供を受ける電子チケットの購入を示すとともに、前記映画に関連する映画特典を要求する購入情報であり、前記特典受取手段は、前記配布装置にて前記購入情報が示す内容が正当であると判断される場合に、映画特典を前記配布装置より受け取り、前記特典書込手段は、受け取った映画特典を前記特典記録媒体へ書き込むとしてもよい。
【００４０】
この構成によると、ユーザ端末は、購入情報を配布装置へ出力し、配布装置にて購入情報が示す内容が正当であると判断される場合に、映画特典を受け取ることができる。これにより、従来、利用者が映画チケットを予め購入してから映画を鑑賞するまでに期間があり、その期間の間、利用者が映画鑑賞のサービスを受けたいという動機を保つことが困難であったが、映画特典を配布することにより、利用者は、映画特典を利用して楽しむことにより、映画鑑賞のサービスを受けたいという動機を保つことが可能となる。
【００４１】
ここで、前記特典記憶手段は可搬型の特典記録媒体と、特典書込手段とからなり、前記特典情報は、映画に関連する映画特典、及び映画データを含む映画コンテンツに関連するコンテンツ特典であり、前記特典要求情報は、映画鑑賞のサービスの提供及び映画コンテンツを記録しているパッケージ媒体を購入する際にサービスの提供を受ける電子チケットの購入を示すとともに、前記映画に関連する映画特典及び前記映画のデータを含む映画コンテンツに関連するコンテンツ特典を要求する購入情報であり、前記特典受取手段は、前記配布装置にて前記購入情報が示す内容が正当であると判断される場合に、映画特典及びコンテンツ特典を前記配布装置より受け取り、前記特典書込手段は、受け取った映画特典及びコンテンツ特典を前記特典記録媒体へ書き込むとしてもよい。
【００４２】
この構成によると、ユーザ端末は、購入情報を配布装置へ出力し、配布装置にて購入情報が示す内容が正当であると判断される場合に、映画特典及びコンテンツ特典を受け取ることができる。これにより、従来、利用者が映画チケットを予め購入してから映画を鑑賞するまでに期間があり、その期間の間、利用者が映画鑑賞のサービスを受けたいという動機を保つことが困難であったが、映画特典を配布することにより、利用者は、映画特典を利用して楽しむことにより、映画鑑賞のサービスを受けたいという動機を保つことが可能となる。また、従来、映画のＤＶＤソフトやビデオソフトなどのパッケージは、その映画の上映期間が終了してからある程度の期間（例えば、２ヶ月）が過ぎてから販売されため、利用者が映画を鑑賞してからパッケージが販売されるまでの間、パッケージ購入の動機を保つことは困難であったが、コンテンツ特典を配布することにより、利用者は、コンテンツ特典を利用して楽しむことにより、パッケージ購入の動機を保つことが可能となる。
【００４３】
ここで、前記ユーザ端末は、映画鑑賞のサービスの提供を受ける電子チケットを記憶している可搬型の特典記録媒体であって、前記特典情報は、映画データを含む映画コンテンツに関連するコンテンツ特典であり、前記要求情報は、前記電子チケットであり、前記要求出力手段は、前記電子チケットが利用される場合に、前記電子チケットを前記配布装置へ出力し、前記電子チケットの出力は、特典情報の要求とみなされ、前記特典受取手段は、前記配布装置にて前記電子チケットが示す内容が正当であると判断される場合に、コンテンツ特典を前記配布装置より受け取るとしてもよい。
【００４４】
この構成によると、特典記録媒体は、電子チケットを利用する際に配布装置へ電子チケットを出力し、配布装置にて電子チケットが示す内容が正当であると判断される場合に、コンテンツ特典を受け取ることができる。これにより、従来、映画のＤＶＤソフトやビデオソフトなどのパッケージは、その映画の上映期間が終了してからある程度の期間（例えば、２ヶ月）が過ぎてから販売されため、利用者が映画を鑑賞してからパッケージが販売されるまでの間、パッケージ購入の動機を保つことは困難であったが、コンテンツ特典を配布することにより、利用者は、コンテンツ特典を利用して楽しむことにより、パッケージ購入の動機を保つことが可能となる。
【００４５】
ここで、前記ユーザ端末は、映画鑑賞のサービスの提供を受ける、映画鑑賞のサービスの提供を受けた、又は映画鑑賞のサービスの提供及び映画データを含む映画コンテンツを記録しているパッケージ媒体を購入する際にサービスの提供を受けることを示す電子チケットを記憶している可搬型の特典記録媒体であって、前記要求出力手段は、前記電子チケットを前記配布装置へ出力し、前記電子チケットの出力は、特典情報の要求とみなされ、前記特典受取手段は、前記配布装置にて前記電子チケットが示す内容が正当であると判断される場合に、特典情報を前記配布装置より受け取るとしてもよい。
【００４６】
この構成によると、特典記録媒体は、配布装置にて電子チケットが示す内容が正当であると判断される場合に、特典情報を受け取ることができる。これにより、特典記録媒体を有する利用者は、正当な電子チケットを有する場合に、特典情報を受け取ることができ、電子チケットを利用するまでの間、受け取った特典情報を利用して楽しむことができる。
ここで、前記ユーザ端末は、さらに、第１パスワードを記憶しているパスワード記憶手段と、第２パスワードを受け取り、受け取った第２パスワードと前記第１パスワードとが一致するか否かを検証するパスワード検証手段と、前記パスワード検証手段による検証結果が肯定的である場合に、当該ユーザ端末へのアクセスを許可する許可手段とを備えるとしてもよい。
【００４７】
この構成によると、ユーザ端末は、記憶している第１パスワードと受け付けた第２パスワードとが一致する場合に、当該ユーザ端末へのアクセスを許可することができる。これにより、第三者によるユーザ端末の不正利用を防止することができる。
ここで、前記ユーザ端末は、可搬型の特典記録媒体であるとしてもよい。
この構成によると、ユーザ端末は、特典記録媒体とすることができる。
【００４８】
また、本発明は、コンテンツサービスに係る特典情報を記憶している可搬型の特典記録媒体が装着される再生装置であって、装着された特典記録媒体より、特典情報を読み出す特典読出手段と、読み出した特典情報を再生する再生手段とを備えることを特徴とする。
この構成によると、再生装置は、特典記録媒体に記憶されている特典情報を再生することができる。これにより、特典記録媒体を有する利用者は、特典情報を利用して楽しむことができる。
【００４９】
ここで、前記特典情報は、映像音声データに係る第１情報であり、前記再生装置は、さらに、前記特典情報と対応付けられ、前記映像音声データに係る第２情報を記録しているパッケージ記録媒体より、第２情報を読み出すパッケージ読出手段を備え、前記再生手段は、読み出した第１情報と第２情報とを合成して合成コンテンツを生成し、生成した合成コンテンツを再生するとしてもよい。
【００５０】
この構成によると、再生装置は、特典記録媒体に記憶されている映像音声コンテンツに係る情報とコンテンツ記録媒体に記録されている特典映像コンテンツとを合成して、合成コンテンツを生成し、生成した合成コンテンツを再生することができる。これにより、特典記録媒体を有する利用者は、映像音声コンテンツに係る情報と特典映像コンテンツとを利用して楽しむことができる。
【００５１】
ここで、前記再生装置は、コンテンツサービスに係る特典情報を配布する配布装置とネットワーク接続され、前記特典記録媒体は、映画鑑賞のサービスの提供を受ける、映画鑑賞のサービスの提供を受けた、又は映画鑑賞のサービスの提供及び映画データを含む映画コンテンツを記録しているパッケージ媒体を購入する際にサービスの提供を受けることを示す電子チケットを記憶しており、前記再生装置は、さらに、前記特典記録媒体より電子チケットを取得し、取得した電子チケットを前記特典管理装置へ出力するチケット出力手段と、前記配布装置にて前記電子チケットが示す内容が正当であると判断される場合に、前記配布装置より特典情報を受信し、受信した特典情報を前記特典記録媒体へ書き込む特典受信手段とを備えるとしてもよい。
【００５２】
この構成によると、再生装置は、配布装置より特典情報を受け取り、受け取った特典情報を特典記録媒体へ書き込むことができる。これにより、利用者は、再生装置を配布装置とネットワーク接続して、特典配布装置より最新の特典情報を受け取ることができる。
【発明を実施するための最良の形態】
【００５３】
１．  第１の実施の形態
本発明に係る第１の実施の形態としての電子チケットシステム１について説明する。
１．１  電子チケットシステム１の構成
ここでは、電子チケットシステム１の構成について説明する。
電子チケットシステム１は、図１に示す第１サブシステム１０ａ、１０ｂ、・・・、１０ｃ及び第２サブシステム２０とから構成される。第１サブシステム１０ａは、通信端末装置２００、再生装置３００、メモリカード１００とから構成される。なお、第１サブシステム１０ｂ、・・・、１０ｃは、第１サブシステム１０ａと同様の構成である。第２サブシステム２０は、映画会社管理装置４００と、電子チケット販売装置５００ａ、５００ｂ、・・・、５００ｃと、電子チケット確認装置６００ａ、６００ｂ、・・・、６００ｃと、パッケージ販売装置７００ａ、７００ｂ、・・・、７００ｃとから構成される。電子チケット販売装置５００ａ、５００ｂ、・・・、５００ｃ及びパッケージ販売装置７００ａ、７００ｂ、・・・、７００ｃは、第１サブシステム１０ａ、１０ｂ、・・・、１０ｃが有する通信端末装置がインターネットを介してネットワーク接続を行うために、インターネットのアドレスが対応付けられている。第１サブシステム１０ａ、１０ｂ、・・・、１０ｃが有する通信端末装置は、電子チケットを購入する場合には、電子チケット販売装置５００ａ、５００ｂ、・・・、５００ｃと対応付けられたインターネットのアドレスにうち１つのインターネットのアドレスを用いて、そのアドレスに対応付けられた電子チケット販売装置とインターネットを介してネットワーク接続され、パッケージを購入する場合には、パッケージ販売装置７００ａ、７００ｂ、・・・、７００ｃと対応付けられたインターネットのアドレスのうち１つのインターネットのアドレスを用いて、そのアドレスに対応付けられたパッケージ販売装置とインターネットを介してネットワーク接続される。映画会社管理装置４００は、電子チケット販売装置５００ａ、５００ｂ、・・・、５００ｃ、電子チケット確認装置６００ａ、６００ｂ、・・・、６００ｃ及びパッケージ販売装置７００ａ、７００ｂ、・・・、７００ｃと専用線を介してネットワーク接続されている。
【００５４】
メモリカード１００は、利用者本人であることの認証を行う認証機能を備え、電子チケットに関する情報、購入時の特典に関する情報、電子チケット利用時の特典に関する情報などを記憶している。メモリカード１００の一例は、ＩＣカード機能付きメモリカードである。
なお、第１サブシステム１０ｂ、・・・、１０ｃが有するメモリカードは、メモリカード１００と同様の機能を備え、且つメモリカード１００と同様の情報を記憶をしているため説明は省略する。
【００５５】
通信端末装置２００は、メモリカード１００の取り付け及び取り外しが可能であり、電子チケット購入時には、メモリカード１００を装着し、メモリカード１００の認証後、電子チケット購入に関する情報をインターネットを介して接続されている電子チケット販売装置へ送信し、電子チケットに関する情報及び電子チケット購入時の特典に関する情報を前記電子チケット販売装置から受信する。また、パッケージ購入時には、メモリカード１００を装着し、メモリカード１００の認証後、パッケージ購入に関する情報をインターネットを介して接続されているパッケージ販売装置へ送信し、購入結果に関する情報を前記パッケージ販売装置から受信する。ここで、通信端末装置２００は、一例として、メモリカード１００の取り付け及び取り外しが可能なＰＤＡ（Ｐｅｒｓｏｎａｌ  Ｄｉｇｉｔａｌ  Ａｓｓｉｓｔａｎｔｓ）である。
【００５６】
なお、第１サブシステム１０ｂ、・・・、１０ｃが有する通信端末装置は、通信端末装置２００と同様の動作を行うため説明は省略する。
再生装置３００は、メモリカード１００、購入したパッケージに記憶されている画像データ、音声データの再生を行う。
なお、第１サブシステム１０ｂ、・・・、１０ｃが有する再生装置は、再生装置３００と同様の動作を行うため説明は省略する。
【００５７】
映画会社管理装置４００は、電子チケット販売装置５００ａ、５００ｂ、・・・、５００ｃ、電子チケット確認装置６００ａ、６００ｂ、・・・、６００ｃ及びパッケージ販売装置７００ａ、７００ｂ、・・・、７００ｃから利用者に関する情報を受信し、受信した情報を管理する。
電子チケット販売装置５００ａは、映画会社又はチケット販売を行う会社にて管理されており、インターネット接続されている通信端末装置から電子チケット購入に関する情報を受信し、受信した情報から電子チケットの発行及び購入時の特典に関する情報を生成し、発行された電子チケットの情報及び生成された購入時の特典に関する情報を電子チケットの購入要求のあった通信端末装置へ送信する。また、電子チケットを購入した利用者に関する情報を映画会社管理装置４００へ送信する。
【００５８】
なお、電子チケット販売装置５００ｂ、・・・、５００ｃは、電子チケット販売装置５００ａと同様の動作を行うため、説明は省略する。
電子チケット確認装置６００ａは映画館にて管理されており、利用者が映画館へ入場する場合に電子チケットを記憶したメモリカード１００が挿入される。電子チケット確認装置６００ａは、電子チケットを利用したことを示す情報と利用時の特典に関する情報を挿入されたメモリカード１００へ書き込む。また、電子チケットを利用した利用者に関する情報を映画会社管理装置４００へ送信する。
【００５９】
なお、電子チケット確認装置６００ｂ、・・・、６００ｃは、電子チケット確認装置６００ａと同様の動作を行うため、説明は省略する。
パッケージ販売装置７００ａは、映画会社又はパッケージ販売を行う会社にて管理されており、インターネット接続された通信端末装置からパッケージ購入に関する情報を受信し、受信した情報からパッケージ購入に関する処理を行い、処理結果をパッケージ購入要求のあった通信端末装置へ送信する。また、パッケージを購入した利用者に関する情報を映画会社管理装置４００へ送信する。
【００６０】
なお、パッケージ販売装置７００ｂ、・・・、７００ｃは、パッケージ販売装置７００ａと同様の動作を行うため、説明は省略する。
１．２  メモリカード１００の構成
ここでは、メモリカード１００の構成について説明する。
メモリカード１００は、図２に示す認証部１０１、ユーザＩＤ記憶部１０２、電子チケット情報記憶部１０３、購入特典情報記憶部１０４、利用特典情報記憶部１０５及び入出力部１０６とから構成されている。
【００６１】
メモリカード１００は、具体的には、マイクロプロセッサ、ＲＯＭ、ＲＡＭなどから構成されるコンピュータシステムである。前記ＲＯＭには、コンピュータプログラムが記憶されている。前記マイクロプロセッサは、前記コンピュータプログラムに従って動作することにより、メモリカード１００は、その機能を達成する。
なお、第１サブシステム１０ｂ、・・・、１０ｃが有するメモリカードは、メモリカード１００と同様の構成を有しているため、説明は省略する。
【００６２】
１．２．１  認証部１０１
認証部１０１は、メモリカード１００の使用の可否を判断するためのパスワードをあらかじめ記憶している。
認証部１０１は、通信端末装置２００にメモリカード１００が取り付けられた場合に、利用者本人のメモリカードであるか否かの認証を行うために、通信端末装置２００からパスワードを入出力部１０６を介して受け取る。受け取ったパスワードとあらかじめ記憶しているパスワードとを比較し、一致する場合には、メモリカード１００に対するデータの読み出し及び書き込みを可能とするとともに、メモリカード１００の使用可能を示す使用可能情報を入出力部１０６を介して通信端末装置２００へ出力する。一致しない場合には、データの読み出し及び書き込みを不可とするとともに、メモリカード１００の使用不可を示す使用不可情報を入出力部１０６を介して通信端末装置２００へ出力する。
【００６３】
なお、メモリカード１００が再生装置３００に取り付けられた場合及び電子チケット確認装置６００ａ、６００ｂ、・・・、６００ｃに取り付けられた場合にも、通信端末装置２００へ取り付けられた場合と同様の認証を行う。
１．２．２  ユーザＩＤ記憶部１０２
ユーザＩＤ記憶部１０２は、利用者を識別するユーザＩＤを記憶しており、ユーザＩＤの記憶後は、変更できない。
【００６４】
１．２．３  電子チケット情報記憶部１０３
電子チケット情報記憶部１０３は、図３に一例として示すように電子チケット情報テーブルＴ１００を有している。
電子チケット情報テーブルＴ１００は、タイトルＩＤ、有効期限、販売店ＩＤ、署名データ１、映画館ＩＤ、署名データ２からなる組を一個以上記憶するための領域を備えている。
【００６５】
タイトルＩＤは、映画を識別するための識別子であり、電子チケット購入時に書き込まれる。
有効期限は、電子チケットを利用できる期限を示す年月日であり、電子チケット購入時に書き込まれる。
販売店ＩＤは、販売店を識別するための識別子であり、電子チケット購入時に書き込まれる。
【００６６】
署名データ１は、タイトルＩＤと有効期限にデジタル署名を施して生成された第１署名データであり、電子チケット購入時に電子チケット販売装置により書き込まれる。
映画館ＩＤは、映画館を識別するための識別子であり、電子チケット利用時に書き込まれる。
署名データ２は、タイトルＩＤと有効期限にデジタル署名を施して生成された第２署名データであり、電子チケット利用時に電子チケット確認装置により書き込まれる。
【００６７】
１．２．４  購入特典情報記憶部１０４
購入特典情報記憶部１０４は、図４に一例として示すように購入特典情報テーブルＴ１１０を有している。
購入特典情報テーブルＴ１１０は、タイトルＩＤ、音声データ１、割引データ、限定データ１からなる組を一個以上記憶するための領域を備えている。
【００６８】
タイトルＩＤは、映画を識別するための識別子である。
音声データ１は、タイトルＩＤに対応付けられた映画の予告編の音声データ名称が登録されている。
割引データは、タイトルＩＤに対応付けられたパッケージを購入する場合に割引される金額が登録されている。
【００６９】
限定データ１は、電子チケットの購入者のみが利用できる情報が登録されている。一例として、電子チケット購入者のみが利用できるネットワークサービスのアドレス、ネットワークサービスを受けるためのログイン名及びパスワードが登録されている。
電子チケットの購入者は、限定データ１に記憶されているネットワークサービスのアドレス、ネットワークサービスを受けるためのログイン名及びパスワードを用いて、ネットワークサービス上の掲示板などのコミュニティに参加することができたり、映画公開前や映画公開後に映画グッズをオンラインで購入ができるようになる。
【００７０】
さらに、購入特典情報記憶部１０４は、購入特典情報テーブルＴ１１０の音声データ１項目に登録されている映画予告編の音声データ名称と対応付けられた映画予告編の音声データをも記憶している。
１．２．５  利用特典情報記憶部１０５
利用特典情報記憶部１０５は、図５に一例として示すように利用特典情報テーブルＴ１２０を有している。
【００７１】
利用特典情報テーブルＴ１２０は、タイトルＩＤ、音声データ２、限定データ２及び付加情報からなる組を一個以上記憶するための領域を備えている。
タイトルＩＤは、映画を識別するための識別子である。
音声データ２は、タイトルＩＤに対応付けられた映画のパッケージ予告編の音声データ名称が登録されている。
【００７２】
限定データ２は、パッケージ購入に対するサービスに関する情報がある場合には、その情報が登録されている。一例として、限定版のパッケージケースにて購入できる権利を示す情報である。パッケージ購入に対するサービスに関する情報がない場合には、空白となる。
付加情報は、パッケージ購入に関して付加価値的な情報がある場合には、その情報が登録されている。一例として、パッケージ購入時に試供品パッケージを受け取ることができる権利を示す情報である。パッケージ購入に関して付加価値的な情報がない場合には、空白となる。
【００７３】
電子チケットの利用者は、限定データ２に記憶された情報により、豪華版パッケージの購入が可能となり、また、付加情報に記憶された情報により、パッケージの他におまけパッケージを入手することができる。
さらに、利用特典情報記憶部１０５は、利用特典情報テーブルＴ１２０の音声データ２項目に登録されているパッケージ予告編の音声データ名称と対応付けられたパッケージ予告編の音声データをも記憶している。
【００７４】
１．２．６  入出力部１０６
入出力部１０６は、メモリカード１００が通信端末装置２００に挿入された場合には、通信端末装置２００から受け取ったパスワードを認証部１０１へ出力する。また、メモリカード１００が再生装置３００に挿入された場合及び電子チケット確認装置６００ａ、６００ｂ、・・・、６００ｃに挿入された場合も同様に受け取ったパスワードを認証部１０１へ出力する。
【００７５】
また、メモリカード１００が挿入されている装置にて行われるメモリカード１００内のデータの読み出し及びメモリカード１００内へのデータの書き込みは、入出力部１０６を介して行われる。
１．３  通信端末装置２００の構成
ここでは、通信端末装置２００の構成について説明する。
【００７６】
通信端末装置２００は、図６に示す入力部２０１、制御部２０２、表示部２０３、入出力部２０４及び送受信部２０５とから構成されている。
通信端末装置２００は、具体的には、マイクロプロセッサ、ＲＯＭ、ＲＡＭ、ディスプレイユニットなどから構成されるコンピュータシステムである。前記ＲＯＭには、コンピュータプログラムが記憶されている。前記マイクロプロセッサは、前記コンピュータプログラムに従って動作することにより、通信端末装置２００は、その機能を達成する。
【００７７】
なお、第１サブシステム１０ｂ、・・・、１０ｃが有する通信端末装置は、通信端末装置２００と同様の構成を有しているため、説明は省略する。
１．３．１  入力部２０１
ここでは、入力部２０１について説明する。
（Ａ）  メモリカード１００の認証の場合
メモリカード１００が通信端末装置２００に挿入された場合に、入力部２０１は、メモリカード１００の認証を行うためにパスワードを受け付け、受け付けたパスワードを制御部２０２へ出力する。
【００７８】
（Ｂ）  電子チケット購入の場合
入力部２０１は、電子チケットの購入を行うため、電子チケット販売装置５００ａ、５００ｂ、・・・、５００ｃと対応付けられたインターネットのアドレスのうち１つのアドレスを受け付け、受け付けたアドレスを制御部２０２へ出力する。
受け付けたアドレスと対応付けられた電子チケット販売装置とネットワーク接続が完了した後、映画のタイトルＩＤを受け付け、受け付けたタイトルＩＤを制御部２０２へ出力する。
【００７９】
電子チケットの購入の決済を行う場合には、タイトルＩＤと、電子チケット購入の決済を行うことを示す情報と、電子チケット購入に対する支払方法を示す情報とからなるチケット支払方法情報を受け付け、受け付けたチケット支払方法情報を制御部２０２へ出力する。電子チケットの購入を中止する場合には、タイトルＩＤと、購入中止を示す情報とからなるキャンセル情報を受け付け、受け付けたキャンセル情報を制御部２０２へ出力する。
【００８０】
ここで、電子チケット購入に対する支払方法は、現金払い、クレジットカードによる支払い、電子マネーによる支払いなどいずれの手段であってもよい。
（Ｃ）  パッケージ購入の場合
入力部２０１は、パッケージの購入を行うため、パッケージ販売装置７００ａ、７００ｂ、・・・、７００ｃと対応付けられたインターネットのアドレスのうち１つのアドレスを受け付け、受け付けたアドレスを制御部２０２へ出力する。
【００８１】
受け付けたアドレスと対応付けられたパッケージ販売装置とネットワーク接続が完了した後、入力部２０１は、映画のタイトルＩＤを受け付け、受け付けたタイトルＩＤを制御部２０２へ出力する。
パッケージ購入の決済を行う場合には、タイトルＩＤと、パッケージ購入の決済を行うことを示す情報と、パッケージ購入に対する支払方法を示す情報とからなるパッケージ支払方法情報を受け付け、受け付けたパッケージ支払方法情報を制御部２０２へ出力する。パッケージ購入を中止する場合には、タイトルＩＤと、購入中止を示す情報とからなるキャンセル情報を受け付け、受け付けたキャンセル情報を制御部２０２へ出力する。
【００８２】
ここで、パッケージ購入に対する支払方法は、現金払い、クレジットカードによる支払い、電子マネーによる支払いなどいずれの手段であってもよい。
１．３．２  制御部２０２
ここでは、制御部２０２について説明する。
（Ａ）  メモリカード１００の認証の場合
制御部２０２は、入力部２０１より認証を行うためのパスワードを受け取ると、受け取ったパスワードを入出力部２０４を介して、メモリカード１００へ出力する。また、メモリカード１００より入出力部２０４を介して、認証結果として使用可能情報を受け取った場合には、受け取った使用可能情報を表示部２０３へ出力し、認証結果として使用不可情報を受け取った場合には、受け取った使用不可情報を表示部２０３へ出力する。
【００８３】
（Ｂ）  電子チケット購入の場合
制御部２０２は、入力部２０１より、インターネットのアドレスを受け取り、受け取ったアドレスを用いて、送受信部２０５を介して受け取ったアドレスと対応付けられた電子チケット販売装置とのネットワーク接続を行う。なお、ここでは、電子チケット販売装置５００ａとインターネットを介してネットワーク接続されたものとして説明を行う。
【００８４】
制御部２０２は、入力部２０１より、タイトルＩＤを受け取る。次に、メモリカード１００よりユーザＩＤを取得し、取得したユーザＩＤと入力部２０１より受け取ったタイトルＩＤとからなるチケット購入依頼情報を送受信部２０５を介して電子チケット販売装置５００ａへ送信する。次に、電子チケット販売装置５００ａから送受信部２０５を介して、ユーザＩＤ、タイトルＩＤ、電子チケットの有効期限、映画予告編の音声データ名称、パッケージ割引、電子チケット購入時の限定データ及び電子チケットの代金からなるチケット購入確認情報を受信し、受信したチケット購入確認情報を一時的に記憶しておくとともに、表示部２０３へ出力する。
【００８５】
入力部２０１より、チケット支払方法情報を受け取った場合には、受け取ったチケット支払方法情報とユーザＩＤとからなるチケット課金依頼情報を生成し、生成したチケット課金依頼情報を電子チケット販売装置５００ａへ送受信部２０５を介して送信する。
キャンセル情報を受け取った場合には、受け取ったキャンセル情報とユーザＩＤとからなるチケット課金中止情報を生成し、生成したチケット課金中止情報を電子チケット販売装置５００ａへ送受信部２０５を介して送信する。
【００８６】
制御部２０２は、電子チケット販売装置５００ａから送受信部２０５を介して、電子チケットの購入手続きの完了の旨を示すチケット購入完了情報と、販売店ＩＤ及び第１署名データとからなる署名データ情報と映画予告編の音声データとを含むチケット購入確定情報を受信した場合には、受信したチケット購入完了情報を表示部２０３へ出力するとともに、受信した署名データ情報及び一時的に記憶しているチケット購入確認情報を用いて、タイトルＩＤと電子チケットの有効期限と販売店ＩＤと第１署名データとからなる購入チケット情報を生成する。生成された購入チケット情報に含まれるタイトルＩＤと有効期限と販売店ＩＤ及び第１署名データを電子チケット情報テーブルＴ１００のタイトルＩＤ項目、有効期限項目、販売店ＩＤ項目及び署名データ１項目へそれぞれ書き込む。さらに、一時的に記憶しているチケット購入確認情報を用いて、タイトルＩＤ、映画予告編の音声データ、割引データ及び限定データからなる購入特典情報を生成し、生成した購入特典情報を購入特典情報テーブルＴ１１０へ書き込み、受信した映画予告編の音声データを購入特典情報記憶部１０４へ書き込む。さらに、一時的に記憶しているチケット購入確認情報を破棄する。
【００８７】
購入中止の手続きの完了の旨を示すチケット購入中止情報を受信した場合には、受信したチケット購入中止情報を表示部２０３へ出力するとともに、一時的に記憶しているチケット購入確認情報を破棄する。
（Ｃ）  パッケージ購入の場合
制御部２０２は、入力部２０１より、インターネットのアドレスを受け取り、受け取ったアドレスを用いて、送受信部２０５を介して対応付けられたパッケージ販売装置とのネットワーク接続を行う。なお、ここでは、パッケージ販売装置７００ａとインターネットを介してネットワーク接続されたものとして説明を行う。
【００８８】
制御部２０２は、入力部２０１より、タイトルＩＤを受け取る。次に、メモリカード１００よりユーザＩＤを取得する。受け取ったタイトルＩＤと一致するタイトルＩＤと、タイトルＩＤと対応付けられた有効期限、映画館ＩＤ及び第２署名データとからなる組を電子チケット情報テーブルＴ１００から取得する。ただし、電子チケット未使用時には、取得した映画館ＩＤ及び第２署名データは空白である。次に、受け取ったタイトルＩＤを用いて、購入特典情報テーブルＴ１１０から受け取ったタイトルＩＤと一致するタイトルＩＤと、タイトルＩＤと対応付けられた割引データとからなる組を取得する。
【００８９】
次に、以下のようにして、パッケージ購入依頼情報を生成する。
電子チケット情報テーブルＴ１００から取得した映画館ＩＤ及び第２署名データが空白であるか否かを確認することにより、電子チケットが利用されているか否かの判断を行い、利用されている場合には、利用特典情報テーブルＴ１２０から受け取ったタイトルＩＤと一致するタイトルＩＤと、タイトルＩＤと対応付けられた限定データ２及び付加情報とからなる組を取得する。入力部２０１より受け取ったタイトルＩＤと、取得したユーザＩＤと、電子チケット情報テーブルＴ１００、購入特典情報テーブルＴ１１０及び利用特典情報テーブルＴ１２０から取得した情報とを用いて、ユーザＩＤ、タイトルＩＤ、有効期限、映画館ＩＤ、第２署名データ、割引データ、限定データ２及び付加情報とからなるパッケージ購入依頼情報を生成する。
【００９０】
電子チケットが利用されていない場合には、入力部２０１より受け取ったタイトルＩＤと、取得したユーザＩＤと、電子チケット情報テーブルＴ１００及び購入特典情報テーブルＴ１１０から取得した情報とを用いて、ユーザＩＤ、タイトルＩＤ、有効期限、映画館ＩＤ、第２署名データ及び割引データとからなるパッケージ購入依頼情報を生成する。なお、生成したパッケージ購入依頼情報に含まれる映画館ＩＤ、第２署名データは空白である。
【００９１】
生成したパッケージ購入依頼情報をパッケージ販売装置７００ａへ送受信部２０５を介して送信する。
次に、電子チケットが利用されている場合には、パッケージ販売装置７００ａから送受信部２０５を介して、ユーザＩＤ、タイトルＩＤ、送信したパッケージ購入依頼情報に含まれる限定データ２と付加情報とを用いて決定された購入するパッケージの形態に関する情報及びパッケージの代金からなるパッケージ購入確認情報を受信し、受信したパッケージ購入確認情報を表示部２０３へ出力する。電子チケットが利用されていない場合には、ユーザＩＤ、タイトルＩＤ及びパッケージの代金からなるパッケージ購入確認情報を受信し、受信したパッケージ購入確認情報を表示部２０３へ出力する。
【００９２】
入力部２０１より、パッケージ支払方法情報を受け取った場合には、受け取ったパッケージ支払方法情報とユーザＩＤとからなるパッケージ課金依頼情報を生成し、パッケージ販売装置７００ａへ送受信部２０５を介して送信する。キャンセル情報を受け取った場合には、受け取ったキャンセル情報とユーザＩＤとからなるパッケージ課金中止情報を生成し、パッケージ販売装置７００ａへ送受信部２０５を介して送信する。
【００９３】
さらに、パッケージ販売装置７００ａから送受信部２０５を介して、パッケージ購入手続きが完了した旨を示すパッケージ購入完了情報を受信した場合には、受信したパッケージ購入完了情報を表示部２０３へ出力し、パッケージ購入不可を示すパッケージ購入不可情報を受信した場合には、受信したパッケージ購入不可情報を表示部２０３へ出力し、購入中止の手続きの完了の旨を示すパッケージ購入中止情報を受信した場合には、受信したパッケージ購入中止情報を表示部２０３へ出力する。
【００９４】
１．３．３  表示部２０３
ここでは、表示部２０３について説明する。
（Ａ）  メモリカード１００の認証の場合
表示部２０３は、制御部２０２から使用可能情報を受け取った場合には、受け取った使用可能情報を表示し、利用者に通知する。また、使用不可情報を受け取った場合には、受け取った使用不可情報を表示し、利用者に通知する。
【００９５】
（Ｂ）  電子チケット購入の場合
表示部２０３は、制御部２０２から、チケット購入確認情報を受け取った場合には、チケット購入確認情報を電子チケット販売装置５００ａより受信した旨を示すメッセージを表示し、利用者にチケット支払方法情報の入力又は、キャンセル情報の入力を促す。また、制御部２０２からチケット購入完了情報を受け取った場合には、チケット購入完了情報を電子チケット販売装置５００ａより受信した旨を示すメッセージを表示し、チケット購入中止情報を受け取った場合には、チケット購入中止情報を電子チケット販売装置５００ａより受信した旨を示すメッセージを表示する。
【００９６】
（Ｃ）  パッケージ購入の場合
表示部２０３は、制御部２０２から、パッケージ購入確認情報を受け取った場合には、パッケージ購入確認情報をパッケージ販売装置７００ａより受信した旨を示すメッセージを表示し、利用者にパッケージ支払方法情報の入力又は、キャンセル情報の入力を促す。また、制御部２０２からパッケージ購入完了情報を受け取った場合には、パッケージ購入完了情報をパッケージ販売装置７００ａより受信した旨を示すメッセージを表示し、パッケージ購入不可情報を受け取った場合には、パッケージ購入不可情報をパッケージ販売装置７００ａより受信した旨を示すメッセージを表示し、パッケージ購入中止情報を受け取った場合には、パッケージ購入中止情報をパッケージ販売装置７００ａより受信した旨を示すメッセージを表示する。
【００９７】
１．３．４  入出力部２０４
入出力部２０４は、制御部２０２とメモリカード１００との間の情報の入出力及び入力部２０１とメモリカード１００との間の情報の入出力を行う。
１．３．５  送受信部２０５
送受信部２０５は、電子チケットの購入の場合には、制御部２０２から受け取った情報を電子チケット販売装置５００ａへ送信し、電子チケット販売装置５００ａから受信した情報を制御部２０２へ出力する。パッケージ購入の場合には、制御部２０２から受け取った情報をパッケージ販売装置７００ａへ送信し、パッケージ販売装置７００ａから受信した情報を制御部２０２へ出力する。
【００９８】
１．４  再生装置３００の構成
ここでは、再生装置３００の構成について説明する。
再生装置３００は、図７に示す入力部３０１、制御部３０２、出力部３０３、第１アクセス部３０４及び第２アクセス部３０５とから構成されている。
再生装置３００は、具体的には、マイクロプロセッサ、ＲＯＭ、ＲＡＭ、ハードディスクユニットなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、再生装置３００は、その機能を達成する。
【００９９】
なお、利用者が購入したパッケージには、映画の映像音声データであるコンテンツだけでなく、映画を識別するためのタイトルＩＤ、映画予告編映像データ及びパッケージ予告編映像データがあらかじめ記憶されている。映画予告編の再生を行う場合には、購入したパッケージと映画予告編音声データが記憶されたメモリカード１００の双方とも挿入し、パッケージ予告編の再生を行う場合には、購入したパッケージとパッケージ予告編音声データが記憶されたメモリカード１００の双方とも挿入する。
【０１００】
再生装置３００は、図７に図示していないが、テレビなどのディスプレイ装置と接続されており、接続されたディスプレイ装置から映像、音声が出力される。
なお、第１サブシステム１０ｂ、・・・、１０ｃが有する再生装置は、再生装置３００と同様の構成を有しているため、説明は省略する。
１．４．１  入力部３０１
ここでは、入力部３０１について説明する。
【０１０１】
（Ａ）  メモリカード１００の認証の場合
メモリカード１００が再生装置３００に挿入された場合には、入力部３０１は、メモリカード１００の認証を行うためにパスワードを受け付け、受け付けたパスワードを制御部３０２へ出力する。
（Ｂ）  映画予告編の再生の場合
入力部３０１は、パッケージ及びメモリカード１００を挿入し、メモリカード１００の認証後、映画予告編の再生の依頼を示す情報と再生したいタイトルＩＤとからなる第１再生依頼情報を受け付ける。受け付けた第１再生依頼情報を制御部３０２へ出力する。
【０１０２】
（Ｃ）  パッケージ予告編の再生の場合
入力部３０１は、パッケージ及びメモリカード１００を挿入し、メモリカード１００の認証後、パッケージ予告編の再生の依頼を示す情報と再生したいタイトルＩＤとからなる第２再生依頼情報を受け付ける。受け付けた第２再生依頼情報を制御部３０２へ出力する。
【０１０３】
（Ｄ）  パッケージの再生の場合
入力部３０１は、パッケージを挿入し、パッケージの再生の依頼を示す情報からなる第３再生依頼情報を受け付ける。受け付けた第３再生依頼情報を制御部３０２へ出力する。
１．４．２  制御部３０２
ここでは、制御部３０２について説明する。
【０１０４】
（Ａ）  メモリカード１００の認証の場合
制御部３０２は、入力部３０１より認証を行うためのパスワードを受け取ると、受け取ったパスワードを第１アクセス部３０４を介して、メモリカード１００へ出力する。また、メモリカード１００より第１アクセス部３０４を介して、認証結果として使用可能情報を受け取った場合には、受け取った使用可能情報を出力部３０３へ出力し、認証結果として使用不可情報を受け取った場合には、受け取った使用不可情報を出力部３０３へ出力する。
【０１０５】
（Ｂ）  映画予告編の再生の場合
制御部３０２は、入力部３０１より第１再生依頼情報を受け取ると、受け取った第１再生依頼情報に含まれるタイトルＩＤと対応付けられた映画予告編の音声データ名が購入特典情報テーブルＴ１１０に存在するか否かの判断を行う。受け取ったタイトルＩＤと対応付けられた映画予告編の音声データ名が存在しない場合には、再生不可を示す再生不可情報を出力部３０３へ出力する。受け取ったタイトルＩＤと対応付けられた映画予告編の音声データ名が存在する場合には、挿入されているパッケージのタイトルＩＤと入力部３０１より受け取ったタイトルＩＤが一致するか否かを判定する。一致しない場合には、再生不可を示す再生不可情報を出力部３０３へ出力する。一致する場合には、映画予告編の再生を行う。
【０１０６】
制御部３０２は、映画予告編再生時には、メモリカード１００から第１アクセス部３０４を介して入力部３０１より受け取ったタイトルＩＤと対応付けられた映画予告編の音声データ名に基いて、購入特典情報記憶部１０４より映画予告編の音声データを読み出し、パッケージから第２アクセス部３０５を介して映画予告編の映像データを読み出し、読み出した音声データと映像データとの同期をとって出力部３０３へ音声データと映像データとを出力する。
【０１０７】
（Ｃ）  パッケージ予告編の再生の場合
制御部３０２は、入力部３０１より第２再生依頼情報を受け取ると、受け取った第２再生依頼情報に含まれるタイトルＩＤと対応付けられたパッケージ予告編の音声データ名が利用特典情報テーブルＴ１２０に存在するか否かの判断を行う。音声データ名が存在しない場合には、再生不可を示す再生不可情報を出力部３０３へ出力する。音声データ名が存在する場合には、挿入されているパッケージのタイトルＩＤと入力部３０１より受け取ったタイトルＩＤが一致するか否かを判定する。一致しない場合には、再生不可を示す再生不可情報を出力部３０３へ出力する。一致する場合には、パッケージ予告編の再生を行う。
【０１０８】
制御部３０２は、パッケージ予告編再生時には、メモリカード１００から第１アクセス部３０４を介して入力部３０１より受け取ったタイトルＩＤと対応付けられたパッケージ予告編の音声データ名に基いて、パッケージ予告編の音声データを読み出し、パッケージから第２アクセス部３０５を介してパッケージ予告編の映像データを読み出し、読み出した音声データと映像データとの同期をとって出力部３０３へ音声データと映像データとを出力する。
【０１０９】
（Ｄ）  パッケージの再生の場合
制御部３０２は、入力部３０１より第３再生依頼情報を受け取ると、パッケージの再生を行う。
制御部３０２は、パッケージ再生時には、音声データ及び映像データを第２アクセス部３０５を介してパッケージから読み出し、読み出した音声データと映像データとを出力部３０３へ出力する。
【０１１０】
１．４．３  出力部３０３
出力部３０３は、メモリカード１００の認証において、制御部３０２から使用可能情報を受け取った場合には、使用可能情報を再生装置３００と接続されたテレビなどのディスプレイ装置へ出力し、利用者に通知する。使用不可情報を受け取った場合には、使用不可情報を再生装置３００と接続されたテレビなどのディスプレイ装置へ出力し、利用者に通知する。
【０１１１】
出力部３０３は、映画予告編再生、パッケージ予告編再生及びパッケージ再生の場合には、制御部３０２より音声データ及び映像データを受け取り、受け取った音声データ及び映像データを再生装置３００と接続されたテレビなどのディスプレイ装置へ出力する。
制御部３０２から再生不可情報を受け取ると、再生不可情報を再生装置３００と接続されたテレビなどのディスプレイ装置へ出力する。
【０１１２】
１．４．４  第１アクセス部３０４
第１アクセス部３０４は、制御部３０２とメモリカード１００との間で情報の入出力を行う。
１．４．５  第２アクセス部３０５
第２アクセス部３０５は、制御部３０２とパッケージとの間で情報の入出力を行う。
【０１１３】
１．５  映画会社管理装置４００の構成
ここでは、映画会社管理装置４００の構成について説明する。
映画会社管理装置４００は、図８に示すチケット利用状況記憶部４０１、利用情報登録部４０２、配当金計算部４０３及び送受信部４０４とから構成されている。
映画会社管理装置４００は、具体的には、マイクロプロセッサ、ＲＯＭ、ＲＡＭ、ハードディスクユニット、ディスプレイユニット、キーボード、マウス、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、映画会社管理装置４００は、その機能を達成する。
【０１１４】
ここで、映画会社管理装置４００は、ユーザＩＤと対応付けられた個人情報をセキュリティ対策が施された状態で管理しているものとする。セキュリティ対策が施された状態は、一例として、暗号化された状態である。
１．５．１  チケット利用状況記憶部４０１
チケット利用状況記憶部４０１は、図９に一例として示すように利用状況管理テーブルＴ４００を有している。
【０１１５】
利用状況管理テーブルＴ４００は、ユーザＩＤ、タイトルＩＤ、チケット購入情報、チケット利用情報、パッケージ購入情報からなる組を一個以上記憶するための領域を備えている。
ユーザＩＤは、利用者を識別するための識別子である。
タイトルＩＤは、映画を識別するための識別子である。
【０１１６】
チケット購入情報は、販売店ＩＤ１と販売年月日１とからなる組から構成されている。販売店ＩＤ１は、電子チケット販売店を識別するための識別子であり、販売年月日１は、電子チケットが販売された年月日である。
チケット利用情報は、映画館ＩＤと利用年月日とからなる組から構成されている。映画館ＩＤは、映画館を識別するための識別子であり、利用年月日は、電子チケットが利用された年月日である。
【０１１７】
パッケージ購入情報は、販売店ＩＤ２と販売年月日２とからなる組から構成されている。販売店ＩＤ２は、パッケージ販売店を識別するための識別子であり、販売年月日２は、パッケージが販売された年月日である。
１．５．２  利用情報登録部４０２
ここでは、利用情報登録部４０２について説明する。
【０１１８】
（Ａ）  電子チケット購入の場合
利用情報登録部４０２は、電子チケット販売装置５００ａ、５００ｂ、・・・、５００ｃから送受信部４０４を介して、ユーザＩＤ、タイトルＩＤ、販売店ＩＤ及び電子チケットの販売年月日からなるチケット販売情報を受信し、受信したチケット販売情報を利用状況管理テーブルＴ４００へ書き込む。なお、販売店ＩＤ及び販売年月日は、チケット購入情報の販売店ＩＤ１項目及び販売年月日１項目へ書き込む。
【０１１９】
（Ｂ）  電子チケット利用の場合
利用情報登録部４０２は、電子チケット確認装置６００ａ、６００ｂ、・・・、６００ｃから送受信部４０４を介して、ユーザＩＤ、タイトルＩＤ、映画館ＩＤ及び電子チケットの利用年月日からなるチケット利用確認情報を受信する。受信したチケット利用確認情報に含まれるユーザＩＤ及びタイトルＩＤとを用いて、利用状況管理テーブルＴ４００からユーザＩＤ及びタイトルＩＤの双方と一致するデータを取得し、チケット利用確認情報に含まれる映画館ＩＤ及び利用年月日を取得したデータのチケット利用情報の映画館ＩＤ項目及び利用年月日項目へ書き込む。
【０１２０】
（Ｃ）  パッケージ購入の場合
利用情報登録部４０２は、パッケージ販売装置７００ａ、７００ｂ、・・・、７００ｃから送受信部４０４を介して、ユーザＩＤ、タイトルＩＤ、販売店ＩＤ及びパッケージの販売年月日からなるパッケージ販売情報を受信する。受信したパッケージ販売情報に含まれるユーザＩＤ及びタイトルＩＤとを用いて、利用状況管理テーブルＴ４００からユーザＩＤ及びタイトルＩＤの双方と一致するデータを取得し、パッケージ販売情報に含まれる販売店ＩＤ及び販売年月日を取得したデータのパッケージ購入情報の販売店ＩＤ２項目及び販売年月日２項目へ書き込む。
【０１２１】
１．５．３  配当金計算部４０３
配当金計算部４０３は、電子チケットの販売状況、利用状況及びパッケージの販売状況に応じて、一定率の金額を還元するための配当金を計算し、各装置へ配当金の算出結果を送受信部４０４を介して送信する。ここで、配当金は、結果の通知後、現金払いなどにより支払われる。
【０１２２】
電子チケット販売状況の場合には、利用状況管理テーブルＴ４００のチケット購入情報項目から、配当金の算出の対象期間における各販売店の販売状況から配当金を算出し、販売店ＩＤと算出結果とからなる第１配当金情報を販売店ＩＤと対応付けられた電子チケット販売装置へ送受信部４０４を介して送信する。
電子チケット利用状況の場合には、利用状況管理テーブルＴ４００のチケット利用情報項目から、配当金の算出の対象期間における各映画館の利用状況に応じて配当金を算出し、映画館ＩＤと算出結果とからなる第２配当金情報を映画館ＩＤと対応付けられた電子チケット確認装置へ送受信部４０４を介して送信する。
【０１２３】
パッケージ販売状況の場合には、利用状況管理テーブルＴ４００のパッケージ購入情報項目から、配当金の算出の対象期間における各販売店の販売状況から配当金を算出し、販売店ＩＤと算出結果とからなる第３配当金情報を販売店ＩＤと対応付けられたパッケージ販売装置へ送受信部４０４を介して送信する。
１．５．４  送受信部４０４
送受信部４０４は、電子チケット販売装置５００ａ、５００ｂ、・・・、５００ｃ、電子チケット確認装置６００ａ、６００ｂ、・・・、６００ｃ及びパッケージ販売装置７００ａ、７００ｂ、・・・、７００ｃから受信した情報を利用情報登録部４０２へ出力する。また、配当金計算部４０３から第１配当金情報を受け取った場合には、第１配当金情報に含まれる販売店ＩＤと対応付けられた電子チケット販売装置へ送信し、第２配当金情報を受け取った場合には、第２配当金情報に含まれる映画館ＩＤと対応付けられた電子チケット確認装置へ送信し、第３配当金情報を受け取った場合には、第３配当金情報に含まれる販売店ＩＤと対応付けられたパッケージ販売装置へ送信する。
【０１２４】
１．６  電子チケット販売装置５００ａの構成
ここでは、電子チケット販売装置５００ａの構成について説明する。
電子チケット販売装置５００ａは、図１０に示す販売店ＩＤ記憶部５０１、発行秘密鍵記憶部５０２、購入特典管理記憶部５０３、電子チケット管理記憶部５０４、電子チケット課金記憶部５０５、電子チケット発行部５０６、第１送受信部５０７及び第２送受信部５０８とから構成されている。
【０１２５】
電子チケット販売装置５００ａは、具体的には、マイクロプロセッサ、ＲＯＭ、ＲＡＭ、ハードディスクユニット、ディスプレイユニット、キーボード、マウス、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、電子チケット販売装置５００ａは、その機能を達成する。
【０１２６】
電子チケット販売装置５００ａは、電子チケット販売装置５００ａと対応付けられたインターネットのアドレスを受け付けた通信端末装置からのネットワーク接続要求を受信することで、前記通信端末装置とインターネットを介してネットワーク接続される。ここでは、通信端末装置２００からのネットワーク接続要求を受信して、通信端末装置２００とインターネットを介してネットワーク接続されているものとして説明を行う。
【０１２７】
なお、電子チケット販売装置５００ｂ、・・・、５００ｃは、電子チケット販売装置５００ａと同様の構成を有しているため、説明は省略する。
１．６．１  販売店ＩＤ記憶部５０１
販売店ＩＤ記憶部５０１は、電子チケット販売店を識別する販売店ＩＤを記憶しており、販売店ＩＤの記憶後は、変更できない。
【０１２８】
１．６．２  発行秘密鍵記憶部５０２
発行秘密鍵記憶部５０２は、第１署名データを作成するための秘密鍵を記憶している。
１．６．３  購入特典管理記憶部５０３
購入特典管理記憶部５０３は、図１１に一例として示すように購入特典管理テーブルＴ５００を有している。なお、テーブルの構成は、メモリカード１００の購入特典情報記憶部１０４にて有している購入特典情報テーブルＴ１１０と同様であるため、説明は省略する。さらに、購入特典管理記憶部５０３は、購入特典管理テーブルＴ５００の音声データ１項目に登録されている音声データの名称と対応付けられた映画予告編の音声データをも記憶している。
【０１２９】
１．６．４  電子チケット管理記憶部５０４
電子チケット管理記憶部５０４は、図１２に一例として示すように電子チケット管理テーブルＴ５１０を有している。
電子チケット管理テーブルＴ５１０は、タイトルＩＤ、有効期限からなる組を一個以上記憶するための領域を備えている。
【０１３０】
タイトルＩＤは、映画を識別するための識別子である。
有効期限は、電子チケットを利用できる期限を示す年月日である。
１．６．５  電子チケット課金記憶部５０５
電子チケット課金記憶部５０５は、図１３に一例として示すように電子チケット課金テーブルＴ５２０を有している。
【０１３１】
電子チケット課金テーブルＴ５２０は、ユーザＩＤ、タイトルＩＤ、販売年月日１、金額１、支払方法１とからなる組を一個以上記憶するための領域を備えている。
ユーザＩＤは、利用者を識別するための識別子である。
タイトルＩＤは、映画を識別するための識別子である。
販売年月日１は、電子チケットが販売された年月日を示している。
【０１３２】
金額１は、電子チケットの代金を示している。
支払方法１は、電子チケットの代金の支払方法が登録されている。
なお、電子チケット課金テーブルＴ５２０は、電子チケットを販売したある期間における決済などを行う際に利用する。
１．６．６  電子チケット発行部５０６
電子チケット発行部５０６は、電子チケット代金を映画のタイトルＩＤと対応付けて、あらかじめ記憶している。
【０１３３】
電子チケット発行部５０６は、インターネットを介してネットワーク接続された通信端末装置２００から第２送受信部５０８を介して、チケット購入依頼情報を受信する。購入特典管理テーブルＴ５００から受信したチケット購入依頼情報に含まれるタイトルＩＤと一致するレコードを取得し、電子チケット管理テーブルＴ５１０から受信したチケット購入依頼情報に含まれるタイトルＩＤと一致するレコードを取得する。さらに、受信したタイトルＩＤと対応付けられた電子チケット代金を取得する。次に、受信したチケット購入依頼情報に含まれるユーザＩＤと、購入特典管理テーブルＴ５００から取得したレコード及び電子チケット管理テーブルＴ５１０から取得したレコードと、取得した電子チケット代金とを用いて、チケット購入確認情報を生成し、生成したチケット購入確認情報を第２送受信部５０８を介して、電子チケット購入の依頼があった通信端末装置２００へ送信する。また、生成したチケット購入確認情報を一時的に記憶しておく。
【０１３４】
次に、電子チケット発行部５０６は、通信端末装置２００から第２送受信部５０８を介して、チケット課金依頼情報、若しくはチケット課金中止情報を受信し、受信した情報が、チケット課金依頼情報、又はチケット課金中止情報のうち何れであるかを判断する。
チケット課金依頼情報を受信したと判断する場合には、受信したチケット課金依頼情報に含まれるユーザＩＤ及びタイトルＩＤとを用いて、一時的に記憶しているチケット購入確認情報を取得する。取得したチケット購入確認情報に含まれるユーザＩＤ、タイトルＩＤ、電子チケット代金と、チケット課金依頼情報に含まれる支払方法と、販売年月日とからなるチケット課金情報を生成し、生成したチケット課金情報を電子チケット課金記憶部５０５へ書き込む。次に、チケット販売情報を生成し、生成したチケット販売情報を映画会社管理装置４００へ第１送受信部５０７を介して送信する。さらに、発行秘密鍵記憶部５０２にて記憶されている秘密鍵を読み出し、読み出した秘密鍵を用いて、取得したチケット購入確認情報に含まれるタイトルＩＤ及び有効期限に対してデジタル署名を施して第１署名データを生成し、生成された第１署名データと販売店ＩＤ記憶部５０１で記憶されている販売店ＩＤとからなる署名データ情報を生成する。さらに、チケット購入完了情報を生成し、購入特典管理記憶部５０３より取得したチケット購入確認情報に含まれる映画予告編の音声データ名と対応付けられた映画予告編の音声データを取得し、生成した署名データ情報、チケット購入完了情報及び取得した音声データを含むチケット購入確定情報を生成する。生成されたチケット購入確定情報を第２送受信部５０８を介してチケット購入の要求のあった通信端末装置２００へ送信し、一時的に記憶しているチケット購入確認情報を削除する。
【０１３５】
チケット課金中止情報を受信したと判断する場合には、受信したチケット課金中止情報に含まれるユーザＩＤ及びタイトルＩＤとを用いて、一時的に記憶しているチケット購入確認情報を削除する。さらに、チケット購入中止情報を生成し、生成したチケット購入中止情報をチケット購入中止の要求のあった通信端末装置２００へ送信する。
ここで、第１署名データを生成するデジタル署名は、一例として、有限体上のエルガマル署名である。有限体上のエルガマル署名は公知であるので説明は省略する。
【０１３６】
１．６．７  第１送受信部５０７
第１送受信部５０７は、電子チケット発行部５０６より受け取ったチケット販売情報を映画会社管理装置４００へ送信する。また、映画会社管理装置４００から配当金算出の結果を受信し、受信した情報を図示していないが、ディスプレイ装置などからなる表示部へ出力し、表示部にて、受け取った情報を表示し、電子チケット販売装置５００ａの管理者へ通知する。
【０１３７】
１．６．８  第２送受信部５０８
第２送受信部５０８は、電子チケット購入の要求のあった通信端末装置から受信した情報を電子チケット発行部５０６へ出力する。また、電子チケット発行部５０６から受け取った情報を電子チケット購入の要求のあった通信端末装置２００へ送信する。
１．７  電子チケット確認装置６００ａの構成
ここでは、電子チケット確認装置６００ａの構成について説明する。
【０１３８】
電子チケット確認装置６００ａは、図１４に示す発行公開鍵記憶部６０１、利用特典管理記憶部６０２、秘密鍵記憶部６０３、映画館ＩＤ記憶部６０４、入力部６０５、電子チケット確認部６０６、表示部６０７、入出力部６０８及び送受信部６０９とから構成されている。
電子チケット確認装置６００ａは、具体的には、マイクロプロセッサ、ＲＯＭ、ＲＡＭ、ハードディスクユニット、ディスプレイユニット、キーボード、マウス、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、電子チケット確認装置６００ａは、その機能を達成する。
【０１３９】
第１サブシステム１０ａ、１０ｂ、・・・、１０ｃが有するどのメモリカードを用いても達成される機能は同様であるため、ここでは、メモリカード１００を用いて説明を行う。
なお、電子チケット確認装置６００ｂ、・・・、６００ｃは、電子チケット確認装置６００ａと同様の構成を有しているため、説明は省略する。
【０１４０】
１．７．１  発行公開鍵記憶部６０１
発行公開鍵記憶部６０１は、図１５に一例として示すように発行公開鍵テーブルＴ６００を有している。
発行公開鍵テーブルＴ６００は、販売店ＩＤと公開鍵とからなる組を一個以上記憶するための領域を備えている。
【０１４１】
販売店ＩＤは、販売店を識別するための識別子である。
公開鍵は、販売店から配布された公開鍵であり、販売店ＩＤと対応付けられている。
１．７．２  利用特典管理記憶部６０２
利用特典管理記憶部６０２は、図１６に一例として示すように利用特典管理テーブルＴ６１０を有している。なお、テーブルの構成は、メモリカード１００の利用特典情報記憶部１０５にて有している利用特典情報テーブルＴ１２０と同様であるため、説明は省略する。さらに、利用特典管理記憶部６０２は、利用特典管理テーブルＴ６１０の音声データ２項目に登録されている音声データの名称と対応付けられたパッケージ予告編の音声データをも記憶している。
【０１４２】
１．７．３  秘密鍵記憶部６０３
秘密鍵記憶部６０３は、第２署名データを作成するための秘密鍵を記憶している。
１．７．４  映画館ＩＤ記憶部６０４
映画館ＩＤ記憶部６０４は、映画館を識別する映画館ＩＤを記憶しており、映画館ＩＤの記憶後は、変更できない。
【０１４３】
１．７．５  入力部６０５
ここでは、入力部６０５について説明する。
（Ａ）  メモリカード１００の認証の場合
入力部６０５は、メモリカード１００が挿入された場合には、メモリカード１００の認証を行うためにパスワードを受け付け、受け付けたパスワードを電子チケット確認部６０６へ出力する。
【０１４４】
（Ｂ）  電子チケットの確認の場合
入力部６０５は、タイトルＩＤを受け付け、受け付けたタイトルＩＤを電子チケット確認部６０６へ出力する。
１．７．６  電子チケット確認部６０６
（Ａ）  メモリカード１００の認証の場合
電子チケット確認部６０６は、入力部６０５より認証を行うためのパスワードを受け取ると、受け取ったパスワードを入出力部６０８を介して、メモリカード１００へ出力する。また、メモリカード１００より入出力部６０８を介して、認証結果として使用可能情報を受け取った場合には、使用可能情報を表示部６０７へ出力し、認証結果として使用不可情報を受け取った場合には、受け取った使用不可情報を表示部６０７へ出力する。
【０１４５】
（Ｂ）  電子チケットの確認の場合
電子チケット確認部６０６は、入力部６０５よりタイトルＩＤを受け取り、メモリカード１００の電子チケット情報記憶部１０３に記憶されている電子チケット情報テーブルＴ１００より、受け取ったタイトルＩＤと一致する電子チケットの情報のレコードを取得する。受け取ったタイトルＩＤと一致するレコードが存在しない場合には、電子チケットの利用不可を示す利用不可情報を表示部６０７へ出力する。
【０１４６】
取得したレコードに含まれる映画館ＩＤ項目及び署名データ２項目のそれぞれに情報が存在するか否かを確認することにより、電子チケットが使用されているか否かの判断を行う。
電子チケットが既に使用されている場合には、電子チケットの利用不可を示す利用不可情報を表示部６０７へ出力する。電子チケットが未使用の場合には、取得したレコードに含まれる有効期限の情報を用いて、有効期限内の電子チケットであるか否かを判定する。有効期限内でない場合には、利用不可情報を表示部６０７へ出力する。有効期限内である場合には、取得したレコードに含まれる販売店ＩＤと対応付けられた公開鍵を発行公開鍵記憶部６０１より取得し、取得した公開鍵と取得したレコードのタイトルＩＤと有効期限及び第１署名データとを用いて署名検証を行い、第１署名データの正当性の判断を行う。正当な第１署名データでないと判断された場合には、利用不可情報を表示部６０７へ出力する。正当な第１署名データであると判断された場合には、秘密鍵記憶部６０３にて記憶された秘密鍵を用いて、タイトルＩＤ及び有効期限に対してデジタル署名を施して、第２署名データを生成し、生成した第２署名データと映画館ＩＤとを取得したレコードの映画館ＩＤ項目及び署名データ２項目に付加して、電子チケット情報テーブルＴ１００の更新を行う。また、受け取ったタイトルＩＤと一致する利用特典の情報を利用特典管理テーブルＴ６１０より取得し、取得した情報を入出力部６０８を介して、メモリカード１００の利用特典情報テーブルＴ１２０へ書き込み、さらに、取得した利用特典の情報に含まれるパッケージ予告編の音声データ名と対応付けられたパッケージ予告編の音声データを利用特典管理記憶部６０２より取得し、取得した音声データを利用特典情報記憶部１０５へ書き込む。さらに、メモリカード１００のユーザＩＤ記憶部１０２よりユーザＩＤを取得し、取得したユーザＩＤと受け取ったタイトルＩＤ及び映画館ＩＤ及び利用年月日を用いてチケット利用確認情報を生成し、生成したチケット利用確認情報を送受信部６０９を介して、映画会社管理装置４００へ送信する。
【０１４７】
ここで、署名検証は、電子チケット販売時のデジタル署名により生成された第１署名データを検証するアルゴリズムである。また、第２署名データを生成するデジタル署名は、一例として、有限体上のエルガマル署名である。有限体上のエルガマル署名は公知であるので説明は省略する。
１．７．７  表示部６０７
表示部６０７は、メモリカード１００の認証において、使用可能情報を受け取った場合には、受け取った使用可能情報を表示し、使用不可情報を受け取った場合には、受け取った使用不可情報を表示する。
【０１４８】
電子チケットの利用において、電子チケット確認部６０６から利用不可情報を受け取った場合には、受け取った利用不可情報を表示する。
また、配当金算出の結果を受け取った場合には、受け取った配当金算出の結果を表示し、電子チケット確認装置６００ａの管理者へ通知する。
１．７．８  入出力部６０８
入出力部６０８は、電子チケット確認部６０６から受け取った情報をメモリカード１００へ出力し、メモリカード１００から受け取った情報を電子チケット確認部６０６へ出力する。
【０１４９】
１．７．９  送受信部６０９
送受信部６０９は、電子チケット確認部６０６から受け取った情報を映画会社管理装置４００へ送信する。また、映画会社管理装置４００から配当金算出の結果を受信し、受信した情報を電子チケット確認部６０６を介して、表示部６０７へ出力する。
１．８  パッケージ販売装置７００ａの構成
ここでは、パッケージ販売装置７００ａの構成について説明する。
【０１５０】
パッケージ販売装置７００ａは、図１７に示す販売店ＩＤ記憶部７０１、公開鍵記憶部７０２、パッケージ課金記憶部７０３、パッケージ販売部７０４、第１送受信部７０５及び第２送受信部７０６とから構成されている。
パッケージ販売装置７００ａは、具体的には、マイクロプロセッサ、ＲＯＭ、ＲＡＭ、ハードディスクユニット、ディスプレイユニット、キーボード、マウス、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、パッケージ販売装置７００ａは、その機能を達成する。
【０１５１】
パッケージ販売装置７００ａは、パッケージ販売装置７００ａと対応付けられたインターネットのアドレスを受け付けた通信端末装置からのネットワーク接続要求を受信することで、前記通信端末装置とインターネットを介してネットワーク接続される。ここでは、通信端末装置２００からのネットワーク接続要求を受信して、通信端末装置２００とインターネットを介してネットワーク接続されているものとして説明を行う。
【０１５２】
なお、パッケージ販売装置７００ｂ、・・・、７００ｃは、パッケージ販売装置７００ａと同様の構成を有しているため、説明は省略する。
１．８．１  販売店ＩＤ記憶部７０１
販売店ＩＤ記憶部７０１は、パッケージ販売店を識別する販売店ＩＤを記憶しており、販売店ＩＤの記憶後は、変更できない。
【０１５３】
１．８．２  公開鍵記憶部７０２
公開鍵記憶部７０２は、図１８に一例として示すように公開鍵テーブルＴ７００を有している。
公開鍵テーブルＴ７００は、映画館ＩＤと公開鍵とからなる組を一個以上記憶するための領域を備えている。
【０１５４】
映画館ＩＤは、映画館を識別するための識別子である。
公開鍵は、映画館から配布された公開鍵であり、映画館ＩＤと対応付けられている。
１．８．３  パッケージ課金記憶部７０３
パッケージ課金記憶部７０３は、図１９に一例として示すようにパッケージ課金テーブルＴ７１０を有している。
【０１５５】
パッケージ課金テーブルＴ７１０は、ユーザＩＤ、タイトルＩＤ、販売年月日２、金額２、支払方法２とからなる組を一個以上記憶するための領域を備えている。
ユーザＩＤは、利用者を識別するための識別子である。
タイトルＩＤは、映画を識別するための識別子である。
販売年月日２は、パッケージが販売された年月日を示している。
【０１５６】
金額２は、パッケージの販売金額を示している。
支払方法２は、パッケージの代金の支払方法が登録されている。
なお、パッケージ課金テーブルＴ７１０は、パッケージを販売したある期間における決済などを行う際に利用する。
１．８．４  パッケージ販売部７０４
ここでは、パッケージ販売部７０４について説明する。
【０１５７】
パッケージ販売部７０４は、通信端末装置２００から第２送受信部７０６を介して、パッケージ購入依頼情報を受信する。受信したパッケージ購入依頼情報に含まれる映画館ＩＤ及び第２署名データが空白であるか否かを確認することにより、電子チケットが利用されているか否かの判断を行う。
（Ａ）  電子チケットが利用されている場合
受信したパッケージ購入依頼情報に含まれる映画館ＩＤと、公開鍵記憶部７０２の公開鍵テーブルＴ７００より、受信したパッケージ購入依頼情報に含まれる映画館ＩＤと対応付けられた公開鍵を取得し、取得した公開鍵と受信したパッケージ購入依頼情報に含まれるタイトルＩＤ、有効期限及び第２署名データを用いて、署名検証を施して、第２署名データの正当性の判断を行う。ここで、署名検証は、電子チケット利用時のデジタル署名により生成された第２署名データを検証するアルゴリズムである。
【０１５８】
正しい第２署名データでないと判断された場合には、パッケージ購入不可情報を生成し、生成したパッケージ購入不可情報を第２送受信部７０６を介して、パッケージ購入の要求のあった通信端末装置２００へ送信する。
正しい第２署名データであると判断された場合には、受信したパッケージ購入依頼情報に含まれる割引情報を用いて、パッケージの販売額を算出し、限定データ２及び付加情報に基いて、販売するパッケージの形態を決定し、受信したユーザＩＤ、タイトルＩＤ、算出された販売額及び決定されたパッケージ形態とを用いてパッケージ購入確認情報を生成し、生成されたパッケージ購入確認情報を購入要求のあった通信端末装置２００へ第２送受信部７０６を介して送信する。また、生成されたパッケージ購入確認情報を一時的に記憶しておく。
【０１５９】
次に、通信端末装置２００から第２送受信部７０６を介して、パッケージ課金依頼情報を受信した場合には、受信したパッケージ課金依頼情報に含まれるユーザＩＤ及びタイトルＩＤとを用いて一時的に記憶しているパッケージ購入確認情報を取得する。取得したパッケージ購入確認情報に含まれるユーザＩＤ、タイトルＩＤ及び販売額と、販売年月日と、パッケージ課金依頼情報に含まれる支払方法とからなるパッケージ課金情報を生成し、生成したパッケージ課金情報をパッケージ課金記憶部７０３へ書き込む。次に、パッケージ販売情報を生成し、生成したパッケージ販売情報を映画会社管理装置４００へ第１送受信部７０５を介して送信する。さらに、パッケージ購入完了情報を生成し、生成したパッケージ購入完了情報を第２送受信部７０６を介して、パッケージ購入の要求のあった通信端末装置２００へ送信するするとともに、パッケージ購入確認情報に含まれるパッケージ形態に基いたパッケージの確保、配送依頼等といったパッケージ購入確定後に係る手続きを行う。さらに、一時的に記憶しているパッケージ購入確認情報を削除する。
【０１６０】
また、通信端末装置２００から第２送受信部７０６を介して、パッケージ課金中止情報を受信した場合には、受信したパッケージ課金中止情報に含まれるユーザＩＤ及びタイトルＩＤとを用いて一時的に記憶しているパッケージ購入確認情報を削除する。さらに、パッケージ購入中止情報を生成し、生成したパッケージ購入中止情報をパッケージ購入中止の要求のあった通信端末装置２００へ第２送受信部７０６を介して送信する。
【０１６１】
（Ｂ）  電子チケットが利用されていない場合
受信したパッケージ購入依頼情報に含まれる割引データを用いて、電子チケット未使用時におけるパッケージ販売の割引額を算出し、算出された割引額にて、パッケージの販売額を決定し、受信したユーザＩＤ、タイトルＩＤ及び算出された販売額とを用いてパッケージ購入確認情報を生成し、生成されたパッケージ購入確認情報を購入要求のあった通信端末装置２００へ第２送受信部７０６を介して送信する。また、生成されたパッケージ購入確認情報を一時的に記憶しておく。
【０１６２】
次に、通信端末装置２００から第２送受信部７０６を介して、パッケージ課金依頼情報を受信した場合には、受信したパッケージ課金依頼情報に含まれるユーザＩＤ及びタイトルＩＤとを用いて一時的に記憶しているパッケージ購入確認情報を取得する。取得したパッケージ購入確認情報に含まれるユーザＩＤ、タイトルＩＤ及び販売額と、販売年月日と、パッケージ課金依頼情報に含まれる支払方法とからなるパッケージ課金情報を生成し、生成したパッケージ課金情報をパッケージ課金記憶部７０３へ書き込む。次に、パッケージ販売情報を生成し、生成したパッケージ販売情報を映画会社管理装置４００へ第１送受信部７０５を介して送信する。さらに、パッケージ購入完了情報を生成し、生成したパッケージ完了情報を第２送受信部７０６を介して、パッケージ購入の要求のあった通信端末装置２００へ送信するとともに、パッケージの確保、配送依頼等といったパッケージ購入確定後に係る手続きを行う。さらに、一時的に記憶しているパッケージ購入確認情報を削除する。
【０１６３】
また、通信端末装置２００から第２送受信部７０６を介して、パッケージ課金中止情報を受信した場合には、受信したパッケージ課金中止情報に含まれるユーザＩＤ及びタイトルＩＤとを用いて一時的に記憶しているパッケージ購入確認情報を削除する。さらに、パッケージ購入中止情報を生成し、生成したパッケージ購入中止情報をパッケージ購入中止の要求のあった通信端末装置２００へ第２送受信部７０６を介して送信する。
【０１６４】
１．８．５  第１送受信部７０５
第１送受信部７０５は、パッケージ販売部７０４より受け取ったパッケージ販売情報を映画会社管理装置４００へ送信する。また、映画会社管理装置４００から配当金算出の結果を受信し、受信した情報を図示していないが、ディスプレイ装置などからなる表示部へ出力し、表示部にて、受け取った情報を表示し、パッケージ販売装置７００ａの管理者へ通知する。
【０１６５】
１．８．６  第２送受信部７０６
第２送受信部７０６は、パッケージ購入の要求のあった通信端末装置２００から受信した情報をパッケージ販売部７０４へ出力する。また、パッケージ販売部７０４から受け取った情報をパッケージ購入の要求のあった通信端末装置２００へ送信する。
１．９  電子チケットシステム１の動作概要
ここでは、電子チケットシステム１の動作概要について説明する。
【０１６６】
１．９．１  メモリカード１００の認証時の動作概要
ここでは、メモリカード１００が通信端末装置２００に挿入された場合のメモリカード１００認証時の動作概要について、図２０に示す流れ図を用いて説明する。
通信端末装置２００は、メモリカード１００が挿入されると、認証を行うためのパスワードを受け付け、受け付けたパスワードをメモリカード１００へ出力する（ステップＳ５）。
【０１６７】
メモリカード１００は受け取ったパスワードを用いて、認証処理を行い、使用可能情報若しくは使用不可情報を通信端末装置へ出力する（ステップＳ１０）。
通信端末装置２００は、受け取った情報を用いて、結果表示を行う（ステップＳ１５）。
なお、メモリカード１００が再生装置３００に挿入された場合及び電子チケット確認装置６００ａ、６００ｂ、・・・、６００ｃに挿入された場合においても、同様の処理概要である。
【０１６８】
１．９．２  電子チケット購入時の動作概要
ここでは、電子チケット購入時の動作概要について、図２１に示す流れ図を用いて説明する。
通信端末装置２００は、利用者から購入したい電子チケットのタイトルＩＤを受け付け、受け付けたタイトルＩＤとメモリカード１００に記憶されたユーザＩＤとを用いて、チケット購入依頼情報を生成し、生成したチケット購入依頼情報を電子チケット販売装置５００ａへ送信する（ステップＳ３０）。
【０１６９】
電子チケット販売装置５００ａは、受信したチケット購入依頼情報を用いて、チケット購入受付処理を行い、当処理にて生成したチケット購入確認情報を電子チケットの購入要求のあった通信端末装置２００へ送信するとともに、生成したチケット購入確認情報を一時的に記憶する（ステップＳ３５）。
通信端末装置２００は、受信したチケット購入確認情報を一時的に記憶するとともに、チケット購入確認情報を受信した旨を示すメッセージを表示し、チケット支払方法情報若しくは、キャンセル情報を受け付け、チケット支払方法情報を受け付けた場合には、チケット課金依頼情報を生成し、生成したチケット課金依頼情報を電子チケット販売装置５００ａへ送信し、キャンセル情報を受け付けた場合には、チケット課金中止情報生成して、生成したチケット課金中止情報を電子チケット販売装置５００ａへ送信する（ステップＳ４０）。
【０１７０】
電子チケット販売装置５００ａは、受信した情報を用いて、チケット課金処理を行い、チケット販売情報が生成された場合には、生成されたチケット販売情報を映画会社管理装置４００へ送信し、当処理にて生成されたチケット購入確定情報若しくはチケット購入中止情報を通信端末装置２００へ送信する（ステップＳ４５）。
映画会社管理装置４００は、受信したチケット販売情報を用いて、チケット販売情報登録処理を行う（ステップＳ５０）。
【０１７１】
通信端末装置２００は、受信した情報と一時的に記憶しているチケット購入確認情報とを用いて、チケット購入処理を行う（ステップＳ５５）。
１．９．３  電子チケット確認時の動作概要
ここでは、電子チケット確認時の動作概要について、図２２に示す流れ図を用いて説明する。
【０１７２】
電子チケット確認装置６００ａは、タイトルＩＤを受け付け、受け付けたタイトルＩＤを用いて、チケット利用処理を行い、チケット利用確認情報を生成した場合には、生成したチケット利用確認情報を映画会社管理装置４００へ送信する（ステップＳ８０）。
映画会社管理装置４００は、受信したチケット利用確認情報を用いて、利用情報登録処理を行う（ステップＳ８５）。
【０１７３】
１．９．４  パッケージ購入時の動作概要
ここでは、パッケージ購入時の動作概要について、図２３に示す流れ図を用いて説明する。
通信端末装置２００は、利用者から購入したいパッケージのタイトルＩＤを受け付け、受け付けたタイトルＩＤとメモリカード１００に記憶されたユーザＩＤとを用いて、パッケージ購入依頼情報を生成し、生成したパッケージ購入依頼情報をパッケージ販売装置７００ａへ送信する（ステップＳ１００）。
【０１７４】
パッケージ販売装置７００ａは、受信したパッケージ購入依頼情報を用いて、パッケージ購入受付処理を行い、当処理にて生成したパッケージ購入確認情報又はパッケージ購入不可情報をパッケージ購入要求のあった通信端末装置２００へ送信するとともに、パッケージ購入確認情報を送信した場合には、送信したパッケージ購入確認情報を一時的に記憶する（ステップＳ１０５）。
【０１７５】
通信端末装置２００は、パッケージ購入確認情報を受信した場合には、パッケージ購入確認情報を受信した旨を示すメッセージを表示し、利用者から、パッケージ支払方法情報若しくは、キャンセル情報を受け付け、パッケージ支払方法情報を受け付けた場合には、パッケージ課金依頼情報を生成し、生成したパッケージ課金依頼情報をパッケージ販売装置７００ａへ送信し、キャンセル情報を受け付けた場合には、パッケージ課金中止情報生成して、生成したパッケージ課金中止情報をパッケージ販売装置７００ａへ送信する（ステップＳ１１０）。なお、パッケージ購入不可情報を受信した場合には、パッケージ購入不可情報を受信した旨を示すメッセージを表示して処理を終了する。
【０１７６】
パッケージ販売装置７００ａは、受信した情報を用いて、パッケージ課金処理を行い、パッケージ販売情報を生成した場合には、生成したパッケージ販売情報を映画会社管理装置４００へ送信し、当処理にて生成したパッケージ購入完了情報又はパッケージ購入中止情報を通信端末装置２００へ送信する（ステップＳ１１５）。
映画会社管理装置４００は、受信したパッケージ販売情報を用いて、パッケージ販売情報登録処理を行う（ステップＳ１２０）。
【０１７７】
通信端末装置２００は、受信した情報を用いて、結果表示を行う（ステップＳ１２５）。
１．１０  認証処理の動作
ここでは、メモリカード１００にて行われる認証処理の動作について、図２４に示す流れ図を用いて説明する。
【０１７８】
メモリカード１００は、パスワードを受け取る（ステップＳ１５０）。受け取ったパスワードがあらかじめ記憶されているパスワードと一致するか否か判定する（ステップＳ１５５）。一致する場合には、メモリカード１００をアクセス可能な状態にするとともに、使用可能情報を生成し、生成した使用可能情報をメモリカード１００が取り付けられた装置へ出力する（ステップＳ１６０）。一致しない場合には、メモリカード１００をアクセス不可能な状態にするとともに、使用不可情報を生成し、生成した使用不可情報をメモリカード１００が取り付けられた装置へ出力する（ステップＳ１６５）。
【０１７９】
１．１１  チケット購入受付処理の動作
ここでは、電子チケット購入時において、電子チケット販売装置５００ａにて行われるチケット購入受付処理について、図２５に示す流れ図を用いて説明する。
電子チケット販売装置５００ａは、チケット購入依頼情報を通信端末装置２００より受信する（ステップＳ２００）。
【０１８０】
電子チケット管理テーブルＴ５１０より受信したチケット購入依頼情報に含まれるタイトルＩＤと対応付けられた電子チケットの情報の取得及び、購入特典管理テーブルＴ５００より受信したチケット購入依頼情報に含まれるタイトルＩＤに対応付けられた購入特典の情報を取得する（ステップＳ２０５）。
取得した電子チケットの情報及び購入特典の情報を用いて、チケット購入確認情報を生成し、購入要求のあった通信端末装置２００へ送信するとともに、生成したチケット購入確認情報を一時的に記憶する（ステップＳ２１０）。
【０１８１】
１．１２  チケット課金処理の動作
ここでは、電子チケット購入時において、電子チケット販売装置５００ａにて行われるチケット課金処理について、図２６に示す流れ図を用いて説明する。
電子チケット販売装置５００ａは、通信端末装置２００より利用者が購入を決定した場合には、チケット課金依頼情報を受信し、購入の中止を決定した場合には、チケット課金中止情報を受信する（ステップＳ２５０）。
【０１８２】
受信した情報がチケット課金依頼情報であるか、チケット課金中止情報であるかの判定を行う（ステップＳ２５５）。
チケット課金依頼情報である場合には、電子チケット販売装置５００ａは、チケット購入受付処理にて一時的に記憶しているチケット購入確認情報を取得し、取得したチケット購入確認情報と受信したチケット課金依頼情報とを用いてチケット課金情報を生成し、生成したチケット課金情報を電子チケット課金テーブルＴ５２０へ書き込む（ステップＳ２６０）。次に、チケット販売情報を生成し、生成したチケット販売情報を映画会社管理装置４００へ送信する（ステップＳ２６５）。次に、発行秘密鍵記憶部５０２より秘密鍵を読み出し、読み出した秘密鍵を用いて第１署名データを生成し、さらに生成した第１署名データと販売店ＩＤを用いて、署名データ情報を生成する（ステップＳ２７０）。さらに、チケット購入完了情報を生成し（ステップＳ２７５）、購入特典管理記憶部５０３より映画予告編の音声データを取得する（ステップＳ２８０）。次に、チケット購入確定情報を生成し、生成したチケット購入確定情報を購入要求のあった通信端末装置２００へ送信するとともに、一時的に記憶しているチケット購入確認情報を削除する（ステップＳ２８５）。
【０１８３】
チケット課金中止情報である場合には、チケット購入受付処理にて一時的に記憶しているチケット購入確認情報を削除し、チケット購入中止情報を生成し、生成したチケット購入中止情報を購入の中止依頼を要求した通信端末装置２００へ送信する（ステップＳ２９０）。
１．１３  チケット販売情報登録処理の動作
ここでは、電子チケット購入時において、映画会社管理装置４００にて行われるチケット販売登録処理について、図２７に示す流れ図を用いて説明する。
【０１８４】
映画会社管理装置４００は、電子チケット販売装置５００ａからチケット販売情報を受信する（ステップＳ３００）。受信したチケット販売情報を利用状況管理テーブルＴ４００へ書き込む（ステップＳ３０５）。
１．１４  チケット購入処理の動作
ここでは、電子チケット購入時において、通信端末装置２００にて行われるチケット購入処理について、図２８に示す流れ図を用いて説明する。
【０１８５】
通信端末装置２００は、チケット課金依頼情報を送信した場合には、電子チケット販売装置５００ａよりチケット購入確定情報を受信し、チケット課金中止情報を送信した場合には、チケット購入中止情報を受信する（ステップＳ３２０）。
受信した情報がチケット購入確定情報であるか、チケット購入中止情報であるかの判定を行う（ステップＳ３２５）。
【０１８６】
チケット購入確定情報を受信した場合には、チケット購入確定情報に含まれる署名データ情報と一時的に記憶しているチケット購入確認情報とを用いて、購入チケット情報を生成し、電子チケット情報テーブルＴ１００へ書き込む（ステップＳ３３０）。また、一時的に記憶しているチケット購入確認情報を用いて、購入特典情報を生成し、購入特典情報テーブルＴ１１０へ書き込み、受信したチケット購入確定情報に含まれる映画予告編の音声データを購入特典情報記憶部１０４へ書き込む（ステップＳ３３５）。次に、一時的に記憶しているチケット購入確認情報を削除し（ステップＳ３４０）、受信したチケット購入確定情報に含まれるチケット購入完了情報を用いて、結果表示を行う（ステップＳ３４５）。
【０１８７】
チケット購入中止情報を受信した場合には、一時的に記憶しているチケット購入確認情報を削除し（ステップＳ３４０）、受信したチケット購入中止情報を用いて、結果表示を行う（ステップＳ３４５）。
１．１５  チケット利用処理の動作
ここでは、電子チケット利用時において、電子チケット確認装置６００ａにて行われるチケット利用処理について、図２９に示す流れ図を用いて説明する。
【０１８８】
電子チケット確認装置６００ａは、入力部６０５よりタイトルＩＤを受け付ける（ステップＳ４００）。
受け付けたタイトルＩＤと対応付けられた電子チケットの情報のレコードが電子チケット情報テーブルＴ１００に存在するか否かを判断する（ステップＳ４０５）。
受け付けたタイトルＩＤと対応付けられた電子チケットの情報のレコードが電子チケット情報テーブルＴ１００に存在しない場合には、利用不可情報を生成し、生成した利用不可情報を表示する（ステップＳ４４５）。存在する場合には、受け付けたタイトルＩＤと対応付けられた電子チケットの情報のレコードを取得し、取得したレコードに含まれる映画館ＩＤ項目及び署名データ２項目に情報が存在するかどうかを確認して電子チケットが使用されているか否かを判断する（ステップＳ４１０）。
【０１８９】
電子チケットが使用されている場合には、利用不可情報を生成し、生成した利用不可情報を表示する（ステップＳ４４５）。電子チケットが未使用である場合には、取得したレコードに含まれる有効期限を用いて、期限が有効であるか否かを判断する（ステップＳ４１５）。
電子チケットが有効期限内でない場合には、利用不可情報を生成し、生成した利用不可情報を表示する（ステップＳ４４５）。有効期限内である場合には、発行公開鍵記憶部６０１より取得したレコードに含まれる販売店ＩＤと対応付けられた公開鍵を取得する（ステップＳ４２０）。取得した公開鍵と、取得したレコードに含まれるタイトルＩＤ、有効期限及び第１署名データとを用いて、署名検証を施して、第１署名データの正当性の判断を行う（ステップＳ４２５）。正当な第１署名データでない場合には、利用不可情報を生成し、生成した利用不可情報を表示する（ステップＳ４４５）。正当な第１署名データである場合には、第２署名データを生成し、映画館ＩＤと生成した第２署名データを取得したレコードの映画館ＩＤ項目及び署名データ２項目に付加して、電子チケット情報テーブルＴ１００の更新を行う（ステップＳ４３０）。次に受け付けたタイトルＩＤと対応付けられた利用特典に係る情報を利用特典管理テーブルＴ６１０から読み出し、利用特典情報を生成して、メモリカード１００の利用特典情報テーブルＴ１２０へ書き込み、利用特典情報に含まれるパッケージ予告編の音声データ名と対応付けられたパッケージ予告編の音声データを利用特典管理記憶部６０２より取得し、利用特典情報記憶部１０５へ書き込む（ステップＳ４３５）。さらに、チケット利用確認情報を生成して、映画会社管理装置４００へ送信する（ステップＳ４４０）。
【０１９０】
１．１６  利用情報登録処理の動作
ここでは、電子チケット利用時において、映画会社管理装置４００にて行われる利用情報登録処理について、図３０に示す流れ図を用いて説明する。
映画会社管理装置４００は、電子チケット確認装置６００ａよりチケット利用確認情報を受信する（ステップＳ４７０）。
【０１９１】
受信したチケット利用確認情報に含まれるユーザＩＤ及びタイトルＩＤの両者と一致するレコードを利用状況管理テーブルＴ４００より取得する（ステップＳ４７５）。
取得したレコードのチケット利用情報項目へ受信したチケット利用確認情報に含まれる映画館ＩＤ及び利用年月日を書き込み、利用状況管理テーブルＴ４００を更新する（ステップＳ４８０）。
【０１９２】
１．１７  パッケージ購入受付処理の動作
ここでは、パッケージ購入時において、パッケージ販売装置７００ａにて行われるパッケージ購入受付処理について、図３１に示す流れ図を用いて説明する。
パッケージ販売装置７００ａは、パッケージ購入依頼情報を通信端末装置２００より受信する（ステップＳ５００）。
【０１９３】
受信したパッケージ購入依頼情報に含まれる映画館ＩＤ及び第２署名データが空白であるか否かを確認して電子チケットが使用されているか否かを判断する（ステップＳ５０５）。
使用されている場合には、公開鍵テーブルＴ７００より、受信したパッケージ購入依頼情報に含まれる映画館ＩＤを対応付けられた公開鍵を取得する（ステップＳ５１０）。取得した公開鍵と、受信したパッケージ購入依頼情報に含まれるタイトルＩＤ、有効期限及び第２署名データとを用いて、署名検証を施して、第２署名データの正当性の判断を行う（ステップＳ５１５）。正当な第２署名データである場合には、受信したパッケージ購入依頼情報に基いて、パッケージの販売額及び販売するパッケージの形態を決定する（ステップＳ５２０）。次に、パッケージ購入確認情報を生成し、生成したパッケージ購入確認情報をパッケージの購入要求のあった通信端末装置２００へ送信するとともに、受信したパッケージ購入依頼情報を一時的に記憶する（ステップＳ５２５）。正当な第２署名データでない場合には、購入不可情報を生成し、生成した購入不可情報をパッケージの購入要求のあった通信端末装置２００へ送信する（ステップＳ５３０）。
【０１９４】
電子チケットが未使用であった場合には、受信したパッケージ購入依頼情報に基いて、チケット未使用時のパッケージ販売額を決定する（ステップＳ５３５）。次に、パッケージ購入確認情報を生成し、生成したパッケージ購入確認情報をパッケージの購入要求のあった通信端末装置２００へ送信するするとともに、生成したパッケージ購入確認情報を一時的に記憶する（ステップＳ５４０）。
【０１９５】
１．１８  パッケージ課金処理の動作
ここでは、パッケージ購入時において、パッケージ販売装置７００ａにて行われるパッケージ課金処理について、図３２に示す流れ図を用いて説明する。
パッケージ販売装置７００ａは、通信端末装置２００より利用者がパッケージの購入を決定した場合には、パッケージ課金依頼情報を受信し、購入の中止を決定した場合には、パッケージ課金中止情報を受信する（ステップＳ５７０）。
【０１９６】
受信した情報がパッケージ課金依頼情報であるか、パッケージ課金中止情報であるかの判定を行う（ステップＳ５７５）。
パッケージ課金依頼情報である場合には、パッケージ販売装置７００ａは、パッケージ購入受付処理にて一時的に記憶しているパッケージ購入確認情報を取得し、取得したパッケージ購入確認情報と受信したパッケージ課金依頼情報とを用いてパッケージ課金情報を生成し、生成したパッケージ課金情報をパッケージ課金テーブルＴ７１０へ書き込む（ステップＳ５８０）。次に、パッケージ販売情報を生成し、生成したパッケージ販売情報を映画会社管理装置４００へ送信する（ステップＳ５８５）。また、パッケージ購入完了情報を生成し、生成したパッケージ購入完了情報を購入要求のあった通信端末装置２００へ送信するとともに、一時的に記憶しているパッケージ購入確認情報を削除する（ステップＳ５９０）。
【０１９７】
パッケージ課金中止情報である場合には、パッケージ購入受付処理にて一時的に記憶しているパッケージ購入確認情報を削除し、パッケージ購入中止情報を生成し、生成したパッケージ購入中止情報を購入の中止依頼を要求した通信端末装置２００へ送信する（ステップＳ５９５）。
１．１９  パッケージ販売情報登録処理の動作
ここでは、パッケージ購入時において、映画会社管理装置４００にて行われるパッケージ販売情報登録処理について、図３３に示す流れ図を用いて説明する。
【０１９８】
映画会社管理装置４００は、パッケージ販売装置７００ａよりパッケージ販売情報を受信する（ステップＳ６２０）。
受信したパッケージ販売情報に含まれるユーザＩＤ及びタイトルＩＤの両者と一致するレコードを利用状況管理テーブルＴ４００より取得する（ステップＳ６２５）。
取得したレコードのパッケージ購入情報項目へ受信したパッケージ販売情報に含まれる販売店ＩＤ及び販売年月日を書き込み、利用状況管理テーブルＴ４００を更新する（ステップＳ６３０）。
【０１９９】
１．２０  再生処理の動作
ここでは、再生装置３００にて行われる再生時の動作について、図３４に示す流れ図を用いて説明する。
再生装置３００は、映画予告編の再生の場合には、第１再生依頼情報を受け付け、パッケージ予告編の再生の場合には、第２再生依頼情報を受け付け、パッケージの再生の場合には、第３再生依頼情報を受け付ける（ステップＳ６５０）。
【０２００】
受け付けた情報が第３再生依頼情報であるか否かを判断する（ステップＳ６５５）。第３再生依頼情報である場合には、再生装置３００に挿入されたパッケージから第２アクセス部を介して、音声データ及び映像データを読み出し、再生を行う（ステップＳ６６０）。受け付けた情報が第３再生依頼情報でない場合には、特典再生処理を行う（ステップＳ６６５）。
【０２０１】
１．２１  特典再生処理の動作
ここでは、再生装置３００にて行われる特典再生処理の動作について、図３５に示す流れ図を用いて説明する。
再生装置３００は、受け付けた情報が第１再生依頼情報であるか、第２再生依頼情報であるかの判断を行う（ステップＳ７００）。
【０２０２】
第１再生依頼情報である場合には、受け付けた第１再生依頼情報に含まれるタイトルＩＤと対応付けられた映画予告編の音声データ名が、メモリカード１００の購入特典情報テーブルＴ１１０に存在するか否かを判断する（ステップＳ７０５）。
映画予告編の音声データ名が存在しない場合には、再生不可情報を生成し、再生装置３００と接続されたディスプレイ装置へ出力する（ステップＳ７２０）。映画予告編の音声データ名が存在する場合には、挿入されているパッケージに記憶されているタイトルＩＤと受け付けたタイトルＩＤが一致するか否かを判断する（ステップＳ７１０）。一致しない場合には、再生不可情報を生成し、再生装置３００と接続されたディスプレイ装置へ出力し（ステップＳ７２０）、一致する場合には、メモリカード１００より第１アクセス部３０４を介して、受け付けたタイトルＩＤと対応付けられた映画予告編の音声データ名に基いて、映画予告編の音声データを読み出し、パッケージより第２アクセス部３０５を介して映画予告編の映像データを読み出し、読み出された音声データ及び映像データの同期をとって、再生を行う（ステップＳ７１５）。
【０２０３】
受け付けた情報が第２再生依頼情報である場合には、受け付けた第２再生依頼情報に含まれるタイトルＩＤと対応付けられたパッケージ予告編の音声データ名が、メモリカード１００の利用特典情報テーブルＴ１２０に存在するか否かを判断する（ステップＳ７２５）。
パッケージ予告編の音声データ名が存在しない場合には、再生不可情報を生成し、再生装置３００と接続されたディスプレイ装置へ出力する（ステップＳ７２０）。パッケージ予告編の音声データ名が存在する場合には、挿入されているパッケージに記憶されているタイトルＩＤと受け付けたタイトルＩＤが一致するか否かを判断する（ステップＳ７３０）。一致しない場合には、再生不可情報を生成し、再生装置３００と接続されたディスプレイ装置へ出力し（ステップＳ７２０）、一致する場合には、メモリカード１００より第１アクセス部３０４を介して、受け付けたタイトルＩＤと対応付けられたパッケージ予告編の音声データ名に基いて、パッケージ予告編の音声データを読み出し、パッケージより第２アクセス部３０５を介してパッケージ予告編の映像データを読み出し、読み出された音声データ及び映像データの同期をとって、再生を行う（ステップＳ７３５）。
【０２０４】
１．２２  第１の実施例のまとめ
以上、説明したように電子チケットシステム１は、パッケージを購入する場合に、電子チケットの利用に基いて、パッケージ購入割引などのサービスを提供することにより、パッケージ購入を希望する利用者は、パッケージ購入割引を受けるために電子チケットを購入、利用して、パッケージを購入するようになる。また、逆に電子チケットの利用者は、パッケージ購入の際、パッケージ購入割引を受けることができるため、パッケージの購入を行うようになる。これにより、電子チケットの販売及びパッケージ販売の双方に対する利益をもたらす。
【０２０５】
また、購入特典管理記憶部及び利用特典管理記憶部を設けることにより、利用者に対して、多種多様のサービスを提供することができる。
また、電子チケット購入時及び電子チケット利用時のそれぞれにデジタル署名を施している。電子チケット利用時には、電子チケットを購入した際に施されたデジタル署名を用いて、署名検証を行うことで、電子チケットの正当性を判断でき、パッケージ購入時には、電子チケット利用の際に施されたデジタル署名を用いて、署名検証を行うことで、電子チケットが正当に利用されたことが判断でき、セキュリティが向上される。
【０２０６】
また、電子チケット購入時、利用時及びパッケージ購入時において、消費者の情報を映画会社管理装置へ送信することで、映画会社はユーザの動向を知ることができる。
また、電子チケットの販売を行う会社は、電子チケットによりチケットの販路が広がり、さらには電子チケットの販売状況に応じて配当金が配布されるため、販売意欲の向上につながる。
【０２０７】
また、映画館業者は、電子チケットにより入場料管理が一括化されて容易になり、さらには、電子チケットの回収状況に応じて、配当金が配布されるため、映画の宣伝意欲の向上につながる。
また、パッケージの販売業者は、電子チケットを利用するユーザに対するパッケージ販売を独占でき、さらには、パッケージの販売状況に応じて、配当金が配布されるため、販売意欲向上につながる。
【０２０８】
さらには、ユーザの利益性と電子チケット販路拡大の相乗効果が期待できる。
２．  第２の実施の形態
本発明に係る第２の実施の形態としての電子チケットシステム２について説明する。なお、ここでは、第１の実施の形態との相違点を中心に説明する。
２．１  電子チケットシステム２の構成
ここでは、電子チケットシステム２の構成について説明する。
【０２０９】
電子チケットシステム２は、図３６に示す第１サブシステム１０ａ、１０ｂ、・・・、１０ｃ及び第２サブシステム３０とから構成される。なお、ここでは、第１の実施の形態との相違点を中心に説明する。第１サブシステム１０ａ、１０ｂ、・・・、１０ｃは、第１の実施の形態で示した第１サブシステムと同様の構成であるため、説明は省略する。第２サブシステム３０は、映画会社管理装置４５０と、電子チケット販売装置５５０ａ、５５０ｂ、・・・、５５０ｃと、電子チケット確認装置６５０ａ、６５０ｂ、・・・、６５０ｃと、パッケージ販売装置７００ａ、７００ｂ、・・・、７００ｃと、特典配布装置８５０ａ、８５０ｂ、・・・、８５０ｃとから構成される。
【０２１０】
電子チケット販売装置５５０ａ、５５０ｂ、・・・、５５０ｃ及びパッケージ販売装置７００ａ、７００ｂ、・・・、７００ｃは、第１サブシステム１０ａ、１０ｂ、・・・、１０ｃが有する通信端末装置がインターネットを介してネットワーク接続を行うために、インターネットのアドレスが対応付けられている。第１サブシステム１０ａ、１０ｂ、・・・、１０ｃが有する通信端末装置は、電子チケットを購入する場合には、電子チケット販売装置５５０ａ、５５０ｂ、・・・、５５０ｃと対応付けられたインターネットのアドレスにうち１つのインターネットのアドレスを用いて、そのアドレスに対応付けられた電子チケット販売装置とインターネットを介してネットワーク接続され、パッケージを購入する場合には、パッケージ販売装置７００ａ、７００ｂ、・・・、７００ｃと対応付けられたインターネットのアドレスのうち１つのインターネットのアドレスを用いて、そのアドレスに対応付けられたパッケージ販売装置とインターネットを介してネットワーク接続される。映画会社管理装置４５０は、電子チケット販売装置５５０ａ、５５０ｂ、・・・、５５０ｃ、電子チケット確認装置６５０ａ、６５０ｂ、・・・、６５０ｃ、パッケージ販売装置７００ａ、７００ｂ、・・・、７００ｃ及び特典配布装置８５０ａ、８５０ｂ、・・・、８５０ｃと専用線を介してネットワーク接続されている。映画会社管理装置４５０は、電子チケット販売装置５５０ａ、５５０ｂ、・・・、５５０ｃ、電子チケット確認装置６５０ａ、６５０ｂ、・・・、６５０ｃ、パッケージ販売装置７００ａ、７００ｂ、・・・、７００ｃ及び特典配布装置８５０ａ、８５０ｂ、・・・、８５０ｃから利用者に関する情報を受信し、受信した情報を管理する。
【０２１１】
電子チケット販売装置５５０ａは、映画会社又はチケット販売を行う会社にて管理されており、インターネット接続された通信端末装置から電子チケット購入に関する情報を受信し、受信した情報から電子チケットの発行を行い、発行された電子チケットの情報を電子チケットの購入要求のあった通信端末装置へ送信する。また、電子チケットを購入した利用者に関する情報を映画会社管理装置４５０へ送信する。
【０２１２】
なお、電子チケット販売装置５５０ｂ、・・・、５５０ｃは、電子チケット販売装置５５０ａと同様の動作を行うため、説明は省略する。
電子チケット確認装置６５０ａは映画館にて管理されており、映画館へ入場する場合には、電子チケットを記憶したメモリカード１００が挿入される。電子チケット確認装置６５０ａは、電子チケットを利用したことを示す情報を挿入されたメモリカード１００へ書き込む。また、電子チケットを利用した利用者に関する情報を映画会社管理装置４５０へ送信する。
【０２１３】
なお、電子チケット確認装置６５０ｂ、・・・、６５０ｃは、電子チケット確認装置６５０ａと同様の動作を行うため、説明は省略する。
パッケージ販売装置７００ａ、７００ｂ、・・・、７００ｃは、第１の実施の形態と同様であるため、説明は書略する。
特典配布装置８５０ａはコンビニエンスストアなどに設置及び管理されており、特典の配布を受ける場合には、電子チケットが記録されたメモリカード１００が挿入される。特典配布装置８５０ａは、購入特典の情報若しくは利用特典の情報を挿入されたメモリカード１００へ書き込む。また、特典を配布した利用者に関する情報を映画会社管理装置４５０へ送信する。
【０２１４】
なお、特典配布装置８５０ｂ、・・・、８５０ｃは、特典配布装置８５０ａと同様の動作を行うため、説明は省略する。
２．２  メモリカード１００の構成
メモリカード１００は、第１の実施の形態と同様であるため、説明は省略する。なお、以降の説明にて、第１の実施の形態の説明で用いた構成部の名称及びテーブルの名称と、それらに対応付けられた符号を用いる。
【０２１５】
なお、第１サブシステム１０ｂ、・・・、１０ｃが有する各メモリカードについても第１の実施の形態と同様である。
２．３  通信端末装置２００の構成
ここでは、通信端末装置２００の制御部２０２の構成について説明する。他の構成部は電子チケットシステム１と同じであるので、説明を省略する。
【０２１６】
２．３．１  制御部２０２
ここでは、制御部２０２について説明する。
（Ａ）  メモリカード１００の認証の場合
第１の実施の形態にて説明したメモリカード１００の認証の場合と同様であるため、説明は省略する。
【０２１７】
（Ｂ）  電子チケット購入の場合
制御部２０２は、入力部２０１より、インターネットのアドレスを受け取り、受け取ったアドレスを用いて、送受信部２０５を介して対応付けられた電子チケット販売装置とネットワーク接続を行う。なお、ここでは、電子チケット販売装置５５０ａとインターネットを介してネットワーク接続されたものとして、説明を行う。
【０２１８】
制御部２０２は、入力部２０１より、タイトルＩＤを受け取る。次に、メモリカード１００よりユーザＩＤを取得し、取得したユーザＩＤと入力部２０１より受け取ったタイトルＩＤとからなるチケット購入依頼情報を送受信部２０５を介して電子チケット販売装置５５０ａへ送信する。次に、電子チケット販売装置５５０ａから送受信部２０５を介して、ユーザＩＤ、タイトルＩＤ、電子チケットの有効期限及び電子チケットの代金からなるチケット購入確認情報を受信し、受信したチケット購入確認情報を一時的に記憶しておくとともに、表示部２０３へ出力する。
【０２１９】
入力部２０１より、チケット支払方法情報を受け取った場合には、受け取ったチケット支払方法情報とユーザＩＤとからなるチケット課金依頼情報を生成し、電子チケット販売装置５５０ａへ送受信部２０５を介して送信する。
キャンセル情報を受け取った場合には、受け取ったキャンセル情報とユーザＩＤとからなるチケット課金中止情報を生成し、電子チケット販売装置５５０ａへ送受信部２０５を介して送信する。
【０２２０】
制御部２０２は、電子チケット販売装置５５０ａから送受信部２０５を介して、署名データ情報とチケット購入完了情報とを含むチケット購入確定情報を受信した場合には、受信したチケット購入確定情報に含まれるチケット購入完了情報を表示部２０３へ出力するとともに、購入チケット情報を生成する。生成された購入チケット情報に含まれるタイトルＩＤ、有効期限、販売店ＩＤ及び第１署名データを電子チケット情報テーブルＴ１００のタイトルＩＤ項目、有効期限項目、販売店ＩＤ項目及び署名データ１項目へそれぞれ書き込み、一時的に記憶しているチケット購入確認情報を破棄する。
【０２２１】
チケット購入中止情報を受信した場合には、受信したチケット購入中止情報を表示部２０３へ出力するとともに、チケット購入確認情報を破棄する。
（Ｃ）  パッケージ購入の場合
制御部２０２は、入力部２０１より、インターネットのアドレスを受け取り、受け取ったアドレスを用いて、送受信部２０５を介して対応付けられたパッケージ販売装置とネットワーク接続を行う。なお、ここでは、パッケージ販売装置７００ａとインターネットを介してネットワーク接続されたものとして、説明を行う。
【０２２２】
制御部２０２は、入力部２０１より、タイトルＩＤを受け取る。次に、メモリカード１００よりユーザＩＤを取得する。受け取ったタイトルＩＤと一致するタイトルＩＤと、タイトルＩＤと対応付けられた有効期限、映画館ＩＤ及び第２署名データとからなる組を電子チケット情報テーブルＴ１００から取得する。ただし、電子チケット未使用時には、取得した映画館ＩＤ及び第２署名データは空白である。次に、受け取ったタイトルＩＤを用いて、購入特典情報テーブルＴ１１０から受け取ったタイトルＩＤと一致するタイトルＩＤと、タイトルＩＤと対応付けられた割引データとからなる組を取得する。
【０２２３】
次に、以下のようにして、パッケージ購入依頼情報を生成する。
電子チケット情報テーブルＴ１００から取得した映画館ＩＤ及び第２署名データが空白であるか否かを確認することにより、電子チケットが利用されているか否かの判断を行い、利用されている場合には、利用特典情報テーブルＴ１２０から受け取ったタイトルＩＤと一致するタイトルＩＤと、タイトルＩＤと対応付けられた限定データ２及び付加情報とからなる組を取得する。入力部２０１より受け取ったタイトルＩＤと、取得したユーザＩＤと、電子チケット情報テーブルＴ１００、購入特典情報テーブルＴ１１０及び利用特典情報テーブルＴ１２０から取得した情報とを用いて、ユーザＩＤ、タイトルＩＤ、有効期限、映画館ＩＤ、第２署名データ、割引データ、限定データ２及び付加情報とからなるパッケージ購入依頼情報を生成する。
【０２２４】
電子チケットが利用されていない場合には、入力部２０１より受け取ったタイトルＩＤと、取得したユーザＩＤと、電子チケット情報テーブルＴ１００及び購入特典情報テーブルＴ１１０から取得した情報とを用いて、ユーザＩＤ、タイトルＩＤ、有効期限、映画館ＩＤ、第２署名データ及び割引データとからなるパッケージ購入依頼情報を生成する。
生成したパッケージ購入依頼情報をパッケージ販売装置７００ａへ送受信部２０５を介して送信する。
【０２２５】
なお、特典配布装置８５０ａ、８５０ｂ、・・・、８５０ｃより特典の配布を受けていない場合には、特典の情報がメモリカード１００から取得できないため、割引の情報などの特典に係る情報は、空白としてパッケージ購入依頼情報が生成され送信される。
次に、電子チケットが利用されている場合には、パッケージ販売装置７００ａから送受信部２０５を介して、ユーザＩＤ、タイトルＩＤ、購入するパッケージの形態に関する情報、及びパッケージの代金からなるパッケージ購入確認情報を受信し、受信したパッケージ購入確認情報を表示部２０３へ出力する。電子チケットが利用されていない場合には、ユーザＩＤ、タイトルＩＤ及びパッケージの代金からなるパッケージ購入確認情報を受信し、受信したパッケージ購入確認情報を表示部２０３へ出力する。
【０２２６】
入力部２０１より、パッケージ支払方法情報を受け取った場合には、受け取ったパッケージ支払方法情報とユーザＩＤとからなるパッケージ課金依頼情報を生成し、パッケージ販売装置７００ａへ送受信部２０５を介して送信する。キャンセル情報を受け取った場合には、受け取ったキャンセル情報とユーザＩＤとからなるパッケージ課金中止情報を生成し、パッケージ販売装置７００ａへ送受信部２０５を介して送信する。
【０２２７】
さらに、パッケージ販売装置７００ａから送受信部２０５を介して、パッケージ購入手続きが完了した旨を示すパッケージ購入完了情報を受信した場合には、受信したパッケージ購入完了情報を表示部２０３へ出力し、パッケージ購入不可を示すパッケージ購入不可情報を受信した場合には、受信したパッケージ購入不可情報を表示部２０３へ出力し、購入中止の手続きの完了の旨を示すパッケージ購入中止情報を受信した場合には、受信したパッケージ購入中止情報を表示部２０３へ出力する。
【０２２８】
２．４  再生装置３００の構成
再生装置３００は、第１の実施の形態と同様であるため、説明は省略する。なお、第１サブシステム１０ｂ、・・・、１０ｃが有する各再生装置についても、再生装置３００と同様の構成を有しているため、説明は省略する。また、以降の説明にて、第１の実施の形態の説明で用いた構成部の名称と、それらに対応付けられた符号を用いる。
【０２２９】
２．５  映画会社管理装置４５０の構成
ここでは、映画会社管理装置４５０の構成について説明する。
映画会社管理装置４５０は、図３７に示すチケット利用状況記憶部４５１、利用情報登録部４５２、配当金計算部４５３及び送受信部４５４とから構成されている。
映画会社管理装置４５０は、具体的には、マイクロプロセッサ、ＲＯＭ、ＲＡＭ、ハードディスクユニット、ディスプレイユニット、キーボード、マウス、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、映画会社管理装置４５０は、その機能を達成する。
【０２３０】
ここで、映画会社管理装置４５０は、ユーザＩＤと対応付けられた個人情報をセキュリティ対策が施された状態で管理しているものとする。セキュリティ対策が施された状態は、一例として、暗号化された状態である。
２．５．１  チケット利用状況記憶部４５１
チケット利用状況記憶部４５１は、図３８に一例として示すように利用状況管理テーブルＴ４５０を有している。
【０２３１】
利用状況管理テーブルＴ４５０は、ユーザＩＤ、タイトルＩＤ、チケット購入情報、チケット利用情報、パッケージ購入情報、特典配布情報１、特典配布情報２からなる組を一個以上記憶するための領域を備えている。
ユーザＩＤは、利用者を識別するための識別子である。
タイトルＩＤは、映画を識別するための識別子である。
【０２３２】
チケット購入情報は、販売店ＩＤ１と販売年月日１とからなる組から構成されている。販売店ＩＤ１は、電子チケット販売店を識別するための識別子であり、販売年月日１は、電子チケットが販売された年月日である。
チケット利用情報は、映画館ＩＤと利用年月日とからなる組から構成されている。映画館ＩＤは、映画館を識別するための識別子であり、利用年月日は、電子チケットが利用された年月日である。
【０２３３】
パッケージ購入情報は、販売店ＩＤ２と販売年月日２とからなる組から構成されている。販売店ＩＤ２は、パッケージ販売店を識別するための識別子であり、販売年月日２は、パッケージが販売された年月日である。
特典配布情報１は、配布店ＩＤ１と配布年月日１とからなる組から構成され、購入特典が配布された場合に登録される。配布店ＩＤ１は、配布店を識別するための識別子であり、配布年月日１は、購入特典が配布された年月日である。
【０２３４】
特典配布情報２は、配布店ＩＤ２と配布年月日２とからなる組から構成され、利用特典が配布された場合に登録される。配布店ＩＤ２は、配布店を識別するための識別子であり、配布年月日２は、利用特典が配布された年月日である。
２．５．２  利用情報登録部４５２
ここでは、利用情報登録部４５２について説明する。
【０２３５】
（Ａ）  電子チケット購入の場合
第１の実施の形態にて説明した電子チケット購入の場合と同様であるため、説明は省略する。
（Ｂ）  電子チケット利用の場合
第１の実施の形態にて説明した電子チケット利用の場合と同様であるため、説明は省略する。
【０２３６】
（Ｃ）  パッケージ購入の場合
第１の実施の形態にて説明したパッケージ購入の場合と同様であるため、説明は省略する。
（Ｄ）  購入特典配布の場合
利用情報登録部４５２は、特典配布装置８５０ａ、８５０ｂ、・・・、８５０ｃから送受信部４５４を介して、ユーザＩＤ、タイトルＩＤ、配布店ＩＤ及び購入特典の配布年月日からなる購入特典配布情報を受信する。受信した購入特典配布情報に含まれるユーザＩＤ及びタイトルＩＤとを用いて、利用状況管理テーブルＴ４５０からユーザＩＤ及びタイトルＩＤの双方と一致するデータを取得し、購入特典配布情報に含まれる配布店ＩＤ及び配布年月日を取得したデータの特典配布情報１の配布店ＩＤ１項目及び配布年月日１項目へ書き込む。
【０２３７】
（Ｅ）  利用特典配布の場合
利用情報登録部４５２は、特典配布装置８５０ａ、８５０ｂ、・・・、８５０ｃから送受信部４５４を介して、ユーザＩＤ、タイトルＩＤ、配布店ＩＤ及び利用特典の配布年月日からなる利用特典配布情報を受信する。受信した利用特典配布情報に含まれるユーザＩＤ及びタイトルＩＤとを用いて、利用状況管理テーブルＴ４５０からユーザＩＤ及びタイトルＩＤの双方と一致するデータを取得し、利用特典配布情報に含まれる配布店ＩＤ及び配布年月日を取得したデータの特典配布情報２の配布店ＩＤ２項目及び配布年月日２項目へ書き込む。
【０２３８】
２．５．３  配当金計算部４５３
配当金計算部４５３は、電子チケットの販売状況、利用状況、パッケージの販売状況及び特典の配布状況に応じて、一定率の金額を還元するための配当金を計算し、各装置へ配当金の算出結果を送受信部４５４を介して送信する。ここで、配当金は、結果の通知後、現金払いなどにより支払われる。
【０２３９】
電子チケット販売状況の場合、電子チケット利用状況の場合及びパッケージ販売状況の場合については、第１の実施の形態における説明と同様であるため、説明は省略する。
特典の配布状況の場合には、利用状況管理テーブルＴ４５０の特典配布情報１項目及び特典配布情報２項目から、配当金の算出の対象期間における各配布店の配布状況から配当金を算出し、配布店ＩＤと算出結果とからなる第４配当金情報を配布店ＩＤと対応付けられた特典販売装置へ送受信部４５４を介して送信する。
【０２４０】
２．５．４  送受信部４５４
送受信部４５４は、電子チケット販売装置５５０ａ、５５０ｂ、・・・、５５０ｃ、電子チケット確認装置６５０ａ、６５０ｂ、・・・、６５０ｃ、パッケージ販売装置７００ａ、７００ｂ、・・・、７００ｃ及び特典配布装置８５０ａ、８５０ｂ、・・・、８５０ｃから受信した情報を利用情報登録部４５２へ出力する。また、配当金計算部４５３から第１配当金情報を受け取った場合には、販売店ＩＤと対応付けられた電子チケット販売装置へ送信し、第２配当金情報を受け取った場合には、映画館ＩＤと対応付けられた電子チケット確認装置へ送信し、第３配当金情報を受け取った場合には、販売店ＩＤと対応付けられたパッケージ販売装置へ送信し、第４配当金情報を受け取った場合には、配布店ＩＤと対応付けられた特典配布装置へ送信する。
【０２４１】
２．６  電子チケット販売装置５５０ａの構成
ここでは、電子チケット販売装置５５０ａの構成について説明する。
電子チケット販売装置５５０ａは、図３９に示す販売店ＩＤ記憶部５０１、発行秘密鍵記憶部５０２、電子チケット管理記憶部５０４、電子チケット課金記憶部５０５、電子チケット発行部５５１、第１送受信部５０７及び第２送受信部５０８とから構成されている。なお、図３９において、図１０と同じ符号の構成要素は同一のため、説明は省略し、第１の実施の形態との相違点を中心に説明する。
【０２４２】
電子チケット販売装置５５０ａは、具体的には、マイクロプロセッサ、ＲＯＭ、ＲＡＭ、ハードディスクユニット、ディスプレイユニット、キーボード、マウス、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、電子チケット販売装置５５０ａは、その機能を達成する。
【０２４３】
電子チケット販売装置５５０ａは、電子チケット販売装置５５０ａと対応付けられたインターネットのアドレスを受け付けた通信端末装置からのネットワーク接続要求を受信することで、前記通信端末装置とインターネットを介してネットワーク接続される。ここでは、通信端末装置２００からのネットワーク接続要求を受信して、通信端末装置２００とインターネットを介してネットワーク接続されているものとして、説明を行う。
【０２４４】
なお、電子チケット販売装置５５０ｂ、・・・、５５０ｃは、電子チケット販売装置５５０ａと同様の構成を有しているため、説明は省略する。
２．６．１  電子チケット発行部５５１
電子チケット発行部５５１は、電子チケットの代金をあらかじめ記憶している。
電子チケット発行部５５１は、通信端末装置２００から第２送受信部５０８を介して、チケット購入依頼情報を受信する。電子チケット管理記憶部５０４に記憶している電子チケット管理テーブルＴ５１０より受信したチケット購入依頼情報に含まれるタイトルＩＤと一致するレコードを取得する。次に、受信したチケット購入依頼情報に含まれるユーザＩＤと、取得したレコードと、あらかじめ記憶されている電子チケットの代金とを用いて、チケット購入確認情報を生成し、生成したチケット購入確認情報を第２送受信部５０８を介して、電子チケット購入の依頼があった通信端末装置２００へ送信する。また、生成したチケット購入確認情報を一時的に記憶しておく。
【０２４５】
次に、電子チケット発行部５５１は、通信端末装置２００から第２送受信部５０８を介して、チケット課金依頼情報、若しくはチケット課金中止情報を受信し、受信した情報が、チケット課金依頼情報、又はチケット課金中止情報のうち何れであるかを判断する。
チケット課金依頼情報を受信したと判断する場合には、受信したチケット課金依頼情報に含まれるユーザＩＤ及びタイトルＩＤとを用いて、一時的に記憶しているチケット購入確認情報を取得する。取得したチケット購入依頼情報に含まれるユーザＩＤ、タイトルＩＤと、チケット課金依頼情報に含まれる支払方法と、電子チケットの代金と、販売年月日とを用いてチケット課金情報を生成し、生成したチケット課金情報を電子チケット課金記憶部５０５へ書き込む。次に、チケット販売情報を生成し、生成したチケット販売情報を映画会社管理装置４５０へ第１送受信部５０７を介して送信する。さらに、発行秘密鍵記憶部５０２にて記憶されている秘密鍵を読み出し、読み出した秘密鍵を用いて、取得したチケット購入確認情報に含まれるタイトルＩＤ及び有効期限に対してデジタル署名を施して第１署名データを生成し、生成された第１署名データと販売店ＩＤ記憶部５０１で記憶されている販売店ＩＤとからなる署名データ情報を生成し、且つチケット購入完了情報を生成し、生成された署名データ情報及びチケット購入完了情報を含むチケット購入確定情報を生成する。生成したチケット購入確定情報を第２送受信部５０８を介して、チケット購入の要求のあった通信端末装置２００へ送信し、一時的に記憶しているチケット購入確認情報を削除する。
【０２４６】
チケット課金中止情報を受信したと判断する場合には、受信したチケット課金中止情報に含まれるユーザＩＤ及びタイトルＩＤとを用いて、一時的に記憶しているチケット購入確認情報を削除する。さらに、チケット購入中止情報を生成し、生成したチケット購入中止情報をチケット購入中止の要求のあった通信端末装置２００へ送信する。
２．７  電子チケット確認装置６５０ａの構成
ここでは、電子チケット確認装置６５０ａの構成について説明する。
【０２４７】
電子チケット確認装置６５０ａは、図４０に示す発行公開鍵記憶部６０１、秘密鍵記憶部６０３、映画館ＩＤ記憶部６０４、入力部６０５、電子チケット確認部６５１、表示部６０７、入出力部６０８及び送受信部６０９とから構成されている。なお、図４０において、図１３と同じ符号の構成要素は同一のため、説明は省略し、第１の実施の形態との相違点を中心に説明する。
【０２４８】
電子チケット確認装置６５０ａは、具体的には、マイクロプロセッサ、ＲＯＭ、ＲＡＭ、ハードディスクユニット、ディスプレイユニット、キーボード、マウス、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、電子チケット確認装置６５０ａは、その機能を達成する。
【０２４９】
第１サブシステム１０ａ、１０ｂ、・・・、１０ｃが有するどのメモリカードを用いても達成される機能は同様であるため、ここでは、メモリカード１００を用いて説明を行う。
なお、電子チケット確認装置６５０ｂ、・・・、６５０ｃは、電子チケット確認装置６５０ａと同様の構成を有しているため、説明は省略する。
【０２５０】
２．７．１  電子チケット確認部６５１
（Ａ）  メモリカード１００の認証の場合
第１の実施の形態にて説明したメモリカード１００の認証の場合と同様であるため、説明は省略する。
（Ｂ）  電子チケットの利用の場合
電子チケット確認部６５１は、入力部６０５よりタイトルＩＤを受け取り、メモリカード１００の電子チケット情報記憶部１０３に記憶されている電子チケット情報テーブルＴ１００より、受け取ったタイトルＩＤと一致する電子チケットの情報のレコードを取得する。受け取ったタイトルＩＤと一致するレコードが存在しない場合には、電子チケットの利用不可を示す利用不可情報を表示部６０７へ出力する。
【０２５１】
取得したレコードに含まれる映画館ＩＤ項目及び署名データ２項目のそれぞれに情報が存在するか否かを確認することにより、電子チケットが使用されているか否かの判断を行う。
電子チケットが既に使用されている場合には、電子チケットの利用不可を示す利用不可情報を表示部６０７へ出力する。電子チケットが未使用の場合には、取得したレコードに含まれる有効期限の情報を用いて、有効期限内の電子チケットであるか否かを判定する。有効期限内でない場合には、利用不可情報を表示部６０７へ出力する。有効期限内である場合には、取得したレコードに含まれる販売店ＩＤと対応付けられた公開鍵を発行公開鍵記憶部６０１より取得し、取得した公開鍵と取得したレコードのタイトルＩＤ、有効期限及び第１署名データとを用いて、署名検証を施して、第１署名データの正当性の判断を行う。正当な第１署名データでないと判断された場合には、利用不可情報を表示部６０７へ出力する。正当な第１署名データであると判断された場合には、秘密鍵記憶部６０３にて記憶された秘密鍵を用いて、タイトルＩＤ及び有効期限に対してデジタル署名を施して、第２署名データを生成し、生成した第２署名データと映画館ＩＤとを取得したレコードの映画館ＩＤ項目及び署名データ２項目に付加して、電子チケット情報テーブルＴ１００の更新を行う。さらに、メモリカード１００のユーザＩＤ記憶部１０２よりユーザＩＤを取得し、取得したユーザＩＤと受け取ったタイトルＩＤ及び映画館ＩＤ及び利用年月日を用いてチケット利用確認情報を生成し、生成したチケット利用確認情報を送受信部６０９を介して、映画会社管理装置４５０へ送信する。
【０２５２】
ここで、署名検証は、電子チケット販売時のデジタル署名により生成された第１署名データを検証するアルゴリズムである。また、第２署名データを生成するデジタル署名は、一例として、有限体上のエルガマル署名である。有限体上のエルガマル署名は公知であるので説明は省略する。
２．８  パッケージ販売装置７００ａの構成
パッケージ販売装置７００ａは、第１の実施の形態と同様であるため、説明は省略する。なお、パッケージ販売装置７００ｂ、・・・、７００ｃについても、パッケージ販売装置７００ａと同様の構成を有しているため、説明は省略する。また、以降の説明にて、第１の実施の形態の説明で用いた構成部の名称及びテーブルの名称と、それらに対応付けられた符号を用いる。
【０２５３】
なお、受信したパッケージ購入依頼情報に含まれる割引の情報などの特典に係る情報が空白の場合には、特典は受けられない。例えば、割引に関しては、適用されず通常のパッケージ価格が適用される。
２．９  特典配布装置８５０ａ
ここでは、特典配布装置８５０ａの構成について説明する。
【０２５４】
特典配布装置８５０ａは、図４１に示す購入特典管理記憶部５０３、発行公開鍵記憶部６０１、利用特典管理記憶部６０２、公開鍵記憶部７０２、入力部８５１、特典配布部８５２、表示部８５３、入出力部８５４及び送受信部８５５とから構成されている。なお、図４１において、図１０、図１４及び図１７にて用いた符号と同じ符号の構成要素は同一のため、説明は省略し、第１の実施の形態との相違点を中心に説明する。
【０２５５】
特典配布装置８５０ａは、具体的には、マイクロプロセッサ、ＲＯＭ、ＲＡＭ、ハードディスクユニット、ディスプレイユニット、キーボード、マウス、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、特典配布装置８５０ａは、その機能を達成する。
【０２５６】
第１サブシステム１０ａ、１０ｂ、・・・、１０ｃが有するどのメモリカードを用いても達成される機能は同様であるため、ここでは、メモリカード１００を用いて説明を行う。
なお、特典配布装置８５０ｂ、・・・、８５０ｃは、特典配布装置８５０ａと同様の構成を有しているため、説明は省略する。
【０２５７】
２．９．１  入力部８５１
ここでは、入力部８５１について説明する。
（Ａ）  メモリカード１００の認証の場合
入力部８５１は、メモリカード１００が挿入された場合には、メモリカード１００の認証を行うためにパスワードを受け付け、受け付けたパスワードを特典配布部８５２へ出力する。
【０２５８】
（Ｂ）  購入特典配布の場合
入力部８５１は、購入特典の配布を依頼する旨の情報とタイトルＩＤとからなる購入特典配布依頼情報を受け付け、受け付けた購入特典配布依頼情報を特典配布部８５２へ出力する。
（Ｃ）  利用特典配布の場合
入力部８５１は、利用特典の配布を依頼する旨の情報とタイトルＩＤとからなる利用特典配布依頼情報を受け付け、受け付けた利用特典配布依頼情報を特典配布部８５２へ出力する。
【０２５９】
２．９．２  特典配布部８５２
ここでは、特典配布部８５２について説明する。
（Ａ）  メモリカード１００の認証の場合
特典配布部８５２は、入力部８５１より認証を行うためのパスワードを受け取ると、受け取ったパスワードを入出力部８５４を介して、メモリカード１００へ出力する。また、メモリカード１００より入出力部８５４を介して、認証結果として使用可能情報を受け取った場合には、受け取った使用可能情報を表示部８５３へ出力し、認証結果として使用不可情報を受け取った場合には、受け取った使用不可情報を表示部８５３へ出力する。
【０２６０】
（Ｂ）  購入特典配布の場合
特典配布部８５２は、入力部８５１より購入特典配布依頼情報を受け取ると、受け取った購入特典配布依頼情報に含まれるタイトルＩＤと一致するレコードが電子チケット情報記憶部１０３の電子チケット情報テーブルＴ１００に存在するか否かを判断する。
存在しない場合には、特典配布の不可を示す配布不可情報を表示部８５３へ出力する。存在する場合には、当該レコードを取得し、取得したレコードに含まれる販売店ＩＤと対応付けられた公開鍵を発行公開鍵記憶部６０１より取得し、取得した公開鍵と、取得したレコードに含まれるタイトルＩＤ、有効期限及び署名データ１項目に記録されている第１署名データを用いて、署名検証を施して、第１署名データの正当性の判断を行う。正当な第１署名データでないと判断された場合には、配布不可情報を表示部８５３へ出力する。正当な第１署名データであると判断された場合には、受け取ったタイトルＩＤと一致する購入特典の情報を購入特典管理記憶部５０３より取得し、取得した購入特典の情報をメモリカード１００の購入特典情報テーブルＴ１１０へ書き込み、さらに、取得した購入特典の情報に含まれる音声データ１項目に登録された映画予告編の音声データを取得し、取得した音声データを購入特典情報記憶部１０４へ書き込む。さらに、購入特典配布情報を生成し、生成した購入特典配布情報を送受信部８５５を介して映画会社管理装置４５０へ送信する。
【０２６１】
ここで、第１署名データに対する署名検証は、電子チケット販売時のデジタル署名により生成された第１署名データを検証するアルゴリズムである。
（Ｃ）  利用特典配布の場合
特典配布部８５２は、入力部８５１より利用特典配布依頼情報を受け取ると、受け取った利用特典配布依頼情報に含まれるタイトルＩＤと一致するレコードが電子チケット情報記憶部１０３の電子チケット情報テーブルＴ１００に存在するか否かを判断する。
【０２６２】
存在しない場合には、特典配布の不可を示す配布不可情報を表示部８５３へ出力する。存在する場合には、当該レコードを取得し、電子チケットが使用されているか否かを判断する。使用されていない場合には、特典配布の不可を示す配布不可情報を表示部８５３へ出力する。使用されている場合には、取得したレコードに含まれる映画館ＩＤと対応付けられた公開鍵を公開鍵記憶部７０２より取得し、取得した公開鍵と、取得したレコードに含まれるタイトルＩＤ、有効期限及び署名データ２項目に記録されている第２署名データを用いて、署名検証を施して、第２署名データの正当性の判断を行う。正当な第２署名データでないと判断された場合には、配布不可情報を表示部８５３へ出力し、正当な第２署名データであると判断された場合には、受け取ったタイトルＩＤと一致する利用特典の情報を利用特典管理記憶部６０２より取得し、取得した利用特典の情報をメモリカード１００の利用特典情報テーブルＴ１２０へ書き込み、さらに、取得した利用特典の情報に含まれる音声データ２項目に登録されたパッケージ予告編の音声データを利用特典管理記憶部６０２より取得し、取得した音声データを利用特典情報記憶部１０５へ書き込む。さらに、利用特典配布情報を生成し、生成した利用特典配布情報を送受信部８５５を介して映画会社管理装置４５０へ送信する。
【０２６３】
ここで、第２署名データに対する署名検証は、電子チケット利用時のデジタル署名により生成された第２署名データを検証するアルゴリズムである。
２．９．３  表示部８５３
表示部８５３は、メモリカード１００の認証において、使用可能情報を受け取った場合には、使用可能情報を表示し、使用不可情報を受け取った場合には、使用不可情報を表示する。
【０２６４】
特典配布において、特典配布部８５２から配布利用不可情報を受け取った場合には、受け取った配布不可情報を表示する。
また、配当金算出の結果を受け取った場合には、受け取った配当金算出の結果を表示し、特典配布装置８５０ａの管理者へ通知する。
２．９．４  入出力部８５４
入出力部８５４は、特典配布部８５２から受け取った情報をメモリカード１００へ出力し、メモリカード１００から受け取った情報を特典配布部８５２へ出力する。
【０２６５】
２．９．５  送受信部８５５
送受信部８５５は、特典配布部８５２から受け取った情報を映画会社管理装置４５０へ送信する。また、映画会社管理装置４５０から配当金算出の結果を受信し、受信した情報を特典配布部８５２を介して、表示部８５３へ出力する。
２．１０  電子チケットシステム２の動作概要
ここでは、電子チケットシステム２の動作概要について説明する。
【０２６６】
２．１０．１  メモリカード１００の認証時の動作概要
メモリカード１００が通信端末装置２００に挿入された場合のメモリカード１００の認証時の動作概要は、第１の実施の形態の図２０で示した処理概要の流れと同様であるため、説明は省略する。
なお、メモリカード１００が再生装置３００に挿入された場合、電子チケット確認装置に挿入された場合及び特典配布装置８５０ａ、８５０ｂ、・・・、８５０ｃに挿入された場合においても、同様の処理概要である。
【０２６７】
２．１０．２  電子チケット購入時の動作概要
電子チケット購入時の動作概要は、第１の実施の形態の図２１で示した処理概要の流れと同様であるため、説明は省略する。
２．１０．３  電子チケット確認時の動作概要
電子チケット確認時の動作概要は、第１の実施の形態の図２２で示した処理概要と同様であるため、説明は省略する。
【０２６８】
２．１０．４  パッケージ購入時の動作概要
パッケージ購入時の動作概要は、第１の実施の形態の図２３で示した処理概要と同様であるため、説明は省略する。
２．１０．５  特典配布時の動作概要
ここでは、特典配布時の動作概要について、図４２に示す流れ図を用いて説明する。
【０２６９】
特典配布装置８５０ａは、利用者から、購入特典配布依頼情報若しくは、利用特典配布依頼情報を受け付け、受け付けた情報を用いて、特典配布処理を行い、購入特典配布情報若しくは利用特典配布情報を生成した場合には、生成した情報を映画会社管理装置４５０へ送信する（ステップＳ８００）。
映画会社管理装置４５０は、受信した情報を用いて、特典配布情報登録処理を行う（ステップＳ８０５）。
【０２７０】
２．１１  認証処理の動作
メモリカード１００にて行われる認証処理の動作は、第１の実施の形態の図２４で示した処理の動作と同様であるため、説明は省略する。
２．１２  チケット購入受付処理の動作
ここでは、電子チケット購入時において、電子チケット販売装置５５０ａにて行われるチケット購入受付処理について、図４３に示す流れ図を用いて説明する。
【０２７１】
電子チケット販売装置５５０ａは、チケット購入依頼情報を通信端末装置２００より受信する（ステップＳ８３０）。
電子チケット管理テーブルＴ５１０より受信したチケット購入依頼情報に含まれるタイトルＩＤと対応付けられた電子チケットの情報を取得する（ステップＳ８３５）。
取得した電子チケットの情報を用いて、チケット購入確認情報を生成し、購入要求のあった通信端末装置２００へ送信するとともに、生成したチケット購入確認情報を一時的に記憶する（ステップＳ８４０）。
【０２７２】
２．１３  チケット課金処理の動作
電子チケット購入時において、電子チケット販売装置５５０ａにて行われるチケット課金処理は、第１の実施の形態の図２６で示した処理の動作と同様であるため、説明は省略する。なお、図２６のステップＳ２８０は行わず、ステップＳ２７５の実行後、ステップＳ２８５を行う。
【０２７３】
２．１４  チケット販売情報登録処理の動作
電子チケット購入時において、映画会社管理装置４５０にて行われるチケット販売登録処理は、第１の実施の形態の図２７で示した処理の動作と同様であるため、説明は省略する。
２．１５  チケット購入処理の動作
ここでは、電子チケット購入時において、通信端末装置２００にて行われるチケット購入処理について、図４４に示す流れ図を用いて説明する。
【０２７４】
通信端末装置２００は、チケット課金依頼情報を送信した場合には、電子チケット販売装置５５０ａよりチケット購入確定情報を受信し、チケット課金中止情報を送信した場合には、チケット購入中止情報を受信する（ステップＳ８７０）。
受信した情報がチケット購入確定完了情報であるか、チケット購入中止情報であるかの判定を行う（ステップＳ８７５）。
【０２７５】
チケット購入確定情報を受信した場合には、受信したチケット購入確定情報に含まれる署名データ情報と一時的に記憶しているチケット購入確認情報とを用いて、購入チケット情報を生成し、電子チケット情報テーブルＴ１００へ書き込む（ステップＳ８８０）。次に、一時的に記憶しているチケット購入情報を削除し（ステップＳ８８５）、チケット購入確定情報に含まれるチケット購入完了情報を受信した旨を示すメッセージを表示して利用者へ通知する（ステップＳ８９０）。
【０２７６】
チケット購入中止情報を受信した場合には、一時的に記憶しているチケット購入情報を削除し（ステップＳ８８５）、チケット購入中止情報を受信した旨を示すメッセージを表示して利用者へ通知する（ステップＳ８９０）。
２．１６  チケット利用処理の動作
ここでは、電子チケット利用時において、電子チケット確認装置６５０ａにて行われるチケット利用処理について、図４５に示す流れ図を用いて説明する。
【０２７７】
電子チケット確認装置６５０ａは、入力部６０５よりタイトルＩＤを受け付ける（ステップＳ９００）。
受け付けたタイトルＩＤと対応付けられた電子チケットの情報のレコードが電子チケット情報テーブルＴ１００に存在するか否かを判断する（ステップＳ９０５）。
受け付けたタイトルＩＤと対応付けられた電子チケットの情報のレコードが電子チケット情報テーブルＴ１００に存在しない場合には、利用不可情報を生成し、表示部６０７にて、表示する（ステップＳ９４０）。存在する場合には、受け付けたタイトルＩＤと対応付けられた電子チケットの情報のレコードを取得し、取得したレコードに含まれる映画館ＩＤ項目及び署名データ２項目に情報が存在するかどうかを確認して電子チケットが使用されているか否かを判断する（ステップＳ９１０）。
【０２７８】
電子チケットが使用されている場合には、利用不可情報を生成し、表示部６０７にて、表示する（ステップＳ９４０）。電子チケットが未使用である場合には、取得したレコードに含まれる有効期限を用いて、期限が有効であるか否かを判断する（ステップＳ９１５）。
電子チケットが有効期限内でない場合には、利用不可情報を生成し、表示部６０７にて、表示する（ステップＳ９４０）。有効期限内である場合には、取得したレコードに含まれる販売店ＩＤを用いて発行公開鍵記憶部６０１より公開鍵を取得する（ステップＳ９２０）。取得した公開鍵と、取得したレコードに含まれるタイトルＩＤ、有効期限及び第１署名データとを用いて署名検証を施し、第１署名データの正当性を判定する（ステップＳ９２５）。正当な第１署名データでない場合には、利用不可情報を生成し、表示部６０７にて、表示し（ステップＳ９４０）、正当な第１署名データである場合には、第２署名データを生成し、映画館ＩＤと生成した第２署名データを取得したレコードの映画館ＩＤ項目及び署名データ２項目に付加して、電子チケット情報テーブルＴ１００の更新を行う（ステップＳ９３０）。次に、チケット利用確認情報を生成して、映画会社管理装置４５０へ送信する（ステップＳ９３５）。
【０２７９】
２．１７  利用情報登録処理の動作
電子チケット利用時において、映画会社管理装置４５０にて行われる利用情報登録処理は、第１の実施の形態の図３０で示した処理の動作と同様であるため、説明は省略する。
２．１８  パッケージ購入受付処理の動作
パッケージ購入時において、パッケージ販売装置７００ａにて行われるパッケージ購入受付処理は、第１の実施の形態の図３１で示した処理の動作と同様であるため、説明は省略する。
【０２８０】
なお、購入特典の配布を受けていない場合には、割引データがないため、通常のパッケージ代金にて処理を行うことになる。また、利用特典の配布を受けていない場合には、電子チケットが利用されていても通常のパッケージ形態での購入となる。
２．１９  パッケージ課金処理の動作
パッケージ購入時において、パッケージ販売装置７００ａにて行われるパッケージ課金処理は、第１の実施の形態の図３２で示した処理の動作と同様であるため、説明は省略する。
【０２８１】
２．２０  パッケージ販売情報登録処理の動作
パッケージ購入時において、映画会社管理装置４５０にて行われるパッケージ販売情報登録処理は、第１の実施の形態の図３３で示した処理の動作と同様であるため、説明は省略する。
２．２１  特典配布処理の動作
ここでは、特典配布時において、特典配布装置８５０ａにて行われる特典配布処理について、図４６に示す流れ図を用いて説明する。
【０２８２】
特典配布装置８５０ａは、購入特典配布の場合には、購入特典配布依頼情報を受け付け、利用特典配布の場合には、利用特典配布依頼情報を受け付ける（ステップＳ１０００）。
受け付けた情報が、購入特典配布依頼情報であるか、利用特典配布依頼情報であるかの判定を行う（ステップＳ１００５）。
【０２８３】
購入特典配布依頼情報である場合には、購入特典配布依頼情報に含まれるタイトルＩＤと対応付けられたレコードが電子チケット情報テーブルＴ１００に存在するか否かを判断する（ステップＳ１０１０）。存在しない場合には、配布不可情報を生成し、生成した配布不可情報を表示する（ステップＳ１０３５）。存在する場合には、当該レコードを取得し、発行公開鍵記憶部６０１より取得したレコードに含まれる販売店ＩＤと対応付けられた公開鍵を取得する（ステップＳ１０１５）。取得した公開鍵と、取得したレコードに含まれるタイトルＩＤ、有効期限及び第１署名データを用いて、署名検証を施して、第１署名データの正当性の判断を行う（ステップＳ１０２０）。正当な第１署名データでない場合には、配布不可情報を生成し、生成した配布不可情報を表示する（ステップＳ１０３５）。正当な第１署名データである場合には、購入特典管理記憶部５０３より、受け付けたタイトルＩＤと対応付けられた購入特典の情報を読み出し、メモリカード１００の購入特典情報テーブルＴ１１０へ書き込み、さらに、読み出された購入特典の情報に含まれる映画予告編の音声データ名と対応付けられた映画予告編の音声データを購入特典管理記憶部５０３より取得し、購入特典情報記憶部１０４へ書き込む（ステップＳ１０２５）。さらに、購入特典配布情報を生成し、生成した購入特典配布情報を映画会社管理装置４５０へ送信する（ステップＳ１０３０）。
【０２８４】
利用特典配布依頼情報である場合には、利用特典配布依頼情報に含まれるタイトルＩＤと対応付けられたレコードが電子チケット情報テーブルＴ１００に存在するか否かを判断する（ステップＳ１０４０）。存在しない場合には、配布不可情報を生成し、生成した配布不可情報を表示する（ステップＳ１０３５）。存在する場合には、当該レコードを取得し、取得したレコードに含まれる映画館ＩＤ及び第２署名データの情報の有無を確認して、電子チケットが使用されているか否かの判定を行う（ステップＳ１０４５）。未使用である場合には、配布不可情報を生成し、生成した配布不可情報を表示する（ステップＳ１０３５）。使用されている場合には、取得したレコードに含まれる映画館ＩＤと対応付けられた公開鍵を公開鍵記憶部７０２より取得する（ステップＳ１０５０）。取得した公開鍵と、取得したレコードに含まれるタイトルＩＤ、有効期限及び第２署名データを用いて、署名検証を施して、第２署名データの正当性の判断を行う（ステップＳ１０５５）。正当な第２署名データである場合には、利用特典管理記憶部６０２より、受け付けたタイトルＩＤと対応付けられた利用特典の情報を読み出し、メモリカード１００の利用特典情報テーブルＴ１２０へ書き込み、読み出した利用特典の情報に含まれるパッケージ予告編の音声データ名に対応付けられたパッケージ予告編の音声データを利用特典管理記憶部６０２より取得し、利用特典情報記憶部１０５へ書き込む（ステップＳ１０６０）。次に、利用特典配布情報を生成し、生成した利用特典配布情報を映画会社管理装置４５０へ送信する（ステップＳ１０６５）。正当な第２署名データでない場合には、配布不可情報を生成し、生成した配布不可情報を表示する（ステップＳ１０３５）。
【０２８５】
２．２２  特典配布情報登録処理の動作
ここでは、特典配布時において、映画会社管理装置４５０にて行われる特典配布情報登録処理について、図４７に示す流れ図を用いて説明する。
映画会社管理装置４５０は、特典配布装置８５０ａより購入特典配布時には、購入特典配布情報を受信し、利用特典配布時には、利用特典配布情報を受信する（ステップＳ１１００）。
【０２８６】
受信した情報が購入特典配布情報であるか、利用特典配布情報であるかの判断を行う（ステップＳ１１０５）。
購入特典配布情報である場合には、受信した購入特典配布情報に含まれるユーザＩＤ及びタイトルＩＤの両者と一致するレコードを利用状況管理テーブルＴ４５０より取得する（ステップＳ１１１０）。取得したレコードの特典配布情報１項目へ受信した購入特典配布情報に含まれる配布店ＩＤ及び配布年月日を書き込み、利用状況管理テーブルＴ４５０を更新する（ステップＳ１１１５）。
【０２８７】
利用特典配布情報である場合には、受信した利用特典配布情報に含まれるユーザＩＤ及びタイトルＩＤの両者と一致するレコードを利用状況管理テーブルＴ４５０より取得する（ステップＳ１１２０）。取得したレコードの特典配布情報２項目へ受信した利用特典配布情報に含まれる配布店ＩＤ及び配布年月日を書き込み、利用状況管理テーブルＴ４５０を更新する（ステップＳ１１２５）。
【０２８８】
２．２３  再生処理の動作
再生装置３００にて行われる再生時の動作は、第１の実施の形態の図３４で示した処理の動作と同様であるため、説明は省略する。
２．２４  特典再生処理の動作
再生装置３００にて行われる特典再生処理の動作は、第１の実施の形態の図３５で示した処理の動作と同様であるため、説明は省略する。
【０２８９】
２．２５  第２の実施の形態のまとめ
以上、説明したように電子チケットシステム２は、パッケージを購入する場合に、電子チケットの利用に基いて、パッケージ購入割引などのサービスを提供することにより、パッケージ購入を希望する利用者は、パッケージ購入割引を受けるために電子チケットを購入、利用して、パッケージを購入するようになる。また、逆に電子チケットの利用者は、パッケージ購入の際、パッケージ購入割引を受けることができるため、パッケージの購入を行うようになる。これにより、電子チケットの販売及びパッケージ販売の双方に対する利益をもたらす。
【０２９０】
また、購入特典管理記憶部及び利用特典管理記憶部を設けることにより、利用者に対して、多種多様のサービスを提供することができる。
また、電子チケット購入時及び電子チケット利用時のそれぞれにデジタル署名を施している。電子チケットの利用時には、電子チケット購入に施されたデジタル署名を用いて、署名検証を行うことで、電子チケットの正当性を判断でき、パッケージ購入時には、電子チケット利用時に施されたデジタル署名を用いて、署名検証を行うことで、電子チケットが正当に利用されたことが判断でき、セキュリティが向上される。
【０２９１】
また、電子チケット購入時、利用時及びパッケージ購入時において、消費者の情報を映画会社管理装置へ送信することで、映画会社はユーザの動向を知ることができる。
また、電子チケットの販売を行う会社は、電子チケットによりチケットの販路が広がり、さらには電子チケットの販売状況に応じて配当金が配布されるため、販売意欲の向上につながる。
【０２９２】
また、映画館業者は、電子チケットにより入場料管理が一括化されて容易になり、さらには、電子チケットの回収状況に応じて、配当金が配布されるため、映画の宣伝意欲の向上につながる。
また、パッケージの販売業者は、電子チケットを利用するユーザに対するパッケージ販売を独占でき、さらには、パッケージの販売状況に応じて、配当金が配布されるため、販売意欲向上につながる。
【０２９３】
また、特典配布装置を用いることで、利用者は必要に応じて特典配布のサービスを受けることができる。また、前記特典配布装置を設置している業者は、特典配布状況に応じて、配当金が配布されるため、特典配布の宣伝意欲が向上する。
さらには、ユーザの利益性と電子チケット販路拡大の相乗効果が期待できる。
３．  まとめ
以上説明したように、本発明によれば、電子チケットシステムは、パッケージを購入する場合に、電子チケットの利用に基いて、パッケージ購入割引などのサービスを提供することにより、パッケージ購入を希望する利用者は、パッケージ購入割引を受けるために電子チケットを購入、利用して、パッケージを購入するようになる。また、逆に電子チケットの利用者は、パッケージ購入の際、パッケージ購入割引を受けることができるため、パッケージの購入を行うようになる。これにより、電子チケットの販売及びパッケージ販売の双方に対する利益をもたらす。
【０２９４】
また、購入特典管理記憶部及び利用特典管理記憶部を設けることにより、利用者に対して、多種多様のサービスを提供することができる。
また、電子チケット購入時及び電子チケット利用時のそれぞれにデジタル署名を施している。電子チケットの利用時には、電子チケット購入時に施されたデジタル署名を用いて、署名検証を行うことで、電子チケットの正当性を判断でき、パッケージ購入時には、電子チケット利用時に施されたデジタル署名を用いて、署名検証を行うことで、電子チケットが正当に利用されたことが判断でき、セキュリティが向上される。
【０２９５】
また、電子チケット購入時、利用時及びパッケージ購入時において、消費者の情報を映画会社管理装置へ送信することで、映画会社はユーザの動向を知ることができる。
さらには、ユーザの利益性と電子チケット販路拡大の相乗効果が期待できるため、映画チケット販売による利益とパッケージ購入による利益の双方ともの向上につながる。
（変形例）
なお、本発明を上記の実施の形態に基づいて説明してきたが、本発明は、上記の実施の形態に限定されないのはもちろんである。以下の場合も本発明に含まれる。
【０２９６】
（１）上記の実施形態では、電子チケットの注文時に課金を行ったが、これに限定されない。注文時には、予約のみとし、電子チケット入手し、電子チケット利用時に課金を行うようにしてもよい。また、パッケージの注文において、注文時には予約とし、パッケージ配布時に課金を行うようにしてもよい。パッケージ配布時の支払方法は、代金引換による支払方法となる。このときの、電子チケット確認装置９００ａ、９００ｂ、・・・、９００ｃの一例を第１の実施の形態で示した電子チケット確認装置との相違点を中心に説明する。
【０２９７】
電子チケット確認装置９００ａは、図４８に示す発行公開鍵記憶部６０１、利用特典管理記憶部６０２、秘密鍵記憶部６０３、映画館ＩＤ記憶部６０４、入力部６０５、電子チケット確認部９０２、表示部６０７、入出力部６０８、送受信部６０９及び電子チケット課金記憶部９０１とから構成されている。なお、図４８において、図１４と同じ符号の構成要素は同一のため、説明は省略する。
【０２９８】
電子チケット確認装置９００ａは、具体的には、マイクロプロセッサ、ＲＯＭ、ＲＡＭ、ハードディスクユニット、ディスプレイユニット、キーボード、マウス、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、電子チケット確認装置９００ａは、その機能を達成する。
【０２９９】
なお、電子チケット確認装置９００ｂ、・・・、９００ｃは、電子チケット確認装置９００ａと同様の構成をゆうしているため、説明は省略する。
電子チケット課金記憶部９０１は、図１０にて示した電子チケット販売装置５００ａの電子チケット課金記憶部５０５と同様であるので説明は省略する。
電子チケット確認部９０２は、図１４にて示した電子チケット確認部６０６の機能を有し、且つ電子チケット代金を映画のタイトルＩＤと対応付けて、あらかじめ記憶している。さらに、入力部６０５より受け付けたタイトルＩＤと一致するレコードがメモリカードの電子チケット情報テーブルに存在するか否かを判定し、存在する場合には、当該レコードを取得し、取得したレコードに含まれる映画館ＩＤ及び第２署名データを用いて、未使用であるか否かを判定し、未使用である場合には、取得したレコードに含まれる有効期限を用いて、有効期限内であるか否かを判定し、有効期限内である場合には、受け付けたタイトルＩＤと対応付けられた電子チケット代金を取得し、取得した電子チケット代金を表示部６０７を介して表示し、利用者へチケット支払方法情報の入力又は、キャンセル情報の入力を促す。チケット支払方法情報を受け付けた場合には、受け付けた情報とユーザＩＤとタイトルＩＤと電子チケット代金と販売年月日とを用いて、チケット課金情報を生成して、電子チケット課金記憶部９０１へ書き込む。さらには、チケット販売情報を生成し、映画会社管理装置へ送信する。
【０３００】
電子チケット利用時におけるチケット利用処理については、図２９に示す流れ図のステップＳ４１５にて有効期限の判定を行った後、有効期限内である場合には、チケット課金処理を行い、チケット課金処理終了後に、ステップＳ４２０以降を行う。
また、パッケージ販売装置の構成は、図１７にて示した構成と変更はないが、パッケージ課金テーブルＴ７１０において、支払方法２項目を代金が支払われたことを示す支払確認項目に変更する。パッケージの注文があった場合には、パッケージ課金テーブルのユーザＩＤ、タイトルＩＤ、販売年月日２、金額２の各項目に必要な情報が書き込まれる。
【０３０１】
パッケージ課金処理について以下に説明する。
パッケージ販売店は、パッケージ配布を行った業者より、購入者の氏名、タイトルＩＤなどの情報と購入者から受け取ったパッケージ代金を現金、電子マネーなどにより受け取る。受け取った情報に含まれる氏名などを用いて、映画会社管理装置にて管理している利用者の個人情報からユーザＩＤを取得する。パッケージ課金テーブルから取得したユーザＩＤと、受け取った情報に含まれるタイトルＩＤの双方と一致するレコードを取得し、取得したレコードの支払確認項目に購入者から支払があった旨の情報を書き込み、パッケージ課金テーブルを更新する。
【０３０２】
（２）上記の実施形態では、電子チケット購入における課金、パッケージ購入における課金をそれぞれ電子チケット販売装置、パッケージ販売装置にて行ったが、これに限定されない。課金を行うための課金装置を第２サブシステムに追加し、課金に係る情報を一括管理するようにしてもよい。
ここで、一例として、第１の実施の形態で示した第２サブシステム２０に課金装置が追加された第２サブシステム２１について説明する。
【０３０３】
第２サブシステム２１は、図４９にて示す映画会社管理装置４００、電子チケット販売装置９１０ａ、９１０ｂ、・・・、９１０ｃ、電子チケット確認装置６００ａ、６００ｂ、・・・、６００ｃ、パッケージ販売装置９２０ａ、９２０ｂ、・・・、９２０ｃ及び課金装置９３０とから構成されている。また、映画会社管理装置４００は他の装置と専用線を介してネットワーク接続されている。
【０３０４】
なお、メモリカード１００、映画会社管理装置４００、電子チケット確認装置６００ａ、６００ｂ、・・・、６００ｃは第１の実施の形態と同様であるため、説明は省略し、相違点を中心に説明する。
電子チケット販売装置９１０ａは、電子チケット発行部、購入特典管理記憶部、電子チケット管理記憶部、第１送受信部及び第２送受信部とから構成されている。
【０３０５】
電子チケット販売装置９１０ａは、具体的には、マイクロプロセッサ、ＲＯＭ、ＲＡＭ、ハードディスクユニット、ディスプレイユニット、キーボード、マウス、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、電子チケット販売装置９１０ａは、その機能を達成する。
【０３０６】
電子チケット発行部は、電子チケット購入依頼のあった通信端末装置からチケット課金依頼情報を受信した場合には、チケット課金情報を生成し、課金装置９３０へ送信する。電子チケット購入依頼のあった通信端末装置から他の情報を受信した場合及び映画会社管理装置からの情報を受信した場合の機能については、第１の実施の形態で示した電子チケット販売装置５００ａの機能と同様であるため、説明は省略する。
【０３０７】
また、他の構成部についても第１の実施の形態で示した電子チケット販売装置５００ａの構成部と同様であるため、説明は省略する。
電子チケット販売装置９１０ｂ、・・・、９１０ｃは、電子チケット販売装置９１０ａと同様の構成を有しているため、説明は省略する。
パッケージ販売装置９２０ａは、パッケージ販売行部、公開鍵記憶部、第１送受信部及び第２送受信部とから構成されている。
【０３０８】
パッケージ販売装置９２０ａは、具体的には、マイクロプロセッサ、ＲＯＭ、ＲＡＭ、ハードディスクユニット、ディスプレイユニット、キーボード、マウス、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、パッケージ販売装置９２０ａは、その機能を達成する。
【０３０９】
パッケージ販売部は、パッケージ購入依頼のあった通信端末装置からパッケージ課金依頼情報を受信した場合には、パッケージ課金情報を生成し、課金装置９３０へ送信する。パッケージ購入依頼のあった通信端末装置から他の情報を受信した場合及び映画会社管理装置からの情報を受信した場合の機能については、第１の実施の形態で示したパッケージ販売装置７００ａの機能と同様であるため、説明は省略する。
【０３１０】
また、他の構成部についても第１の実施の形態で示したパッケージ販売装置７００ａの構成部と同様であるため、説明は省略する。
パッケージ販売装置９２０ｂ、・・・、９２０ｃは、パッケージ販売装置９２０ａと同様の構成を有しているため、説明は省略する。
課金装置９３０は図５０に示す電子チケット課金記憶部９３１、パッケージ課金記憶部９３２、課金部９３３及び受信部９３４とから構成されている。なお、課金装置９３０は、電子チケット販売装置９１０ａ、９１０ｂ、・・・、９１０ｃ及びパッケージ販売装置９２０ａ、９２０ｂ、・・・、９２０ｃからの情報を映画会社管理装置４００を介して受信する。
【０３１１】
課金装置９３０は、具体的には、マイクロプロセッサ、ＲＯＭ、ＲＡＭ、ハードディスクユニット、ディスプレイユニット、キーボード、マウス、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、課金装置９３０は、その機能を達成する。
【０３１２】
電子チケット課金記憶部９３１は、図１０にて示した電子チケット販売装置５００ａの電子チケット課金記憶部５０５と同様であるので説明は省略する。
パッケージ課金記憶部９３２は、図１７にて示したパッケージ販売装置７００ａのパッケージ課金記憶部７０３と同様であるので説明は省略する。
課金部９３３は、電子チケットの課金を行う場合には、電子チケット販売装置９１０ａ、９１０ｂ、・・・、９１０ｃからチケット課金情報を受信し、受信した情報を電子チケット課金記憶部９３１へ書き込む。パッケージの課金を行う場合には、パッケージ販売装置９２０ａ、９２０ｂ、・・・、９２０ｃからパッケージ課金情報を受信し、受信した情報をパッケージ課金記憶部９３２へ書き込む。
【０３１３】
受信部９３４は、電子チケット販売装置９１０ａ、９１０ｂ、・・・、９１０ｃ及びパッケージ販売装置９２０ａ、９２０ｂ、・・・、９２０ｃから受信した情報を課金部９３３へ出力する。
ここで、第１の実施の形態で示したチケット課金処理及びパッケージ課金処理との相違点及び、課金装置９３０にて行われる課金登録処理について説明する。
【０３１４】
チケット課金処理については、図２６で示した流れ図において、ステップＳ２６０で行う処理をチケット課金情報を生成し、生成した情報を課金装置９３０へ送信するよう変更すればよい。
パッケージ課金処理については、図３２で示した流れ図において、ステップＳ５８０で行う処理をパッケージ課金情報を生成し、生成した情報を課金装置９３０へ送信するよう変更すればよい。
【０３１５】
課金登録処理は、電子チケットの課金の場合には、チケット課金情報を受信し、パッケージ課金の場合には、パッケージ課金情報を受信する。受信した情報がチケット課金情報であるか、パッケージ課金情報であるかを判断する。チケット課金情報である場合には、電子チケット課金記憶部９３１へ書き込み、パッケージ課金情報である場合には、パッケージ課金記憶部９３２へ書き込む。
【０３１６】
なお、ここでは、第２サブシステムに１つの課金装置を追加したが、複数の課金装置を用いて、課金情報を管理してもよい。若しくは、第２サブシステムに課金装置の追加を行わないで、電子チケット代金及びパッケージ代金の支払方法をクレジットカードによる支払とし、クレジット会社の課金装置を利用するようにしてもよい。
また、課金装置９３０は、電子チケット販売装置９１０ｂ、・・・、９１０ｃ及びパッケージ販売装置９２０ｂ、・・・、９２０ｃからの情報を映画会社管理装置４００を介して受信するとしたが、電子チケット販売装置９１０ｂ、・・・、９１０ｃ及びパッケージ販売装置９２０ｂ、・・・、９２０ｃからの情報を映画会社管理装置４００を介さずに受信するようにしてもよい。
【０３１７】
（３）上記の実施形態では、通信端末装置を一例として、ＰＤＡとしたがこれに限定されない。メモリカードの装着が可能であり、且つインターネットなどのネットワークに接続可能である携帯電話機、パーソナルコンピュータなどの装置であってもよい。
（４）上記の実施形態では、電子チケット購入時とパッケージ購入時において、同じ通信端末装置を利用したが、それぞれの購入時において、違った形態の通信端末装置を利用してもよい。例えば、電子チケット購入する場合には、ＰＤＡを利用し、パッケージ購入する場合には、携帯電話機を利用する。
【０３１８】
（５）上記の実施形態では、第１サブシステムにおいて通信端装置と再生装置とを別構成としたが、再生装置をネットワーク接続可能にし、第１サブシステムを再生装置とメモリカードとから構成してもよい。ここで、一例として、第１の実施の形態で示した再生装置３００との相違点を中心に説明する。
再生装置３５０は、図５１にて示す入力部３５１、制御部３５２、出力部３５３、送受信部３５４、第１アクセス部３５５及び第２アクセス部３５６とから構成されている。
【０３１９】
再生装置３５０は、具体的には、マイクロプロセッサ、ＲＯＭ、ＲＡＭ、ハードディスクユニットなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、再生装置３５０は、その機能を達成する。
【０３２０】
入力部３５１は、図７で示した入力部３０１の機能を有し、さらに電子チケット購入時には、タイトルＩＤの受け付け、チケット支払方法情報の受け付け及びキャンセル情報の受け付けを行い、パッケージ購入時には、タイトルＩＤの受け付け、パッケージ支払方法情報の受け付け及びキャンセル情報の受け付けを行う。
制御部３５２は、図７にて示した制御部３０２の機能を有し、さらには、図６にて示した通信端末装置２００の制御部２０２における電子チケット購入時の機能及びパッケージ購入時の機能をも有する。なお、電子チケット販売装置から受信したチケット購入確認情報、チケット購入完了情報、チケット購入中止情報及びパッケージ販売装置から受信したパッケージ購入確認情報、パッケージ購入完了情報、パッケージ購入中止情報を、出力部３５３に出力する。
【０３２１】
出力部３５３は、図７にて示した出力部３０３の機能を有し、さらに電子チケット購入時には、チケット購入確認情報、チケット購入完了情報、チケット購入中止情報を電子チケット販売装置より受信した旨を示すメッセージを接続されたディスプレイ装置へ出力し、パッケージ購入時には、パッケージ購入確認情報、パッケージ購入完了情報、パッケージ購入中止情報をパッケージ販売装置より受信した旨を示すメッセージを接続されたディスプレイ装置へ出力する。
【０３２２】
送受信部３５４は、図６にて示した通信端末装置２００の送受信部２０５の機能を有する。
第１アクセス部３５５は、図７で示した再生装置３００の第１アクセス部３０４と同様であり、第２アクセス部３５６は、図７で示した再生装置３００の第２アクセス部３０５と同様であるため、説明は省略する。
【０３２３】
再生装置をネットワーク接続可能とすることにより、再生装置から、電子チケット、パッケージの購入が可能となり、購入特典を内蔵の記憶部へ記憶させることが可能。また、パッケージの情報を媒体としてではなく、ネットワークから受信し、内蔵の記憶部へ記憶することも可能となる。
（６）上記の実施形態で示したメモリカードの構成に、パッケージの購入履歴を記憶するパッケージ購入履歴記憶部を追加してもよい。パッケージ購入時には、電子チケット情報記憶部の情報と前記パッケージ購入履歴記憶部の情報とを用いて、未購入パッケージのリストを生成し、表示部にて表示する。利用者は、表示されたリストをもとに購入したいパッケージを選択して、パッケージを購入する。
【０３２４】
これにより、パッケージ購入の重複を防ぐことができる。
（７）上記の実施形態では、個人情報を映画会社管理装置に登録したが、メモリカードに登録し、電子チケット購入時、電子チケット利用時、パッケージ購入時において、必要な情報を電子チケット販売装置、電子チケット確認装置及びパッケージ販売装置を介して映画会社管理装置へ送信してもよい。
【０３２５】
若しくは、上記（２）で述べたクレジット会社の課金装置を利用する場合には、電子チケット購入時、電子チケット利用時、パッケージ購入時において、必要な情報をクレジット会社にて管理している個人情報から受信する機能としてもよい。
（８）上記の実施形態では、映画会社管理装置は電子チケット販売装置、電子チケット確認装置及びパッケージ販売装置と専用線を介してネットワークに接続していたが、これに限定されない。インターネットなどによるネットワーク接続であってもよい。
【０３２６】
（９）上記の第２の実施の形態では、特典の配布はメモリカードを特典配布装置に挿入することで配布を行ったがこれに限定されない。特典配布装置と通信端末装置をインターネットなどを介してネットワーク接続させて、特典配布装置から通信端末へ特典の配信を行ってもよい。
また、上記の第２の実施の形態では、特典配布装置より購入特典情報及び利用特典情報の配布をそれぞれ行ったが、これに限定されない。特典配布装置には、購入特典情報の配布を行い、利用特典情報の配布は電子チケット確認装置から行ってもよい。または、購入特典情報の配布は、電子チケット販売装置から行い、利用特典情報の配布を特典配布装置から行ってもよい。
【０３２７】
（１０）上記の実施形態では、電子チケットの購入をネットワーク接続された通信端末装置から行ったが、これに限定されない。チケット販売店に設置された電子チケット販売装置を利用して、電子チケットを購入してもよい。このとき、電子チケット販売装置は、メモリカードの装着が可能であり、メモリカードが装着されると、認証を行う。認証後、利用者から購入したい電子チケットのタイトルＩＤを受け付け、受け付けたタイトルＩＤに基づいて、チケット購入確認情報を生成し、生成したチケット購入確認情報を表示するとともに、一時的に記憶する。次に、利用者からチケット支払方法情報を若しくはキャンセル情報を受け付け、チケット支払方法情報を受け付けた場合には、受け付けたチケット支払方法情報と一時的に記憶しているチケット購入確認情報とを用いて、電子チケットの課金処理、購入チケット情報と購入特典の情報及び映画予告編の音声データのメモリカードへの登録及び登録後に一時的に記憶しているチケット購入確認情報の削除、さらには、チケット販売情報の生成及び送信を行い、キャンセル情報を受け付けた場合には、一時的に記憶しているチケット購入確認情報を削除する。
【０３２８】
または、チケット販売店などで、電子チケットが記録されたメモリカードを販売してもよいし、書籍、雑誌などの付録として、電子チケットが記録されたメモリカードを配布してもよい。このとき、メモリカードには、ユーザＩＤの代わりにメモリカードを識別しるためのカードＩＤを記憶し、映画会社管理装置では、カードＩＤを用いて利用状況を管理する。
【０３２９】
（１１）上記の実施形態では、電子チケット購入の特典として、映画予告編の音声データとしたが、これに限定されない。映画予告編の映像データでもよい。このとき、パッケージには、映画予告編の音声データが記憶されており、再生装置は、メモリカードより第１アクセス部を介して、映像データを読み出し、パッケージより第２アクセス部を介して、音声データを読み出し、制御部にて映像データと音声データの同期をとって再生が行われる。
【０３３０】
または、電子チケット購入の特典として、映画予告編の音声データ及び映像データとを配布してもよい。このとき、映画予告編の再生は、メモリカードのみで行われる。
また、映画予告編に限定されない。映画製作現場映像や、出演者に関する映像などでもよいし、これら複数からなる情報を購入特典して配布してもよい。このとき、配布する情報は、音声データのみでもよいし、映像データのみでもよいし、音声データ及び映像データの双方を配布してもよい。音声データのみの配布の場合には、パッケージに映像データが記憶され、映像データのみ配布の場合には、パッケージに音声データが記憶される。
【０３３１】
ここで、一例として、メモリカードに映画製作現場映像に係る音声データが記憶され、パッケージに映画製作現場映像に係る映像データが記憶されている場合の再生について説明する。
再生装置は、映画製作現場映像の再生を行う旨の情報とタイトルＩＤを受け付け、受け付けたタイトルＩＤに対応付けられた映画製作現場映像に係る音声データ名が存在するか否かを判断する。存在しない場合には、再生不可情報を出力し、存在する場合には、受け付けたタイトルＩＤとパッケージのタイトルＩＤが一致するか否かを判断する。一致しない場合には、再生不可情報を出力し、一致する場合には、映画製作現場映像の再生を行う。再生装置は、再生時には、映画製作現場映像に係る音声データ名に基いて、メモリカードより映画製作現場映像に係る音声データを読み出し、パッケージより映画製作現場映像に係る映像データを読み出し、読み出した音声データと映像データとの同期をとり再生装置が接続されたテレビなどのディスプレイ装置へ出力する。
【０３３２】
（１２）割引に関する特典について上記の実施の形態の特典に限定されない。電子チケット購入に対する割引を付加してもよいし、電子チケット及びパッケージの一括購入に対する割引を付加してもよい。
ここで、電子チケット購入に対する割引についての動作の一例を説明する。電子チケット注文時に課金を行う場合には、電子チケット販売装置は、チケット購入依頼情報を受信すると、チケット購入に対する割引額から電子チケット販売額を算出し、算出した電子チケット販売額を用いてチケット販売確認情報を生成する。電子チケット注文時に予約のみをした場合には、電子チケット利用時に電子チケット確認装置にて、チケット購入に対する割引額から電子チケット販売額を算出して、利用者へ通知する。
【０３３３】
ここで、一括購入に対する割引についての動作の一例を説明する。利用者は、通信端末装置から、一括購入する旨を示す情報を電子チケット販売装置へ送信する。電子チケット販売装置は、受信した情報を用いて、一括購入に対する電子チケットの販売額を算出し、割引データとして一括購入である旨を示す情報が書き込まれたチケット購入確認情報を生成し、生成したチケット購入確認情報を購入要求のあった通信端末装置へ送信する。パッケージ購入の場合には、パッケージ販売装置は、割引データに書き込まれた一括購入の情報を用いて、パッケージの販売額を決定する。
【０３３４】
また、上記の一例では、電子チケットの購入及びパッケージ購入のそれぞれの場合にて、販売額を計算したが、電子チケット販売装置とパッケージ販売装置とを連携させ、電子チケット購入時に一括購入の額を利用者へ通知してもよい。
このとき、一括購入時に配布する特典を、購入特典情報及び利用特典情報の双方としてもよい。
【０３３５】
（１３）上記の実施形態では、電子チケット利用の特典として、パッケージ予告編の音声データとしたが、これに限定されない。パッケージ予告編の映像データでもよい。このとき、パッケージには、パッケージ予告編の音声データが記憶されており、再生装置は、メモリカードより第１アクセス部を介して、映像データを読み出し、パッケージより第２アクセス部を介して、音声データを読み出し、制御部にて映像データと音声データの同期をとって再生が行われる。
【０３３６】
また、電子チケット利用の特典として、パッケージ予告編の音声データ及び映像データとを配布してもよい。このとき、パッケージ予告編の再生は、メモリカードのみで行われる。
また、パッケージ予告編に限定されない。パッケージ製作現場映像などでもよいし、これら複数からなる情報を購入特典して配布してもよい。このとき、配布する情報は、音声データのみでもよいし、映像データのみでもよいし、音声データ及び映像データの双方を配布してもよい。音声データのみの配布の場合には、パッケージに映像データが記憶され、映像データのみ配布の場合には、パッケージに音声データが記憶される。
【０３３７】
ここで、一例として、メモリカードにパッケージ製作現場映像に係る音声データが記憶され、パッケージにパッケージ製作現場映像に係る映像データが記憶されている場合の再生について説明する。
再生装置は、パッケージ製作現場映像の再生を行う旨の情報とタイトルＩＤを受け付け、受け付けたタイトルＩＤに対応付けられたパッケージ製作現場映像に係る音声データ名が存在するか否かを判断する。存在しない場合には、再生不可情報を出力し、存在する場合には、受け付けたタイトルＩＤとパッケージのタイトルＩＤが一致するか否かを判断する。一致しない場合には、再生不可情報を出力し、一致する場合には、パッケージ製作現場映像の再生を行う。再生装置は、再生時には、パッケージ製作現場映像に係る音声データ名に基いて、メモリカードよりパッケージ製作現場映像に係る音声データを読み出し、パッケージよりパッケージ製作現場映像に係る映像データを読み出し、読み出した音声データと映像データとの同期をとり再生装置が接続されたテレビなどのディスプレイ装置へ出力する。
【０３３８】
（１４）電子チケット購入時又は、電子チケット利用時の特典として、同じ映画会社の他のパッケージの割引、他の映画チケットの割引を付加してもよい。このとき、メモリカードには、これらの割引情報を記憶する割引情報記憶部が追加され、前記割引情報記憶部には、タイトルＩＤ、チケット割引、パッケージ割引からなる組を一個以上記憶するための領域を備えている。タイトルＩＤは、映画を識別するための識別子であり、チケット割引は、タイトルＩＤと対応付けられた映画チケットの割引の情報が登録され、パッケージ割引は、タイトルＩＤと対応付けられたパッケージの割引の情報が登録されている。
【０３３９】
通信端末装置は、電子チケットを購入する場合には、受け付けたタイトルＩＤと対応付けられたチケット割引が存在するか否かを判断し、存在する場合には、チケット割引を付加したチケット購入依頼情報を生成し、電子チケット販売装置へ送信する。電子チケット販売装置は、チケット割引が付加されている場合には、チケット割引の情報を用いて、電子チケットの販売額を決定し、チケット購入確認情報を生成し、通信端末装置へ送信する。チケットの課金処理時は、決定された販売額を記憶することとなる。
【０３４０】
通信端末装置は、パッケージを購入する場合には、受け付けたタイトルＩＤと対応付けられた電子チケットが存在するか否かの判断及びパッケージ割引が存在するか否かを判断し、電子チケットが存在せず、且つパッケージ割引が存在する場合には、ユーザＩＤ、タイトルＩＤ、パッケージ割引とからなるパッケージ購入依頼情報を生成し、パッケージ販売装置へ送信する。パッケージ販売装置は、パッケージ割引の情報を用いて、パッケージの販売額を決定し、パッケージ購入確認情報を生成し、通信端末装置へ送信する。パッケージの課金処理時は、決定された販売額を記憶することとなる。
【０３４１】
なお、上記のパッケージ購入において、電子チケットが存在している場合には、前記割引情報記憶部のパッケージ割引は利用していないが、電子チケットが存在する場合においても、前記割引情報記憶部のパッケージ割引を利用するようにしてもよい。
（１５）上記の実施形態では、電子チケット利用時の特典を電子チケットが記憶されているメモリカードに書き込むことにより配布したが、これに限定されない。利用特典情報が記憶されたメモリカードを映画館にて、入場者全員に配布してもよい。
【０３４２】
利用特典情報が記憶されたメモリカードを配布することにより、電子チケットの未所有者層にも特典サービスを受けることが可能となり、パッケージの販路が拡大される。
（１６）上記の実施形態では、パッケージの購入をネットワーク接続された通信端末装置から行ったが、これに限定されない。パッケージ販売店に設置されたパッケージ販売装置を利用してパッケージを購入してもよい。ここで、一例として、第１の実施の形態で示したパッケージ販売装置７００ａとの相違点を中心に説明する。
【０３４３】
パッケージ販売装置は、販売店ＩＤ記憶部、公開鍵記憶部、パッケージ課金記憶部、パッケージ販売部、入力部、表示部、入出力部及び第１送受信部とから構成されている。
パッケージ販売装置は、具体的には、マイクロプロセッサ、ＲＯＭ、ＲＡＭ、ハードディスクユニット、ディスプレイユニット、キーボード、マウス、モデムなどから構成されるコンピュータシステムである。前記ＲＯＭ又は前記ハードディスクユニットには、コンピュータプログラムが記憶されている。前記マイクロプロセッサは、前記コンピュータプログラムに従って動作することにより、パッケージ販売装置は、その機能を達成する。
【０３４４】
入力部は、メモリカードが挿入された場合には、メモリカードの認証を行うためにパスワードを受け付け、受け付けたパスワードをパッケージ販売部へ出力する。パッケージ購入を行う場合には、タイトルＩＤを受け付け、受け付けたタイトルＩＤをパッケージ販売部へ出力する。また、パッケージ支払方法情報、キャンセル情報を受け付け、受け付けた情報をパッケージ販売部へ出力する。
【０３４５】
パッケージ販売部は、メモリカードの認証時には、受け取ったパスワードを入出力部を介してメモリカードへ出力し、メモリカードから認証結果の情報を受け取り、受け取った情報を表示部へ出力する。パッケージ購入時には、メモリカードに記憶されている情報に基いて、パッケージ購入確認情報を生成し、生成したパッケージ購入確認情報を表示部へ出力する。パッケージ支払方法情報を受け取った場合には、パッケージ課金情報を生成し、生成したパッケージ課金情報をパッケージ課金記憶部へ書き込み、さらに、パッケージ販売情報を生成し、生成したパッケージ販売情報を第１送受信部を介して、映画会社管理装置へ送信する。また、パッケージ購入完了情報を生成し、表示部へ出力する。キャンセル情報を受け取った場合には、生成されたパッケージ購入確認情報を削除し、パッケージ購入中止情報を生成し、表示部へ出力する。
【０３４６】
表示部は、パッケージ販売部より受け取った情報を表示する。
入出力部は、パッケージ販売部より受け取った情報をメモリカードへ出力し、メモリカードから受け取った情報をパッケージ販売部へ出力する。
なお、他の構成部は、第１の実施の形態で示したパッケージ販売装置７００ａの構成部と同様であるため、説明は省略する。
【０３４７】
ここで、パッケージ販売店に設置されたパッケージ販売装置の動作について説明する。
メモリカードの認証については、第１の実施の形態で示した処理と同様であるため説明は省略する。
次に、パッケージ販売装置は、タイトルＩＤを受け付け、受け付けたタイトルＩＤに対応付けられたレコードがメモリカードの電子チケット情報テーブルに存在するか否かを判断する。存在しない場合には、購入不可情報を出力し、存在する場合には、当該レコードを取得し、取得したレコードに含まれる映画館ＩＤ及び第２署名データとを用いて、電子チケットが使用されているか否かを判断する。電子チケットが未使用である場合には、図３１で示したパッケージ購入受付処理のステップＳ５３５以降を行い、電子チケットが使用済である場合には、図３１で示したパッケージ購入受付処理のステップＳ５１０以降を行う。ただし、生成されたパッケージ購入確認情報を表示部にて表示するよう変更する。
【０３４８】
次に、入力部よりパッケージ支払方法情報又はキャンセル情報を受け付け、受け付けた情報に基いてパッケージ課金依頼情報若しくはパッケージ課金中止情報を生成し、図３２に示したパッケージ課金処理のステップＳ５７５以降を行う。ただし、生成されたパッケージ購入完了情報、若しくはパッケージ購入中止情報を表示部にて表示するよう変更する。
【０３４９】
（１７）上記の第２の実施の形態では、特典が配布されていない場合にパッケージを購入すると割引が適用されないとしたが、これに限定されない。電子チケットが使用済であると判断された場合には、購入特典の情報が配布されているとみなして、パッケージ割引を適用し、電子チケットが未使用である場合には、未使用時の割引を適用するようにしてもよい。
【０３５０】
（１８）上記の実施の形態では、インターネットを介して電子チケット販売装置若しくはパッケージ販売装置へネットワーク接続する場合に接続したい装置のインターネットアドレスを入力部から受け付けたが、これに限定されない。通信端末装置にて、あらかじめ接続する電子チケット販売装置及びパッケージ販売装置のインターネットアドレスをそれぞれ記憶しておいてもよい。
【０３５１】
このとき、通信端末装置は、電子チケット販売装置へネットワーク接続したい旨の情報を入力部より受け取ると、あらかじめ記憶している電子チケット販売装置のインターネットアドレスを用いて、インターネットを介してネットワーク接続を行い、パッケージ販売装置へネットワーク接続したい旨の情報を入力部より受け取ると、あらかじめ記憶しているパッケージ販売装置のインターネットアドレスを用いて、インターネットを介してネットワーク接続を行う。
【０３５２】
（１９）上記の実施の形態では、割引データを電子チケット購入時に配布したが、これに限定されない。電子チケット利用時に利用特典として、割引データを配布してもよい。なお、この場合、チケット未使用でパッケージ購入を行う場合には、割引データを空白としてパッケージ購入依頼情報を送信し、パッケージ販売装置は、チケット未使用時の割引データをあらかじめ記憶しておき、そのデータを利用して、パッケージの販売額を決定する。
【０３５３】
または、電子チケット購入時には、チケット未使用時の割引データを購入特典の情報として配布し、電子チケット利用時に利用特典として、チケット利用時の割引データを配布してもよい。パッケージ購入時には、双方の割引データを含んだパッケージ購入依頼情報を送信し、パッケージ販売装置は、チケットの使用、未使用に対応した割引データを用いて、パッケージの販売額を決定する。若しくは、チケットの使用、未使用に対応した割引データのみをパッケージ購入依頼情報に含めて送信し、パッケージ販売装置は、受信した割引データを用いて、パッケージの販売額を決定する。
【０３５４】
（２０）上記の実施形態では、パッケージ購入時に電子チケット未使用時には、電子チケットが有効期限内であるか否かの判定を行わなかったが、判定を行うようにしてもよい。有効期限内でない場合には、チケット未使用時の割引を適用し、有効期限内である場合には、通信端末装置へ、電子チケットが有効期限内である旨を通知することで、利用者へ購入を行うかどうか確認を行う。通信端末装置から購入する旨の情報を受信した場合には、チケット未使用時の割引を適用し、購入を中止する旨の情報を受信した場合には、購入処理を中止する。
【０３５５】
これにより、利用者は、電子チケットの利用前に、パッケージ購入をすることで、よりよいサービスを受ける権利を消失することを防ぐことができる。
（２１）上記実施形態で示した電子チケットの購入及びパッケージの購入の流れに限定されない。例えば、電子チケット購入時に、通信端末装置より電子チケット代金の支払方法を付加したチケット購入依頼情報を電子チケット販売装置へ送信することで、電子チケット販売装置は、チケット課金処理など電子チケット購入に係る手続きを全て行ってもよい。また、パッケージ購入時に、通信端末装置よりパッケージ代金の支払方法を付加したパッケージ購入依頼情報をパッケージ販売装置へ送信することで、パッケージ販売装置は、パッケージ課金処理などパッケージ購入に係る手続きを全て行ってもよい。
【０３５６】
このとき、電子チケット販売装置は、チケット購入依頼情報に電子チケット代金の支払方法が付加された情報を受信すると、チケット課金処理を行い、さらに、チケット販売情報を生成し、生成したチケット販売情報を映画会社管理装置へ送信し、チケット購入確認情報及びチケット購入確定情報を生成し、生成したチケット購入確認情報及びチケット購入確定情報を電子チケット購入要求のあった通信端末装置へ送信する。通信端末装置では、チケット購入確認情報及びチケット購入確定情報を受信すると、受信したチケット購入確認情報及びチケット購入確定情報を用いて、購入チケット情報及び購入特典情報を生成し、生成した購入チケット情報及び購入特典情報をそれぞれ電子チケット情報テーブル及び購入特典情報テーブルへ登録し、チケット購入確認情報及びチケット購入確定情報に含まれるチケット購入完了情報を表示する。
【０３５７】
パッケージ販売装置は、パッケージ購入依頼情報にパッケージ代金の支払方法が付加された情報を受信すると、パッケージ課金処理を行い、さらに、パッケージ販売情報を生成し、生成したパッケージ販売情報を映画会社管理装置へ送信し、パッケージ購入確認情報及びパッケージ購入完了情報を生成し、生成したパッケージ購入確認情報及びパッケージ購入完了情報をパッケージ購入要求のあった通信端末装置へ送信する。通信端末装置では、パッケージ購入確認情報及びパッケージ購入完了情報を受信すると、受信したチケット購入確認情報及びチケット購入完了情報を表示する。
【０３５８】
（２２）上記の実施形態では、メモリカード内に電子チケット情報テーブル、購入特典情報テーブル、利用特典情報テーブルを個別に用意したが、これに限定されない。これら３つのテーブルを１テーブルとしてもよいし、３つのうち２つをまとめて１テーブルとしてもよい。
（２３）上記の実施形態では、購入チケット情報に利用済であることを示す映画館ＩＤと第２署名データを付加したが、これに限定されない。電子チケットが利用された場合には、購入チケット情報をタイトルＩＤ、有効期限、映画館ＩＤと第２署名データとをからなる利用済チケット情報へと変更するようにしてもよい。
【０３５９】
（２４）上記の実施形態では、パッケージ購入時にパッケージ代金の割引などパッケージ購入時のサービスを受けるために、割引データ、パッケージ購入に対するサービスに係る情報及びパッケージ購入に関する付加価値的な情報を送信したが、これに限定されない。パッケージ販売装置にあらかじめ割引データ、パッケージ購入に対するサービスに係る情報及びパッケージ購入に関する付加価値的な情報を記憶しておき、通信端末装置からユーザＩＤ、タイトルＩＤ、有効期限、映画館ＩＤ及び第２署名データとからなる情報を受信することで、電子チケットの利用の有無を判断し、電子チケットが利用されていることが確認された場合には、記憶された情報に基いて、パッケージ代金、パッケージの形態などを決定するようにしてもよい。
【０３６０】
（２５）近い将来、消費者へネットワーク接続のできる次世代ＤＶＤ記録再生装置（以下、「ＢＤレコーダ」という）の普及が予想される。一方で、映画会社においては、映画公開前の販促活動、映画館での映画上映とその後の映画パッケージメディアの販売とのタイアップによる利益最大化戦略（以下、「メディアミックス戦略」という）が普及しているが、このようなメディアミックス戦略に対して、電子チケットシステムのコンセプトがないため、映画チケット販売とパッケージ販売は独立したままであり、それぞれにおいて独立したサービスの提供を行っている。このため、ユーザは、映画館で視聴した映画のパッケージでも、映画を視聴したことによる割引サービスはなく個別に支払をしている。なお、汎用的な利用ができるクレジットカードのポイントやクーポン等では、映画館で視聴した映画のパッケージのみを割り引くことはできない。
【０３６１】
そこで、本発明は、上記の実施形態で示した第１サブシステムをネットワーク接続できるＢＤレコーダと、可搬媒体とすることで、メディアミックス戦略に対応する電子チケットシステムとして構成してもよい。ここで、可搬媒体の一例は、ＩＣカード機能付きメモリカードである。
ネットワーク接続できるＢＤレコーダで、第１及び第２の実施の形態と同様に、映画チケット及びその映画のパッケージ割引権利が含まれる電子チケットの情報を受信することで、電子チケットの購入ができる。電子チケット購入の際に、第１及び第２の実施の形態と同様に、購入特典として、購入者限定Ｗｅｂ掲示板、映画グッズ購入権利、最新製作状況映像、最新予告編等の映画関連情報を電子チケットに付加することで、映画公開前に映画関連情報が視聴、利用できる。さらに、電子チケット及び購入者のみが視聴、利用できる映画関連情報を可搬媒体に記録することで、ＢＤレコーダでの映画関連情報の視聴、利用ができ、さらには、電子チケットの映画館への持ち運びができる。
【０３６２】
また、映画館で電子チケットを利用することにより、第１及び第２の実施の形態と同様に、映画館で映画を見たという視聴情報が電子チケットに付加され、付加された視聴情報を用いて、後にリリースされるＢＤパッケージソフトが割引で購入できる。
これにより、ユーザは、ＢＤレコーダを用いて、映画公開前に、様々な映画関連情報を視聴、利用でき、映画館で映画を視聴すると、視聴した映画のＢＤパッケージソフトが割引で購入できるようになる。
【０３６３】
さらには、映画会社も、メディアミックス戦略に対応した電子システムが実現できる。また、中間業者を介さないで直接電子チケットの販売及びＢＤパッケージの販売ができ、マーケティングにも役立つ。
（２６）上記の実施形態で示した再生装置にネットワーク機能を備えるとしてもよい。これにより、インターネットなどのネットワークを介して、パッケージ販売装置若しくは映画会社管理装置から、電子的な映画パッケージデータを受信し、パッケージ購入を行うことができる。また、受信したパッケージデータをディスクなどに記録してもよい。
【０３６４】
または、上記（２５）にて示したＢＤレコーダがネットワーク接続機能を備えて、インターネットなどのネットワークを介して、パッケージ販売装置若しくは映画会社管理装置から、電子的な映画パッケージデータを受信し、パッケージ購入を行うとしてもよい。また、受信したパッケージデータをＢＤレコーダのディスクなどに記録してもよい。
（２７）上記の実施形態では、メモリカードの認証を行ったが、これに限定されない。メモリカードの認証を行わないようにしてもよい。また、認証を必要としない場合には、ＩＣ機能を持たないメモリカードを用いてもよいし、メモリカードの代わりに光ディスク等の記録媒体を用いてもよい。
【０３６５】
（２８）上記の実施形態で示したパッケージ販売時におけるパッケージの配布形態に限定されない。映画館にてパッケージ販売を行ってもよい。このとき、電子チケット確認装置は、パッケージ販売の機能を備える。
ここで、パッケージ販売の機能とは、例えば、電子チケット確認装置に挿入されたメモリカードより販売するパッケージと関連付けられた映画の電子チケットが利用されていることを示す情報と割引データとを受け取り、受け取った情報と割引データとを用いて、パッケージの販売に係る手続きを行う機能である。
【０３６６】
これにより、利用者は、映画の視聴後、利用した電子チケットの情報を用いて、映画館内にて、すぐにパッケージを購入することができる。また、購入したパッケージは、ある一定期間が過ぎたのち、再生が可能となる。これを実現する一例を以下に記述する。
再生装置は日付及び時刻を計時する時計部を備え、且つパッケージには、再生可能となる年月日若しくは日時などを示す再生可能時間が記録されている。前記再生装置は、前記パッケージの再生時に、前記パッケージに記録された再生可能時間と、備え付けられた時計部から得られる時間とを比較して再生可能かどうかを判断し、再生可能であればパッケージの再生を行う。
【０３６７】
これにより、今までになかったパッケージ配布形態が可能となる。
（２９）電子チケット確認装置の機能は、上記の実施形態で示した機能に限定されない。電子チケット確認装置は、電子チケット利用者のみが視聴できる限定コンテンツ（以下、「プレミアコンテンツ」という）を配布若しくは販売に係る手続きを行う機能を備えてもよい。
【０３６８】
このとき、電子チケット確認装置にメモリカードが挿入され、電子チケット確認装置は、挿入されたメモリカードを用いて、配布若しくは販売するプレミアコンテンツと関連付けられた映画の電子チケットが利用されているか否かを判断し、利用されている場合に、プレミアコンテンツを配布若しくは販売に係る手続きを行う。
なお、プレミアコンテンツは、入手後若しくは購入後、すぐに視聴可能なものであってもよいし、上記（２８）のパッケージと同様に、ある一定期間が過ぎたのち、視聴可能となるものであってもよい。
【０３６９】
また、電子チケット確認装置にて、配布若しくは販売されるものは、プレミアコンテンツに限定されない。映画のマスコット人形などのように映画と関連する商品、サービスであってもよい。
（３０）上記の実施形態では、電子チケット購入時及び電子チケット利用時に特典の配布を行ったが、これに限定されない。パッケージ購入時にも、特典の配布を行ってもよい。特典として、例えば、プレミアコンテンツの配布、プレミアコンテンツの購入の権利、映画のマスコット人形などの映画に関連する商品の購入の権利、ネットワークサービスのアドレス、ネットワークサービスを受けるためのログイン名及びパスワードなどである。
【０３７０】
（３１）上記の実施形態では、映画予告編の映像データ及びパッケージ予告編の映像データを購入パッケージに記録したが、これに限定されない。映画予告編の音声データの配布とは別に、映画のタイトルＩＤと映画予告編の映像データとを記録したパッケージを映画公開前に配布してもよい。また、パッケージ予告編も同様に、パッケージ予告編の音声データの配布とは別に、映画のタイトルＩＤとパッケージ予告編の映像データを記録したパッケージを映画パッケージソフトの発売前に配布してもよい。配布方法の一例は、雑誌や書籍の付録として、映画のタイトルＩＤと映画予告編の映像データとを記録したパッケージ、映画のタイトルＩＤとパッケージ予告編の映像データを記録したパッケージやタイトルＩＤ、映画予告編の映像データ及びパッケージ予告編の映像データを記録したパッケージの配布である。
【０３７１】
（３２）電子チケット購入の特典の配布を１回行うとしたが、これに限定されない。例えば、上記第２の実施の形態でにて示した特典配布装置と通信端末装置とをネットワーク接続することにより、同一のタイトルＩＤに対する購入特典の情報を複数回配布してもよい。このとき、特典配布装置の管理者は、電子チケット購入に係る特典の情報を変更し、特典配布装置にて管理している特典の情報を変更した特典の情報へと更新する。電子チケットの購入者は、メモリカードが挿入された通信端末装置を用いて、特典配布装置とインターネットを介してネットワーク接続を行う。通信端末装置は、購入者の操作により購入特典配布依頼情報を受け付ける。次に通信端末装置は、電子チケット情報記憶部より受け付けた購入特典配布依頼情報に含まれるタイトルＩＤと対応付けられる有効期限、第１署名データ及び販売店ＩＤを取得し、購入特典配布依頼情報と取得した有効期限、第１署名データ及び販売店ＩＤとを特典配布装置へ送信する。特典配布装置は、購入特典配布依頼情報と有効期限、第１署名データ及び販売店ＩＤとを通信端末装置より受信する。次に、特典配布装置は、受信した販売店ＩＤに対応する公開鍵を取得し、取得した公開鍵と第１署名データとを用いて、署名検証を施して、第１署名データの正当性の判断を行う。正当な第１署名データであると判断する場合に、受信した購入特典配布依頼情報に含まれるタイトルＩＤに対応する特典を取得し、取得した特典を通信端末装置へ送信する。通信端末装置は、記憶している特典を受信した特典へと更新する。
【０３７２】
ここで、通信端末装置の代わりに、ネットワーク接続可能な再生装置を用いてもよい。
また、上記では、電子チケットの購入者の指示により特典配布装置の特典を入手したが、メモリカードに特典配布装置の特典を入手するプログラムを記憶しておき、ネットワーク接続可能な再生装置にメモリカードが入手され、メモリカードに記憶されている特典を利用する際に、特典配布装置の特典を入手するプログラムを起動させ、特典配布装置の特典を入手してもよい。
【０３７３】
また、電子チケット利用時の特典も同様に、特典配布装置より更新された特典を入手するようにしてもよい。このとき、通信端末装置より特典配布装置へ送信する情報は、利用特典配布依頼情報と、利用特典配布依頼情報に含まれるタイトルＩＤと対応付けられる有効期限、第２署名データ及び映画館ＩＤである。特典配布装置は、署名検証を施して、通信端末装置より受信した第２署名データの正当性を判断し、正当な第２署名データであると判断する場合に、特典を配布する。
【０３７４】
また、特典配布装置と映画会社管理装置とを１つの装置としてもよい。
（３３）映画会社管理装置、電子チケット販売装置、電子チケット確認装置及びパッケージ販売装置を１つの装置としてもよい。
（３４）パッケージ購入時に、特典を付加してもよい。例えば、購入したパッケージがシリーズ化されている場合には、次回作の映画に係る情報を特典として付加する。または、他の映画に係る情報を特典として付加する。
【０３７５】
（３５）上記実施の形態では、電子チケット購入、電子チケットに利用（つまり、映画の鑑賞）、最後にパッケージ購入を行ったが、電子チケット購入後、パッケージ購入を行い、最後に電子チケットの利用を行ってもよい。このとき、パッケージ購入の際に、特典を付加する。例えば、他の映画に係る情報を特典とする。
（３６）電子チケット未利用時に、パッケージを購入する際に、割引データを用いて、電子チケット未使用時におけるパッケージ販売の割引額を算出したが、これに限定されない。電子チケット未利用時には、電子チケットの代金をパッケージの代金から引いた差額をパッケージ販売の代金としてもよい。
【０３７６】
（３７）電子チケット販売装置より購入した電子チケットを映画鑑賞及びパッケージ購入の双方に利用できるようにしてもよい。
例えば、電子チケットとパッケージとを一括購入する際に、電子チケット販売装置より送信される電子チケットである。なお、一括購入では、パッケージを実際に購入するのではなく、購入予約することになる。また、一括購入については、上記（１２）にて説明しているため、ここでは説明を省略する。一括購入の場合に配布する特典を、購入特典情報及び利用特典情報の双方としてもよい。パッケージ販売装置は、パッケージ購入依頼情報を受信すると、割引データに書き込まれた一括購入の情報を用いて、パッケージの販売額を決定する。このとき、電子チケットが映画鑑賞に利用されていない場合には、電子チケットの代金をパッケージ代金に充当してもよい。電子チケットが映画鑑賞に利用されているか否かの判断は、実施の形態にて示すように、パッケージ購入依頼情報に含まれる第２署名データ及び映画館ＩＤを用いる。
【０３７７】
または、別の例として、購入する電子チケットには、映画鑑賞及びパッケージ購入の双方に利用できる旨が示されている。利用者は、この電子チケットを用いることにより、パッケージの購入後、映画鑑賞を行うこともできる。
従来、映画鑑賞とパッケージ購入の双方に利用できる電子チケットは存在しなかったが、上記に示す電子チケットにより、両者に利用することが可能となる。また、実施の形態にて示すような割引、一括購入による割引、電子チケットが映画鑑賞に利用されていない場合に電子チケットの代金をパッケージ代金に充当するなどのように、電子チケットの内容に応じてパッケージ料金の割引形態を多様化することにより、ユーザの利便性を高めることができる。
【０３７８】
（３８）ユーザ端末は、パッケージ購入依頼情報を生成する際に、電子チケット情報テーブルよりユーザより受け取ったタイトルＩＤと対応する販売店ＩＤ及び第１署名データを取得し、取得した販売店ＩＤ及び第１署名データをパッケージ購入依頼情報に含めて、パッケージ購入依頼情報をパッケージ販売装置へ送信してもよい。このとき、パッケージ販売装置は、電子チケットが未使用である場合には、以下のような動作を行う。パッケージ販売装置は、電子チケットを販売する販売店ＩＤと、販売店から配布された公開鍵とを対応付けて記憶している。パッケージ販売装置は、電子チケットが未使用であると判断する場合には、パッケージ購入依頼情報に含まれる販売店ＩＤに対応する公開鍵を取得し、取得した公開鍵と第１署名データとを用いて、署名検証を施し、正当な電子チケットであるか否かの判断を行う。正当な電子チケットであると判断する場合には、電子チケットが未使用である場合のパッケージ販売額を決定する。正当な電子チケットでないと判断する場合には、パッケージ購入不可情報を生成し、生成したパッケージ購入不可情報を、パッケージ購入の要求のあった通信端末装置へ送信する。
【０３７９】
（３９）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【０３８０】
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【０３８１】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（４０）上記実施の形態及び上記変形例をそれぞれ組み合わせるとしてもよい。
【産業上の利用可能性】
【０３８２】
上記において説明した電子チケットシステムは、１つの会社から消費者へ、サービスの提供及びそのサービスに関連する商品の販売を行う産業において、経営的、つまり反復的かつ継続的に利用されうる。
【図面の簡単な説明】
【０３８３】
【図１】電子チケットシステム１の構成を示すブロック図である。
【図２】メモリカード１００の構成を示すブロック図である。
【図３】電子チケット情報記憶部１０３が有する電子チケット情報テーブルＴ１００のデータ構造を示す。
【図４】購入特典情報記憶部１０４が有する購入特典情報テーブルＴ１１０のデータ構造を示す。
【図５】利用特典情報記憶部１０５が有する利用特典情報テーブルＴ１２０のデータ構造を示す。
【図６】通信端末装置２００の構成を示すブロック図である。
【図７】再生装置３００の構成を示すブロック図である。
【図８】映画会社管理装置４００の構成を示すブロック図である。
【図９】チケット利用状況記憶部４０１が有する利用状況管理テーブルＴ４００のデータ構造を示す。
【図１０】電子チケット販売装置５００ａの構成を示すブロック図である。
【図１１】購入特典管理記憶部５０３が有する購入特典管理テーブルＴ５００のデータ構造を示す。
【図１２】電子チケット管理記憶部５０４が有する電子チケット管理テーブルＴ５１０のデータ構造を示す。
【図１３】電子チケット課金記憶部５０５が有する電子チケット課金テーブルＴ５２０のデータ構造を示す。
【図１４】電子チケット確認装置６００ａの構成を示すブロック図である。
【図１５】発行公開鍵記憶部６０１が有する発行公開鍵テーブルＴ６００のデータ構造を示す。
【図１６】利用特典管理記憶部６０２が有する利用特典管理テーブルＴ６１０のデータ構造を示す。
【図１７】パッケージ販売装置７００ａの構成を示すブロック図である。
【図１８】公開鍵記憶部７０２が有する公開鍵テーブルＴ７００のデータ構造を示す。
【図１９】パッケージ課金記憶部７０３が有するパッケージ課金テーブルＴ７１０のデータ構造を示す。
【図２０】電子チケットシステム１におけるメモリカード１００の認証の動作を示す流れ図である。
【図２１】電子チケットシステム１における電子チケット購入の動作を示す流れ図である。
【図２２】電子チケットシステム１におけるチケット確認の動作を示す流れ図である。
【図２３】電子チケットシステム１におけるパッケージ購入の動作を示す流れ図である。
【図２４】電子チケットシステム１における認証処理の動作を示す流れ図である。
【図２５】電子チケットシステム１におけるチケット購入受付処理の動作を示す流れ図である。
【図２６】電子チケットシステム１におけるチケット課金処理の動作を示す流れ図である。
【図２７】電子チケットシステム１におけるチケット販売情報登録処理の動作を示す流れ図である。
【図２８】電子チケットシステム１におけるチケット購入処理の動作を示す流れ図である。
【図２９】電子チケットシステム１におけるチケット利用処理の動作を示す流れ図である。
【図３０】電子チケットシステム１における利用情報登録処理の動作を示す流れ図である。
【図３１】電子チケットシステム１におけるパッケージ購入受付処理の動作を示す流れ図である。
【図３２】電子チケットシステム１におけるパッケージ課金処理の動作を示す流れ図である。
【図３３】電子チケットシステム１におけるパッケージ販売情報登録処理の動作を示す流れ図である。
【図３４】電子チケットシステム１における再生処理の動作を示す流れ図である。
【図３５】電子チケットシステム１における特典再生処理の動作を示す流れ図である。
【図３６】電子チケットシステム２の構成を示すブロック図である。
【図３７】映画会社管理装置４５０の構成を示すブロック図である。
【図３８】チケット利用状況記憶部４５１が有する利用状況管理テーブルＴ４５０のデータ構造を示す。
【図３９】電子チケット販売装置５５０ａの構成を示すブロック図である。
【図４０】電子チケット確認装置６５０ａの構成を示すブロック図である。
【図４１】特典配布装置８５０ａの構成を示すブロック図である。
【図４２】電子チケットシステム２における特典配布の動作を示す流れ図である。
【図４３】電子チケットシステム２におけるチケット購入受付処理の動作を示す流れ図である。
【図４４】電子チケットシステム２におけるチケット購入処理の動作を示す流れ図である。
【図４５】電子チケットシステム２におけるチケット利用処理の動作を示す流れ図である。
【図４６】電子チケットシステム２における特典配布処理の動作を示す流れ図である。
【図４７】電子チケットシステム２における特典配布情報登録処理の動作を示す流れ図である。
【図４８】電子チケット確認装置９００ａの構成を示すブロック図である。
【図４９】第２サブシステム２１の構成を示すブロック図である。
【図５０】課金装置９３０の構成を示すブロック図である。
【図５１】再生装置３５０の構成を示すブロック図である。
【符号の説明】
【０３８４】
１    電子チケットシステム
１０ａ〜１０ｃ  第１サブシステム
２０    第２サブシステム
１００    メモリカード
１０１    認証部
１０２    ユーザＩＤ記憶部
１０３    電子チケット情報記憶部
１０４    購入特典情報記憶部
１０５    利用特典情報記憶部
１０６    入出力部
２００    通信端末装置
２０１    入力部
２０２    制御部
２０３    表示部
２０４    入出力部
２０５    送受信部
３００    再生装置
３０１    入力部
３０２    制御部
３０３    出力部
３０４    第１アクセス部
３０５    第２アクセス部
４００    映画会社管理装置
４０１    チケット利用状況記憶部
４０２    利用情報登録部
４０３    配当金計算部
４０４    送受信部
５００ａ〜５００ｃ  電子チケット販売装置
５０１    販売店ＩＤ記憶部
５０２    発行秘密鍵記憶部
５０３    購入特典管理記憶部
５０４    電子チケット管理記憶部
５０５    電子チケット課金記憶部
５０６    電子チケット発行部
５０７    第１送受信部
５０８    第２送受信部
６００ａ〜６００ｃ  電子チケット確認装置
６０１    発行公開鍵記憶部
６０２    利用特典管理記憶部
６０３    秘密鍵記憶部
６０４    映画館ＩＤ記憶部
６０５    入力部
６０６    電子チケット確認部
６０７    表示部
６０８    入出力部
６０９    送受信部
７００ａ〜７００ｃ  パッケージ販売装置
７０１    販売店ＩＤ記憶部
７０２    公開鍵記憶部
７０３    パッケージ課金記憶部
７０４    パッケージ販売部
７０５    第１送受信部
７０６    第２送受信部
【図１】
2004280797.tif 000003
【図２】
2004280797.tif 000004
【図３】
2004280797.tif 000005
【図４】
2004280797.tif 000006
【図５】
2004280797.tif 000007
【図６】
2004280797.tif 000008
【図７】
2004280797.tif 000009
【図８】
2004280797.tif 000010
【図９】
2004280797.tif 000011
【図１０】
2004280797.tif 000012
【図１１】
2004280797.tif 000013
【図１２】
2004280797.tif 000014
【図１３】
2004280797.tif 000015
【図１４】
2004280797.tif 000016
【図１５】
2004280797.tif 000017
【図１６】
2004280797.tif 000018
【図１７】
2004280797.tif 000019
【図１８】
2004280797.tif 000020
【図１９】
2004280797.tif 000021
【図２０】
2004280797.tif 000022
【図２１】
2004280797.tif 000023
【図２２】
2004280797.tif 000024
【図２３】
2004280797.tif 000025
【図２４】
2004280797.tif 000026
【図２５】
2004280797.tif 000027
【図２６】
2004280797.tif 000028
【図２７】
2004280797.tif 000029
【図２８】
2004280797.tif 000030
【図２９】
2004280797.tif 000031
【図３０】
2004280797.tif 000032
【図３１】
2004280797.tif 000033
【図３２】
2004280797.tif 000034
【図３３】
2004280797.tif 000035
【図３４】
2004280797.tif 000036
【図３５】
2004280797.tif 000037
【図３６】
2004280797.tif 000038
【図３７】
2004280797.tif 000039
【図３８】
2004280797.tif 000040
【図３９】
2004280797.tif 000041
【図４０】
2004280797.tif 000042
【図４１】
2004280797.tif 000043
【図４２】
2004280797.tif 000044
【図４３】
2004280797.tif 000045
【図４４】
2004280797.tif 000046
【図４５】
2004280797.tif 000047
【図４６】
2004280797.tif 000048
【図４７】
2004280797.tif 000049
【図４８】
2004280797.tif 000050
【図４９】
2004280797.tif 000051
【図５０】
2004280797.tif 000052
【図５１】
2004280797.tif 000053